(57)【特許請求の範囲】
【請求項１】
遊技場において複数設置される遊技機に１対１に対応して設けられ、遊技者を特定可能な遊技者特定情報を受け付けると共に、当該遊技者に対して所定の閲覧情報を表示する情報表示装置と、
前記遊技者が所有する情報端末から前記遊技者特定情報を特定可能な情報を含むログイン要求を受信したことを条件として、当該遊技者専用であって所定のサービスを提供するための遊技者専用ページを前記情報端末に対して送信する遊技者専用ページ送信手段を有する管理装置と、
を備える情報配信システムであって、
前記管理装置は、
前記情報表示装置において受け付けられた遊技者特定情報を取得する遊技者特定情報取得手段と、
前記情報表示装置において前記閲覧情報が表示されたときに前記遊技者から特定操作を受け付けた旨を示す特定操作情報を取得する特定操作情報取得手段と、
前記遊技者特定情報取得手段により遊技者特定情報を取得する毎に、該取得した遊技者特定情報と、当該遊技者特定情報を受付中の情報表示装置を特定可能な情報表示装置特定情報とを対応付けて記憶し、前記特定操作情報取得手段により特定操作情報を取得したことを条件として、前記記憶した遊技者特定情報と、前記特定操作を受け付けた閲覧情報を特定可能な表示特定情報とを対応付けて記憶する特定操作受付情報記憶手段と、
該特定操作受付情報記憶手段で記憶している表示特定情報から特定される閲覧情報に関する閲覧関連情報を前記特定操作を行った遊技者に対して表示するための再表示条件が設定された再表示条件設定手段と、
前記特定操作受付情報記憶手段で記憶している一の遊技者特定情報について、当該遊技者特定情報を受付中である情報表示装置の情報表示装置特定情報を記憶しているか否かを判定し、該情報表示装置特定情報を記憶していると判定したことを条件として、当該遊技者特定情報の遊技者が該記憶している情報表示装置特定情報の情報表示装置に存在すると特定する情報表示装置特定手段と、
該情報表示装置特定手段により前記遊技者が存在する情報表示装置が特定されたことに基づき、当該遊技者について前記再表示条件設定手段により設定された再表示条件が成立したことを条件として、前記遊技者が存在すると特定された情報表示装置において前記閲覧関連情報を表示するための再表示処理を行う再表示処理手段と、を有し、
前記遊技者専用ページ送信手段は、前記ログイン要求を受信したことを条件として、該ログイン要求に含まれる情報から特定される遊技者特定情報に対応付けて前記特定操作受付情報記憶手段で記憶している表示特定情報から特定される閲覧情報に関する閲覧関連情報を含む前記遊技者専用ページを前記情報端末に対して送信し、
前記管理装置は、前記閲覧関連情報を含む遊技者専用ページを送信したことを条件として、当該遊技者が所有する電子マネー記憶媒体に対して該遊技者に特典として付与される電子マネーを記憶させるための電子マネー発行処理を行う電子マネー発行処理手段をさらに有することを特徴とする情報配信システム。
【請求項２】
請求項１に記載した情報配信システムであって、
前記情報表示装置は、会員登録した遊技者である会員遊技者を個々に識別可能な会員識別情報が前記遊技者特定情報として記録された会員用記録媒体と、該会員用記録媒体を所持していない遊技者であるビジタ遊技者に対して発行されるビジタ用記録媒体を個々に識別可能なビジタ用記録媒体識別情報が前記遊技者特定情報として記録されたビジタ用記録媒体とを受付可能であり、
前記情報表示装置特定手段は、前記情報表示装置でビジタ用記録媒体を受け付けたことに基づいて、該ビジタ用記録媒体を所持しているビジタ遊技者が当該情報表示装置に存在すると特定することを特徴とする情報配信システム。
【請求項３】
請求項２に記載した情報配信システムであって、
前記ビジタ用記録媒体は、前記遊技機での遊技に使用可能な遊技用価値の大きさと、前記遊技機での遊技により得られた遊技媒体数とを特定可能な情報が記録されたものであり、
前記情報表示装置は、前記受け付けたビジタ用記録媒体の記録情報から特定される遊技用価値の大きさ又は遊技媒体数が使用されて減算された後に該遊技用価値の大きさ及び遊技媒体数が共に零であることに基づいて、当該ビジタ用記録媒体のビジタ用記録媒体識別情報を含む消去情報を前記管理装置に対して送信し、
前記管理装置は、前記消去情報を受信したことに基づいて、該消去情報に含まれるビジタ用記録媒体識別情報に対応付けて前記特定操作受付情報記憶手段で記憶している表示特定情報を消去する処理を行うことを特徴とする情報配信システム。
【請求項４】
請求項１〜３のいずれか一つに記載した情報配信システムであって、
前記管理装置は、前記ログイン要求を受信したことに基づいて、該ログイン要求に含まれる情報から特定される遊技者特定情報に対応付けて前記特定操作受付情報記憶手段で記憶している表示特定情報が有るか否かを判定する情報有無判定手段をさらに有し、
前記遊技者専用ページ送信手段は、前記情報有無判定手段により前記対応付けて記憶している表示特定情報が有ると判定した場合には、当該表示特定情報から特定される閲覧情報に関する閲覧関連情報を含む前記遊技者専用ページを前記情報端末に対して送信するものにおいて、
前記遊技者専用ページ送信手段は、前記情報有無判定手段により前記対応付けて記憶している表示特定情報が無いと判定した場合には、所定の閲覧情報に関する閲覧関連情報を含む前記遊技者専用ページを前記情報端末に対して送信することを特徴とする情報配信システム。
【請求項５】
請求項１〜４のいずれか１つに記載した情報配信システムであって、
前記遊技者専用ページ送信手段は、前記遊技者が所有する有価価値の大きさである遊技媒体数を使用して前記閲覧情報の対象である景品を取得するために当該遊技者が操作するリンク情報を含む前記遊技者専用ページを前記情報端末に対して送信し、
前記管理装置は、
前記遊技者が所有する有価価値の大きさを減算することにより前記閲覧情報の対象である景品を提供するための景品提供処理を行う景品提供処理手段と、
該景品提供処理において、景品提供の要求操作を受け付けると、該景品提供に必要な有価価値の大きさを割り引く割引処理を行う割引処理手段と、をさらに有することを特徴とする情報配信システム。
【請求項６】
請求項１〜５のいずれか１つに記載した情報配信システムであって、
前記情報表示装置は、前記閲覧情報の対象として、前記遊技機での遊技により得られた遊技媒体数と景品交換するための景品を表示するものであり、
前記情報端末は、前記遊技者専用ページに含まれる閲覧関連情報の対象である前記景品を前記遊技媒体数以外の価値を用いて取得するための操作を受付可能なものであることを特徴とする情報配信システム。
【請求項７】
請求項１〜６のいずれか１つに記載した情報配信システムであって、
前記情報表示装置は、前記閲覧情報の対象として、前記遊技機での遊技により得られた遊技媒体数と景品交換するための景品を表示するものであり、
前記情報表示装置は、前記閲覧情報の対象として、前記遊技場において提供され前記遊技媒体数と交換可能な景品である提供景品と、前記遊技媒体数と交換不能な景品である一般景品とを表示可能であり、
前記遊技者専用ページ送信手段は、前記一般景品を対象とする前記閲覧関連情報を含む前記遊技者専用ページを前記情報端末に対して送信し、
前記情報端末は、前記遊技者専用ページに含まれる閲覧関連情報の対象である前記一般景品を前記遊技媒体数以外の価値を用いて取得するための操作を受付可能なものであることを特徴とする情報配信システム。
【請求項８】
請求項１〜７のいずれか１つに記載した情報配信システムであって、
前記情報表示装置は、前記閲覧情報の対象として、前記遊技機での遊技により得られた遊技媒体数と景品交換するための景品を表示するものであり、
前記情報表示装置は、前記閲覧情報の対象として、前記遊技場において提供され前記遊技媒体数と交換可能な景品である提供景品と、前記遊技媒体数と交換不能な景品である一般景品とを表示可能であると共に、会員登録した遊技者である会員遊技者を個々に識別可能な会員識別情報が前記遊技者特定情報として記録された会員用記録媒体と、該会員用記録媒体を所持していない遊技者であるビジタ遊技者に対して発行されるビジタ用記録媒体を個々に識別可能なビジタ用記録媒体識別情報が前記遊技者特定情報として記録されたビジタ用記録媒体とを受付可能であり、
前記再表示処理手段は、前記情報表示装置特定手段により前記会員遊技者及び前記ビジタ遊技者が存在する情報表示装置が特定されたことに基づき、該会員遊技者及びビジタ遊技者について前記再表示条件設定手段により設定された再表示条件が成立したことを条件として、当該情報表示装置において前記閲覧関連情報を表示するための再表示処理を行い、
前記遊技者専用ページ送信手段は、前記会員識別情報を含むログイン要求を受信したら、前記遊技者専用ページを前記情報端末に対して送信することを特徴とする情報配信システム。
【発明の詳細な説明】
【技術分野】
【０００１】
本発明は、店舗に設置され、該店舗において会員登録した会員を個々に識別可能な会員識別情報を受け付けると共に、所定の閲覧情報（宣伝やアンケート告知等の広告情報）を表示する情報表示装置を備える情報配信システムに関する。
【背景技術】
【０００２】
従来より、特許文献１に示すように、店舗の一例である遊技場において、会員が遊技をしている遊技機に対応する情報表示装置の一例であるカードユニットで、遊技場外に設けられる情報提供装置から配信されてくる閲覧情報の一例である広告情報を表示するシステムが知られている。
【０００３】
【特許文献１】特開２００５−２７０２０３号公報（段落０１２２，０１３４）
【発明の開示】
【発明が解決しようとする課題】
【０００４】
しかしながら、特許文献１に示すシステムでは、店舗に設けられている情報表示装置で閲覧情報が表示されるのみであるので、該閲覧情報に対する会員の反応が低いという問題があった。
【０００５】
本発明は、このような背景のもとになされたものであり、その目的は、会員に対して表示した閲覧情報に対する該会員の反応が向上するような、情報配信システムを提供することにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず請求項１に係る発明は、
遊技場において複数設置される遊技機に１対１に対応して設けられ、遊技者を特定可能な遊技者特定情報を受け付けると共に、当該遊技者に対して所定の閲覧情報を表示する情報表示装置と、
前記遊技者が所有する情報端末から前記遊技者特定情報を特定可能な情報を含むログイン要求を受信したことを条件として、当該遊技者専用であって所定のサービスを提供するための遊技者専用ページを前記情報端末に対して送信する遊技者専用ページ送信手段を有する管理装置と、
を備える情報配信システムであって、
前記管理装置は、
前記情報表示装置において受け付けられた遊技者特定情報を取得する遊技者特定情報取得手段と、
前記情報表示装置において前記閲覧情報が表示されたときに前記遊技者から特定操作を受け付けた旨を示す特定操作情報を取得する特定操作情報取得手段と、
前記遊技者特定情報取得手段により遊技者特定情報を取得する毎に、該取得した遊技者特定情報と、当該遊技者特定情報を受付中の情報表示装置を特定可能な情報表示装置特定情報とを対応付けて記憶し、前記特定操作情報取得手段により特定操作情報を取得したことを条件として、前記記憶した遊技者特定情報と、前記特定操作を受け付けた閲覧情報を特定可能な表示特定情報とを対応付けて記憶する特定操作受付情報記憶手段と、
該特定操作受付情報記憶手段で記憶している表示特定情報から特定される閲覧情報に関する閲覧関連情報を前記特定操作を行った遊技者に対して表示するための再表示条件が設定された再表示条件設定手段と、
前記特定操作受付情報記憶手段で記憶している一の遊技者特定情報について、当該遊技者特定情報を受付中である情報表示装置の情報表示装置特定情報を記憶しているか否かを判定し、該情報表示装置特定情報を記憶していると判定したことを条件として、当該遊技者特定情報の遊技者が該記憶している情報表示装置特定情報の情報表示装置に存在すると特定する情報表示装置特定手段と、
該情報表示装置特定手段により前記遊技者が存在する情報表示装置が特定されたことに基づき、当該遊技者について前記再表示条件設定手段により設定された再表示条件が成立したことを条件として、前記遊技者が存在すると特定された情報表示装置において前記閲覧関連情報を表示するための再表示処理を行う再表示処理手段と、を有し、
前記遊技者専用ページ送信手段は、前記ログイン要求を受信したことを条件として、該ログイン要求に含まれる情報から特定される遊技者特定情報に対応付けて前記特定操作受付情報記憶手段で記憶している表示特定情報から特定される閲覧情報に関する閲覧関連情報を含む前記遊技者専用ページを前記情報端末に対して送信し、
前記管理装置は、前記閲覧関連情報を含む遊技者専用ページを送信したことを条件として、当該遊技者が所有する電子マネー記憶媒体に対して該遊技者に特典として付与される電子マネーを記憶させるための電子マネー発行処理を行う電子マネー発行処理手段をさらに有することを特徴とする情報配信システムである。
【０００８】
また請求項２に係る発明は、
請求項１に記載した情報配信システムであって、
前記情報表示装置は、会員登録した遊技者である会員遊技者を個々に識別可能な会員識別情報が前記遊技者特定情報として記録された会員用記録媒体と、該会員用記録媒体を所持していない遊技者であるビジタ遊技者に対して発行されるビジタ用記録媒体を個々に識別可能なビジタ用記録媒体識別情報が前記遊技者特定情報として記録されたビジタ用記録媒体とを受付可能であり、
前記情報表示装置特定手段は、前記情報表示装置でビジタ用記録媒体を受け付けたことに基づいて、該ビジタ用記録媒体を所持しているビジタ遊技者が当該情報表示装置に存在すると特定することを特徴とする情報配信システムである。
【０００９】
また請求項３に係る発明は、
請求項２に記載した情報配信システムであって、
前記ビジタ用記録媒体は、前記遊技機での遊技に使用可能な遊技用価値の大きさと、前記遊技機での遊技により得られた遊技媒体数とを特定可能な情報が記録されたものであり、
前記情報表示装置は、前記受け付けたビジタ用記録媒体の記録情報から特定される遊技用価値の大きさ又は遊技媒体数が使用されて減算された後に該遊技用価値の大きさ及び遊技媒体数が共に零であることに基づいて、当該ビジタ用記録媒体のビジタ用記録媒体識別情報を含む消去情報を前記管理装置に対して送信し、
前記管理装置は、前記消去情報を受信したことに基づいて、該消去情報に含まれるビジタ用記録媒体識別情報に対応付けて前記特定操作受付情報記憶手段で記憶している表示特定情報を消去する処理を行うことを特徴とする情報配信システムである。
【００１０】
また請求項４に係る発明は、
請求項１〜３のいずれか一つに記載した情報配信システムであって、
前記管理装置は、前記ログイン要求を受信したことに基づいて、該ログイン要求に含まれる情報から特定される遊技者特定情報に対応付けて前記特定操作受付情報記憶手段で記憶している表示特定情報が有るか否かを判定する情報有無判定手段をさらに有し、
前記遊技者専用ページ送信手段は、前記情報有無判定手段により前記対応付けて記憶している表示特定情報が有ると判定した場合には、当該表示特定情報から特定される閲覧情報に関する閲覧関連情報を含む前記遊技者専用ページを前記情報端末に対して送信するものにおいて、
前記遊技者専用ページ送信手段は、前記情報有無判定手段により前記対応付けて記憶している表示特定情報が無いと判定した場合には、所定の閲覧情報に関する閲覧関連情報を含む前記遊技者専用ページを前記情報端末に対して送信することを特徴とする情報配信システムである。
【００１１】
また請求項５に係る発明は、
請求項１〜４のいずれか１つに記載した情報配信システムであって、
前記遊技者専用ページ送信手段は、前記遊技者が所有する有価価値の大きさである遊技媒体数を使用して前記閲覧情報の対象である景品を取得するために当該遊技者が操作するリンク情報を含む前記遊技者専用ページを前記情報端末に対して送信し、
前記管理装置は、
前記遊技者が所有する有価価値の大きさを減算することにより前記閲覧情報の対象である景品を提供するための景品提供処理を行う景品提供処理手段と、
該景品提供処理において、景品提供の要求操作を受け付けると、該景品提供に必要な有価価値の大きさを割り引く割引処理を行う割引処理手段と、をさらに有することを特徴とする情報配信システムである。
【００１２】
また請求項６に係る発明は、
請求項１〜５のいずれか１つに記載した情報配信システムであって、
前記情報表示装置は、前記閲覧情報の対象として、前記遊技機での遊技により得られた遊技媒体数と景品交換するための景品を表示するものであり、
前記情報端末は、前記遊技者専用ページに含まれる閲覧関連情報の対象である前記景品を前記遊技媒体数以外の価値を用いて取得するための操作を受付可能なものであることを特徴とする情報配信システムである。
【００１３】
また請求項７に係る発明は、
請求項１〜６のいずれか１つに記載した情報配信システムであって、
前記情報表示装置は、前記閲覧情報の対象として、前記遊技機での遊技により得られた遊技媒体数と景品交換するための景品を表示するものであり、
前記情報表示装置は、前記閲覧情報の対象として、前記遊技場において提供され前記遊技媒体数と交換可能な景品である提供景品と、前記遊技媒体数と交換不能な景品である一般景品とを表示可能であり、
前記遊技者専用ページ送信手段は、前記一般景品を対象とする前記閲覧関連情報を含む前記遊技者専用ページを前記情報端末に対して送信し、
前記情報端末は、前記遊技者専用ページに含まれる閲覧関連情報の対象である前記一般景品を前記遊技媒体数以外の価値を用いて取得するための操作を受付可能なものであることを特徴とする情報配信システムである。
【００１４】
さらに請求項８に係る発明は、
請求項１〜７のいずれか１つに記載した情報配信システムであって、
前記情報表示装置は、前記閲覧情報の対象として、前記遊技機での遊技により得られた遊技媒体数と景品交換するための景品を表示するものであり、
前記情報表示装置は、前記閲覧情報の対象として、前記遊技場において提供され前記遊技媒体数と交換可能な景品である提供景品と、前記遊技媒体数と交換不能な景品である一般景品とを表示可能であると共に、会員登録した遊技者である会員遊技者を個々に識別可能な会員識別情報が前記遊技者特定情報として記録された会員用記録媒体と、該会員用記録媒体を所持していない遊技者であるビジタ遊技者に対して発行されるビジタ用記録媒体を個々に識別可能なビジタ用記録媒体識別情報が前記遊技者特定情報として記録されたビジタ用記録媒体とを受付可能であり、
前記再表示処理手段は、前記情報表示装置特定手段により前記会員遊技者及び前記ビジタ遊技者が存在する情報表示装置が特定されたことに基づき、該会員遊技者及びビジタ遊技者について前記再表示条件設定手段により設定された再表示条件が成立したことを条件として、当該情報表示装置において前記閲覧関連情報を表示するための再表示処理を行い、
前記遊技者専用ページ送信手段は、前記会員識別情報を含むログイン要求を受信したら、前記遊技者専用ページを前記情報端末に対して送信することを特徴とする情報配信システムである。
【発明の効果】
【００１５】
まず請求項１に係る情報配信システムによれば、遊技場において複数設置される遊技機に１対１に対応して設けられる情報表示装置において、遊技者に対して閲覧情報が表示されて特定操作を受け付けると、管理装置において、遊技者特定情報を取得する毎に、該取得した遊技者特定情報と、当該遊技者特定情報を受付中の情報表示装置を特定可能な情報表示装置特定情報とが対応付けて記憶され、かつ、該記憶した遊技者特定情報と該特定操作が行われた閲覧情報の表示特定情報とが対応付けて記憶され、該記憶している一の遊技者特定情報について、当該遊技者特定情報を受付中である情報表示装置の情報表示装置特定情報を記憶しているか否かが判定され、該情報表示装置特定情報を記憶していると判定されたことを条件として、当該遊技者特定情報の遊技者が該記憶している情報表示装置特定情報の情報表示装置に存在すると特定され、遊技者が存在する情報表示装置が特定されて再表示条件が成立すると、前記記憶した閲覧情報に関する閲覧関連情報が当該遊技者が存在する情報表示装置において表示される再表示処理が行われることにより、遊技者が台移動をしてもしなくても、遊技者が特定操作を行った閲覧情報を再度閲覧させることができるので、該閲覧情報に対する遊技者の反応を向上することができる。
また、管理装置において、遊技者が所有する情報端末からログイン要求を受信すると、情報表示装置において当該遊技者から特定操作を受け付けた閲覧情報に関する閲覧関連情報を含む遊技者専用ページが、前記情報端末に対して送信されることにより、遊技者が特定操作を行った閲覧情報に関する閲覧関連情報を再度閲覧させることができるので、前記閲覧関連情報に対する遊技者の反応を向上することができると共に、特典として電子マネーが付与されることにより、遊技者専用ページへのログインを促すことができるので、前記閲覧関連情報に対する遊技者の反応をさらに向上することができる。
【００１６】
また請求項２に係る情報配信システムによれば、情報表示装置においてビジタ用記録媒体を受け付けると、該ビジタ用記録媒体を所持しているビジタ遊技者が当該情報表示装置に存在すると特定されて、再表示条件が成立すると、当該情報表示装置における再表示処理が行われるので、会員登録をしていないビジタ遊技者が台移動をしても閲覧関連情報を再表示できる。
【００１７】
また請求項３に係る情報配信システムによれば、管理装置において、ビジタ用記録媒体の記録情報から特定される遊技用価値の大きさ又は遊技媒体数が使用されて減算された後に共に零であることに基づいて消去情報を受信すると、ビジタ用記録媒体特定情報に対応付けて記憶している表示特定情報が消去されるので、当該ビジタ用記録媒体が新たに発行されたビジタ遊技者に対して、前記記憶していた表示特定情報に基づく再表示が行われることが無くなる。
【００１８】
また請求項４に係る情報配信システムによれば、情報表示装置において閲覧情報を閲覧していない遊技者に対しても、所定の閲覧情報に関する閲覧関連情報を含む遊技者専用ページが、前記情報端末に対して送信されることにより、遊技者に当該閲覧関連情報を閲覧させることができるので、前記閲覧関連情報に対する遊技者の反応をさらに向上することができる。
【００１９】
また請求項５に係る情報配信システムによれば、閲覧情報の対象である景品を取得するためのリンク情報を含んだ閲覧関連情報を含む遊技者専用ページが、前記情報端末に対して送信されることにより、遊技者が当該リンク情報を操作すると当該遊技者が所有する有価価値の大きさを使用して景品を取得することができるので、景品の取得を促進できる。
また、リンク情報の操作に基づく景品の提供に必要な有価価値の大きさを割り引く割引処理が行われることにより、遊技者が当該リンク情報を操作すると割り引かれた有価価値の大きさで景品を取得することができるので、景品の取得をさらに促進できる。
【００２０】
また請求項６に係る情報配信システムによれば、遊技媒体を獲得できなかったために、交換を予約した景品と景品交換できなくても、当該景品を、情報端末の操作により遊技媒体数以外の価値を用いて取得できるので、遊技者の利便性を向上できる。
【００２１】
また請求項７に係る情報配信システムによれば、遊技媒体数と交換不能な一般景品を、情報端末の操作により遊技媒体数以外の価値を用いて取得できるので、提供景品として扱えないような高価な一般景品についても広告効果を高めることができる。
【００２２】
また請求項８に係る情報配信システムによれば、ビジタ遊技者に対しては、遊技者専用ページは送信されないが、当該ビジタ遊技者が存在する情報表示装置における再表示処理は行われるので、ビジタ遊技者に対しても広告効果を高めることができる。
【発明を実施するための最良の形態】
【００２３】
以下、本発明の実施の形態を、図面を参照して説明する。本発明に係る情報配信システム及び情報表示システム（以下、両者を併せて「情報表示・配信システム１」と総称する。）は、図１に示すように、店舗（遊技場）に設置され、該店舗において会員登録した会員を個々に識別可能な会員識別情報（会員カードＩＤ）を受け付けると共に、所定の閲覧情報（図１７に示すユニット宣伝や図１８に示すアンケート告知）を表示する情報表示装置（カードユニット２０）と、会員が所有する情報端末（ＰＣ７，携帯電話８）から会員識別情報を特定可能な情報を含むログイン要求を受信したことを条件として、当該会員専用であって所定のサービスを提供するための会員専用ページ（図４８）を情報端末に対して送信する管理装置（広告管理装置６０）と、を備えるものであり、特に管理装置が、前記情報表示装置において会員に対して表示された閲覧情報に関する閲覧関連情報（図４８に示すウェブ宣伝やアンケート）を含む会員専用ページを送信すると共に、該会員専用ページを送信したこと（具体的にはアンケートに対する回答を受け付けたこと）を条件として、当該会員が所有する電子マネー記憶媒体（携帯電話８）に対して該会員に特典として付与される電子マネーを記憶させるための電子マネー発行処理を行うことを特徴とするものである。
【００２４】
この情報表示・配信システム１は、遊技場に設置されているカードユニット２０，残額管理装置３０，会員管理装置３１，持玉数管理装置３２，予約確定端末４０，及び場内管理装置５０と、カード会社に設置されている広告管理装置６０，景品管理装置７０，及び電子マネー管理サーバ８０と、景品提供業者に設置されている配送管理装置８５と、会員が利用する金融機関Ａに設置されている金融機関サーバ９０Ａと、カード会社が利用する金融機関Ｂに設置されている金融機関サーバ９０Ｂと、リモート発行センタに設置されているリモート発行サーバ９５とを備えている。
【００２５】
ここで店舗は、複数の遊技場Ａ，Ｂ，…であるが、各遊技場の各々に設けられている構成要素は同じであるため、以下においては、遊技場Ａに設けられている構成要素について説明する。なお各遊技場は、店舗ＩＤ（Ａ，Ｂ，…）により個々に識別可能とされている。また後述する図２（ｂ）に示すように、予め定められたグループ関係にある遊技場（グループ店）により、グループが形成されている。
【００２６】
またカード会社は、後述する会員カード２及びビジタカード３を発行する機関であると共に、後述する電子マネーサービスを運営及び提供する機関である。このカード会社に設けられる広告管理装置６０及び景品管理装置７０は、複数の景品提供業者Ｘ，Ｙ，…の各々に設けられている配送管理装置８５と、専用回線を介して通信可能である。また広告管理装置６０は、ウェブサーバとして機能するものであり、複数の一般広告主Ｐ，Ｑ，…の各々に設けられているパーソナルコンピュータ（以下、「ＰＣ」と表記する。）６や、店舗（遊技場）において会員登録をした会員が所有するＰＣ７及び携帯電話８と、インターネットを介して通信可能である。このＰＣ６，７は、インターネット接続機能や電子メール送受信機能等を備える一般的なものであり、このうちのＰＣ７は、会員が所有する情報端末として機能するものである。また携帯電話８も、インターネット接続機能や電子メール送受信機能等を備える一般的なものであり、ここでは会員が所有する情報端末及び後述する電子マネー記憶媒体として機能するものである。
【００２７】
この情報表示・配信システム１では、図８に示す会員カード２及びビジタカード３が使用される。これら会員カード２及びビジタカード３は、長方形状を呈するプラスチック製の薄板における所定の部位に、不揮発性のＥＥＰＲＯＭからなる記憶領域を備える非接触式のＩＣチップが設けられている記録媒体（ＩＣカード）である。なお会員カード２とビジタカード３とを区別しない場合には、単に「カード」と称し、後述する会員カードＩＤとビジタカードＩＤとを区別しない場合には、単に「カードＩＤ」と称する。
【００２８】
会員カード２は、店舗（遊技場）において会員登録した会員（会員遊技者）に対して発行される記録媒体（ＩＣカード）であり、該会員を個々に識別可能な会員識別情報である会員カードＩＤが、ＩＣチップに予め記録されている。この会員カードＩＤには、当該会員カード２が発行された店舗の店舗ＩＤと、会員（メンバー）である旨を示す符号「Ｍ」と、各々が重複しない６桁の番号とが含まれている。この会員カードＩＤは、ユーザである会員が所有する有価価値の大きさ（後述する管理残額，貯玉数，持玉数，ポイント）を特定可能な有価価値特定情報でもある。なお会員カード２には、これら有価価値の大きさ自体は記録されない。
【００２９】
この会員カード２がカードユニット２０のカードＲ／Ｗ２３で受け付けられると、後述するように、当該会員カード２の会員カードＩＤに対応付けて後述する残額管理装置３０で管理されている管理残額を使用した玉貸処理が可能となり、また会員カードＩＤに対応付けて後述する会員管理装置３１で管理されている貯玉数を使用した貯玉再プレイ処理や景品交換が可能となり、さらに会員カードＩＤに対応付けて後述する持玉数管理装置３２で管理されている持玉数を使用した持玉返却処理や景品交換処理が可能となる。
【００３０】
この会員カード２は、遊技場において、遊技者が希望する暗証番号と該遊技者の属性情報（ここでは氏名，郵便番号，住所，生年月日，性別，電話番号，及び電子メールアドレス）とが受け付けられて会員登録が行われると、カード会社から遊技場に納入されている会員カード２のうちの１枚から、当該会員カード２のＩＣチップに予め記録されている会員カードＩＤが読み取られて、当該会員カード２が発行される。この会員カード２から読み取った会員カードＩＤと、前記受け付けられた暗証番号及び属性情報とは、会員管理装置３１の会員情報ＤＢ（図示外）で記憶されると共に、遊技場から広告管理装置６０に対して送信されて、図２（ａ）に示す会員情報ＤＢで記憶される。
【００３１】
広告管理装置６０は、後述するハードディスク６５で、図２（ａ）に示す会員情報ＤＢを記憶している。この会員情報ＤＢでは、会員カードＩＤに対応付けて、当該会員が希望する暗証番号と、当該会員の属性情報（ここでは氏名，郵便番号，住所，生年月日，性別，電話番号，及び電子メールアドレス）と、当該会員が所有する有価価値の大きさであるポイントとが記憶されると共に、後述する電子マネー使用登録が行われると、電子マネー記憶媒体（携帯電話８）を個々に識別可能な電子マネー記憶媒体識別情報である携帯電話ＩＤが記憶される。
【００３２】
ここでポイントは、後述する図１７のＤ４２ａ及びＤ４２ｂに示すように、情報表示装置であるカードユニット２０において会員カードＩＤの受付に関連して（具体的には会員カードＩＤの受付中に）閲覧情報であるユニット宣伝メインが表示されたことを条件として付与されると共に、後述する図４８のＤ３０２ａ及びＤ３０２ｂに示すように、宣伝バナーがクリックされたことにより情報端末であるＰＣ７又は携帯電話８に対して閲覧関連情報であるウェブ宣伝を送信したことを条件として付与されるものである。この会員情報ＤＢは、会員識別情報（会員カードＩＤ）に対応付けて、該会員識別情報の会員が所有するポイントを管理するポイント管理手段として機能するものである。
【００３３】
また広告管理装置６０は、後述するハードディスク６５で、図２（ｂ）に示すグループＤＢを記憶している。このグループＤＢでは、予め定められたグループ関係にある各グループについて、グループ名と、当該グループに属する遊技場の店舗名及び店舗ＩＤとが記憶される。このグループＤＢで設定されている同一グループに属する各店舗の会員カードＩＤ（例えば図２（ａ）に示すように、◎◎グループに属する遊技場Ａの会員カードＩＤであるＡＭ０００００１と、同じく◎◎グループに属する遊技場Ｃの会員カードＩＤであるＣＭ０００００１）は統合登録することができ、該統合登録が行われると、いずれの会員カードＩＤでも後述する会員専用ページにログインすることができるようになると共に、各会員カードＩＤに対応するポイントを合算して使用できるようになる。
【００３４】
ビジタカード３は、店舗（遊技場）において会員登録していないビジタ（ビジタ遊技者）に対して発行される記録媒体（ＩＣカード）であり、該ビジタカード３を個々に識別可能な記録媒体識別情報であるビジタカードＩＤが、ＩＣチップに予め記録されている。このビジタカードＩＤには、当該ビジタカード３が発行された店舗の店舗ＩＤと、ビジタである旨を示す符号「Ｖ」と、各々が重複しない６桁の番号とが含まれている。このビジタカードＩＤは、ユーザであるビジタが所有する有価価値の大きさ（後述する管理残額，持玉数）を特定可能な有価価値特定情報でもある。なおビジタカード３には、これら有価価値の大きさ自体は記録されない。
【００３５】
このビジタカード３がカードユニット２０のカードＲ／Ｗ２３で受け付けられると、後述するように、当該ビジタカード３に記録されているビジタカードＩＤに対応付けて後述する残額管理装置３０で管理されている管理残額を使用した玉貸処理が可能となり、またビジタカードＩＤに対応付けて後述する持玉数管理装置３２で管理されている持玉数を使用した持玉返却処理や景品交換が可能となる。
【００３６】
図１に戻り、カード会社は、いわゆる財布機能を有する電子マネー記憶媒体である携帯電話８を電子マネー管理サーバ８０で登録（電子マネー使用登録）することにより、該電子マネー記憶媒体の記録情報から特定される電子マネーを使用した特定取引（玉貸）を可能とする、電子マネーサービスを運営及び提供する機関である。この電子マネー管理サーバ８０は、インターネットを介して、携帯電話８と通信可能である。
【００３７】
この電子マネー管理サーバ８０は、図３（ａ）に示す電子マネーＤＢを記憶している。この電子マネーＤＢでは、後述する図４に示す電子マネー使用登録が行われたときに付与される各携帯電話ＩＤに対応付けて、該携帯電話８の所有者の氏名と、決済銀行の銀行名と、該携帯電話８の電子メールアドレスと、該携帯電話８にチャージ（記憶）されている電子マネー額とが記憶される。
【００３８】
また電子マネー管理サーバ８０は、図３（ｂ）に示す発行履歴ＤＢを記憶している。この発行履歴ＤＢでは、各携帯電話ＩＤに対応付けて、電子マネーの発行（即ち電子マネーの購入，又はアンケートに回答したことに対する特典電子マネーの付与）が行われたときに付与される発行番号と、発行額と、発行の種別（購入又は付与）と、チャージ済フラグとが記憶される。ここでチャージ済フラグが「０」であれば、発行額が携帯電話８にチャージされていない旨を示し、チャージ済フラグが「１」であれば、発行額が携帯電話８にチャージされている旨を示す。
【００３９】
金融機関サーバ９０Ａが設置されている金融機関Ａは、会員が利用する金融機関であり、該金融機関Ａには、電子マネーサービスを利用するにあたって該電子マネーサービスの提供機関（カード会社）に電子マネーの対価を支払うための、会員の預金口座が設けられている。なお図１では、金融機関Ａを１つだけ表示しているが、該金融機関Ａは会員の決済銀行の数だけ存在する。
【００４０】
金融機関サーバ９０Ｂが設置されている金融機関Ｂは、電子マネーサービスの提供機関（カード会社）が利用する金融機関であり、該金融機関Ｂには、電子マネーの対価を受け取るための、カード会社の電子マネー対価受取用の預金口座である決済口座と、電子マネーを会員に付与するためのギフト用資金が入金される、カード会社のギフト資金用の預金口座であるギフト口座とが設けられている。
【００４１】
これら金融機関サーバ９０Ａ，９０Ｂは、各種収納機関及び金融機関が専用線で閉域接続された金融機関専用ネットワークを運営する団体に加盟する金融機関に設置される。そして金融機関サーバ９０Ａ，９０Ｂは、該金融機関専用ネットワークを介して、電子マネー管理サーバ８０と通信可能である。また金融機関サーバ９０Ａは、インターネットを介して、携帯電話８と通信可能である。
【００４２】
リモート発行サーバ９５は、電子マネー記憶媒体である携帯電話８の記憶部であるＩＣチップに、電子マネーを書き込むための書込処理を行うものである。このリモート発行サーバ９５は、インターネットを介して、携帯電話８と通信可能である。このリモート発行サーバ９５は、図３（ｃ）に示す書込状況ＤＢを記憶している。この書込状況ＤＢでは、携帯電話ＩＤ毎に、該携帯電話８から受信した後述する図６のＳａ２８に示す書込開始要求に含まれる発行番号，及び発行額が記憶されると共に、書込済フラグが記憶される。ここで書込済フラグが「０」であれば、書込処理が完了していない旨を示し、書込済フラグが「１」であれば、書込処理が完了している旨を示す。
【００４３】
前記携帯電話８は、予めダウンロードされたプログラムを実行するプログラム実行機能，及び財布機能を備えるものであり、電子マネー管理サーバ８０に電子マネー使用登録を行うことにより電子マネー記憶媒体となり、該電子マネー記憶媒体を個々に識別可能な電子マネー記憶媒体識別情報である携帯電話ＩＤ，電子マネー額を特定可能な情報（ここでは該電子マネー額そのもの），及び電子マネー使用プログラムが記録される。この携帯電話８は、該携帯電話８の電源で作動するアクティブ型のＩＣチップを搭載している。このＩＣチップは、ＣＰＵ，ＲＡＭ，ＲＯＭ，ＥＥＰＲＯＭ，通信モジュール等を備えており、ＲＯＭ（あるいはＥＥＰＲＯＭ）に記憶されている処理プログラムがＲＡＭを作業領域としてＣＰＵで実行される。またＥＥＰＲＯＭでは、電子マネー管理サーバ８０から送信されてくる携帯電話ＩＤ，電子マネー額，及び電子マネー使用プログラムが記憶される。この電子マネー使用プログラムが実行されることにより、インターネットを介して、電子マネー管理サーバ８０，金融機関サーバ９０Ａ，及びリモート発行サーバ９５と通信可能になる。
【００４４】
ここで携帯電話８のディスプレイに表示される図４に示す画面を参照して、該携帯電話８における電子マネー使用登録及び電子マネー使用プログラムの起動について説明する。まず携帯電話８の所有者が、インターネット接続機能により、電子マネー管理サーバ８０が提供するウェブサイトにアクセスして、電子マネー使用登録フォームの送信を要求すると、ＤＫ１〜ＤＫ２に示す電子マネー使用登録フォームの画面が、該ウェブサイトから携帯電話８に対して配信されて一時的に記憶され、まずＤＫ１に示す画面がディスプレイに表示される。このＤＫ１では、氏名の入力欄，及び決済銀行の銀行名の入力欄が表示されると共に、携帯電話８の電子メールアドレスが表示される。
【００４５】
このＤＫ１で各入力欄に入力されて「次へ」ボタンが操作されると、前記記憶されているＤＫ２に示す画面がディスプレイに表示される。このＤＫ２では、店舗会員として登録済の会員カードＩＤの入力を促す旨が表示されると共に、該会員カードＩＤの入力欄が表示される。
【００４６】
このＤＫ２で会員カードＩＤが入力されずに「登録」ボタンが操作されると、ＤＫ１で入力及び表示された内容（即ち氏名，銀行名，及び電子メールアドレス）を含む電子マネー使用登録要求が、インターネットを介して、電子マネー管理サーバ８０に対して送信される。またＤＫ２で会員カードＩＤ（例えばＡＭ００００１）が入力されて「登録」ボタンが操作されると、ＤＫ１で入力及び表示された内容に加えてＤＫ２で入力された内容（即ち会員カードＩＤ）を含む電子マネー使用登録要求が、インターネットを介して、電子マネー管理サーバ８０に対して送信される。
【００４７】
該電子マネー使用登録要求を受信した電子マネー管理サーバ８０は、携帯電話ＩＤを付与し、図３（ａ）に示す電子マネーＤＢで、該付与した携帯電話ＩＤに対応付けて、電子マネー使用登録要求に含まれる氏名，及び銀行名を記憶すると共に、該携帯電話ＩＤを含むＤＫ３に示す画面を、インターネットを介して、前記携帯電話８に対して送信する。
【００４８】
また電子マネー管理サーバ８０は、電子マネー使用登録要求に会員カードＩＤが含まれる場合には、該会員カードＩＤと前記付与した携帯電話ＩＤとを含む携帯電話ＩＤ登録要求を、広告管理装置６０に対して送信する。なお、該携帯電話ＩＤ登録要求を受信した広告管理装置６０では、携帯電話ＩＤ登録処理が行われて、図２（ａ）に示す会員情報ＤＢで、携帯電話ＩＤ登録要求に含まれる会員カードＩＤと携帯電話ＩＤとが対応付けて登録される。
【００４９】
図４に戻り、ＤＫ３に示す画面を受信した携帯電話８では、該画面に含まれる携帯電話ＩＤがＩＣチップのＥＥＰＲＯＭで記憶されると共に、該画面がディスプレイに表示される。このＤＫ３では、電子マネー使用登録が完了した旨，付与された携帯電話ＩＤ，及び電子マネー使用プログラムのダウンロードを促す旨が表示される。
【００５０】
このＤＫ３で「ダウンロード」ボタンが操作されると、ダウンロード要求が、インターネットを介して、電子マネー管理サーバ８０に対して送信され、該ダウンロード要求に応じて電子マネー管理サーバ８０から送信されてくる電子マネー使用プログラムを受信した携帯電話８では、該電子マネー使用プログラムがＩＣチップのＥＥＰＲＯＭで記憶される。
【００５１】
次に携帯電話８の所有者が、プログラム実行機能により、ＩＣチップで記憶している電子マネー使用プログラムを起動すると、該電子マネー使用プログラムに含まれるＤＫ１０に示すメニュー画面がディスプレイに表示される。このＤＫ１０では、メニューの選択を受け付けるために、「１．電子マネー購入」，「２．残高照会」，「３．登録情報変更」，及び「４．店舗会員登録」の各選択肢が表示される。
【００５２】
このＤＫ１０で「１．電子マネー購入」が選択された場合において携帯電話８，電子マネー管理サーバ８０，金融機関サーバ９０Ａ，及びリモート発行サーバ９５が行う処理について、図５〜図７を参照して説明する。このシステムおいては、まず図５に示す電子マネー購入処理が行われることにより、購入された電子マネーが電子マネー管理サーバ８０で記憶され、次に図６に示す電子マネーチャージ処理が行われることにより、該電子マネー管理サーバ８０で記憶された電子マネーが携帯電話８のＩＣチップで記憶（チャージ）される。
【００５３】
まず図５を主として、図７を参照しつつ、電子マネー購入処理について説明する。携帯電話８において、ＤＫ１０で「１．電子マネー購入」が選択されると、図５に示すように、電子マネー使用プログラムに含まれるＤＫ１１（図７を参照）の画面がディスプレイに表示される（Ｓａ０１）。このＤＫ１１では、電子マネーの購入額（ここでは１０００円，２０００円，３０００円，５０００円，及び１００００円の５種類）の選択肢を示すラジオボタンが表示される。このＤＫ１１でいずれかの購入額（ここでは５０００円）が選択されて「確認」ボタンが操作されると、電子マネー使用プログラムに含まれるＤＫ１２（図７を参照）の画面がディスプレイに表示される（Ｓａ０２）。このＤＫ１２では、ＤＫ１１で選択された購入額と、電子マネーの購入毎に該電子マネーの書込処理に対してリモート発行センタが徴収する手数料（ここでは２００円）と、該購入額と手数料との合計額が表示される。
【００５４】
このＤＫ１２で「送信」ボタンが操作されると、電子マネー使用プログラムの処理により、携帯電話８のＩＣチップで記憶している携帯電話ＩＤを含む購入要求が、電子マネー管理サーバ８０に対して送信される（Ｓａ０３）。該購入要求を受信した電子マネー管理サーバ８０は、該購入要求に含まれる携帯電話ＩＤに対応付けて図３（ａ）に示す電子マネーＤＢで登録されている決済銀行を抽出し（Ｓａ０４）、該決済銀行の金融機関サーバ９０ＡのモバイルバンキングにアクセスするためのＵＲＬを、インターネットを介して、前記携帯電話８に対して送信する（Ｓａ０５）。
【００５５】
モバイルバンキングにアクセスするためのＵＲＬを受信した携帯電話８では、電子マネー使用プログラムに含まれるＤＫ１３（図７を参照）の画面がディスプレイに表示される（Ｓａ０６）。このＤＫ１３では、決済銀行のモバイルバンキングに遷移する旨が表示される。
【００５６】
このＤＫ１３で「確認」ボタンが操作されると、インターネット接続機能により、前記受信したＵＲＬ、即ち決済銀行の金融機関サーバ９０Ａが提供するウェブサイトにアクセスし（Ｓａ０７）、該金融機関サーバ９０ＡからＤＫ１４（図７を参照）に示すログイン画面が配信されて、ディスプレイに表示される（Ｓａ０８）。このＤＫ１４では、預金口座の口座番号の入力欄，及びモバイルバンキングの暗証番号の入力欄が表示される。
【００５７】
このＤＫ１４で各入力欄に入力されて「ログイン」ボタンが操作されると、該入力された内容（即ち口座番号，及び暗証番号）とＤＫ１２で表示された合計額とを含むログイン要求が、金融機関サーバ９０Ａに対して送信される（Ｓａ０９）。該ログイン要求を受信した金融機関サーバ９０Ａは、該ログイン要求に含まれる口座番号及び暗証番号の認証を行い、認証ＯＫであるか否かを判定する（Ｓａ１０）。ここで認証ＮＧであれば（ＮＯ）、再度のログインを促す再ログイン画面を前記携帯電話８に対して配信する。一方、認証ＯＫであれば（ＹＥＳ）、該口座番号の預金口座の残高が前記ログイン要求に含まれる合計額以上であるか否かを判定する（Ｓａ１１）。ここで預金口座の残高が合計額未満であれば（ＮＯ）、その旨を示すエラー画面を前記携帯電話８に対して配信する。一方、預金口座の残高が合計額以上であれば（ＹＥＳ）、ＤＫ１５（図７を参照）の画面を前記携帯電話８に対して配信する（Ｓａ１２）。携帯電話８では、金融機関サーバ９０Ａから受信した画面がディスプレイに表示される。ここでＤＫ１５では、預金口座の残高と引き落とし額（即ち前記合計額）とが表示される。
【００５８】
このＤＫ１５で「決済」ボタンが操作されると、携帯電話８のＩＣチップで記憶している携帯電話ＩＤを含む決済要求が、金融機関サーバ９０Ａに対して送信される（Ｓａ１３）。該決済要求を受信した金融機関サーバ９０Ａは、前記預金口座から前記合計額を引き落とし、該合計額のうちの購入額（即ち合計額から手数料を減算した額）を、金融機関サーバ９０Ｂに設けられているカード会社の決済口座に振り込むと共に、合計額のうちの手数料を、リモート発行センタの決済口座に振り込むことにより、決済処理を行い（Ｓａ１４）、前記決済要求に含まれる携帯電話ＩＤと前記カード会社の決済口座に振り込まれた購入額とを含む決算完了情報を、電子マネー管理サーバ８０に対して送信する（Ｓａ１５）。
【００５９】
該決済完了情報を受信した電子マネー管理サーバ８０は、発行番号を生成し、図３（ｂ）に示す発行履歴ＤＢで、前記決済完了情報に含まれる携帯電話ＩＤに対応付けて、該生成した発行番号を記憶し、発行額として前記決済完了情報に含まれる購入額を記憶し、種別として「購入」と記憶し、かつチャージ済フラグとして「０（即ち発行額が携帯電話８にチャージされていない旨）」を記憶して（Ｓａ１６）、ＤＫ１６（図７を参照）の電子メールを、前記決済完了情報に含まれる携帯電話ＩＤに対応付けて図３（ａ）に示す電子マネーＤＢで登録されている電子メールアドレスの携帯電話８に対して送信する（Ｓａ１７）。この電子メールでは、前記発行額（ここでは５０００円）分の電子マネーが購入された旨，及び前記発行番号が表示されると共に、「ここをクリックすると電子マネーが携帯電話にチャージされます」と表示されたチャージ要求の送信リンクが表示される。
【００６０】
次に図６を主として、図７を参照しつつ、電子マネーチャージ処理について説明する。携帯電話８において、ＤＫ１６（図７を参照）の電子メールを展開すると（Ｓａ２１）、ＩＣチップで記憶している電子マネー使用プログラムが起動され（Ｓａ２２）、該電子メールで表示されるチャージ要求の送信リンクがクリックされると、電子マネー使用プログラムの処理により、前記電子メールに含まれる発行番号及び発行額と、ＩＣチップで記憶している携帯電話ＩＤとを含むチャージ要求が、電子マネー管理サーバ８０に対して送信される（Ｓａ２３）。
【００６１】
該チャージ要求を受信した電子マネー管理サーバ８０は、該チャージ要求に含まれる発行番号に対応付けて図３（ｂ）に示す発行履歴ＤＢでチャージ済フラグとして「１（即ち発行額が携帯電話８にチャージされている旨）」が記憶されているか否かを判定する（Ｓａ２４）。ここでチャージ済フラグとして「１」が記憶されていれば（ＹＥＳ）、発行額が携帯電話８にチャージされている旨を示すチャージ済画面を前記携帯電話８に対して送信する。一方、チャージ済フラグとして「０」が記憶されていれば（ＮＯ）、チャージＯＫ情報を前記携帯電話８に対して送信し（Ｓａ２５）、該チャージＯＫ情報を受信した携帯電話８から受信応答を受信すると（Ｓａ２６）、前記チャージ要求に含まれる発行番号に対応付けて図３（ｂ）に示す発行履歴ＤＢで記憶している発行額を、該発行番号に対応する携帯電話ＩＤに対応付けて図３（ａ）に示す電子マネーＤＢで記憶している電子マネー額に加算すると共に、発行履歴ＤＢで、当該発行番号に対応するチャージ済フラグとして「１」を記憶する（Ｓａ２７）。
【００６２】
前記チャージＯＫ情報を受信した携帯電話８では、電子マネー使用プログラムの処理により、前記受信応答が電子マネー管理サーバ８０に対して送信されると共に（Ｓａ２６）、前記電子メールに含まれる発行番号及び発行額と、ＩＣチップで記憶している携帯電話ＩＤとを含む書込開始要求が、リモート発行サーバ９５に対して送信される（Ｓａ２８）。
【００６３】
該書込開始要求を受信したリモート発行サーバ９５は、該書込開始要求に含まれる発行番号が図３（ｃ）に示す書込状況ＤＢで記憶されているか否かを判定する（Ｓａ２９）。ここで発行番号が記憶されていなければ（ＮＯ）、書込状況ＤＢで、前記書込開始要求に含まれる携帯電話ＩＤに対応付けて、該書込開始要求に含まれる発行番号及び発行額を記憶し、かつ書込済フラグとして「０（即ち書込処理が完了していない旨）」を記憶して（Ｓａ３０）、書込実行情報を前記携帯電話８に対して送信する（Ｓａ３１）。一方、Ｓａ２９で発行番号が記憶されていれば（ＹＥＳ）、該発行番号に対応付けて書込状況ＤＢで書込済フラグとして「１（即ち書込処理が完了している旨）」が記憶されているか否かを判定する（Ｓａ３２）。ここで書込済フラグとして「１」が記憶されていれば（ＹＥＳ）、書込済である旨を示す書込済画面を前記携帯電話８に対して送信する。一方、書込済フラグとして「０」が記憶されていれば（ＮＯ）、Ｓａ３１の書込実行情報を前記携帯電話８に対して送信する（Ｓａ３１）。
【００６４】
該書込実行情報を送信したリモート発行サーバ９５は、携帯電話８のＩＣチップで記憶している電子マネー使用プログラムを介さずに、該ＩＣチップと直接やり取りを行うことにより、発行額を携帯電話８のＩＣチップに記憶（チャージ）する。具体的には、該ＩＣチップのＣＰＵに対して前記発行額の書込を指示し、該ＣＰＵがＥＥＰＲＯＭで記憶している電子マネー額に該発行額を加算することにより、書込処理を行う（Ｓａ３３）。そして該書込処理が完了すると、書込完了情報を当該携帯電話８に対して送信し（Ｓａ３４）、書込情報ＤＢで、当該発行番号に対応する書込済フラグとして「１」を記憶する（Ｓａ３５）。
【００６５】
前記書込完了情報を受信した携帯電話８では、電子マネー使用プログラムに含まれるＤＫ１７（図７を参照）の画面がディスプレイに表示される。このＤＫ１７では、Ｓａ２８に含まれる発行額が今回チャージ額として表示されると共に、チャージ後にＩＣチップで記憶している電子マネー額の残高が表示される。なおＤＫ１７で「メニュー」ボタンが操作されると、図４のＤＫ１０に示すメニュー画面に戻る。
【００６６】
このようにして携帯電話８に記憶（チャージ）された電子マネー額は、該携帯電話８が図８に示すカードユニット２０の携帯電話Ｒ／Ｗ２８に近接される（かざされる）ことにより、該携帯電話Ｒ／Ｗ２８と携帯電話８に搭載されているＩＣチップとの間で相互認証が行われた後に、電子マネー玉貸処理に使用されるが、これについては後述する。また図７のＤＫ１８についても後述する。
【００６７】
図４に戻り、前記ＤＫ１０で「２．残高照会」が選択されると、ＩＣチップで記憶している携帯電話ＩＤ及び電子マネー額を含む残高照会要求が、インターネットを介して、電子マネー管理サーバ８０に対して送信される。
【００６８】
該残高照会要求を受信した電子マネー管理サーバ８０は、該残高照会要求に含まれる電子マネー額が、該残高照会要求に含まれる携帯電話ＩＤに対応付けて図３（ａ）に示す電子マネーＤＢで記憶している電子マネー額と一致するか否かの照合を行い、該電子マネー額の照合が一致である場合には、残高照会一致通知を、前記携帯電話８に対して送信する。該残高照会一致通知を受信した携帯電話８では、前記記憶している電子マネー額を示す画面がディスプレイに表示される。なお電子マネー管理サーバ８０において電子マネー額の照合が不一致である場合には、電子マネー使用不可通知が携帯電話８に対して送信され、該携帯電話８で記憶されている電子マネー額の使用が不可となる。
【００６９】
前記ＤＫ１０で「３．登録情報変更」が選択されると、前記電子マネー使用プログラムに含まれる前記ＤＫ１と同様の登録情報変更画面がディスプレイに表示され、この登録情報変更画面で各入力欄に入力されて「次へ」ボタンが操作されると、該入力された内容（即ち氏名及び銀行名）及び表示された内容（即ち電子メールアドレス）と、ＩＣチップで記憶している携帯電話ＩＤとを含む登録情報変更要求が、インターネットを介して、電子マネー管理サーバ８０に対して送信される。
【００７０】
該登録情報変更要求を受信した電子マネー管理サーバ８０は、図３（ａ）に示す電子マネーＤＢで、該登録情報変更要求に含まれる携帯電話ＩＤに対応付けて、該登録情報変更要求に含まれる氏名，銀行名，及び電子メールアドレスを記憶すると共に、変更完了通知を、前記携帯電話８に対して送信する。該変更完了通知を受信した携帯電話８では、登録情報の変更が完了した旨を示す画面がディスプレイに表示される。
【００７１】
前記ＤＫ１０で「４．店舗会員登録」が選択されると、前記電子マネー使用プログラムに含まれるＤＫ２１に示す店舗会員登録画面がディスプレイに表示される。このＤＫ２１では、店舗会員として登録済の会員カードＩＤの入力を促す旨が表示されると共に、該会員カードＩＤの入力欄が表示される。
【００７２】
このＤＫ２１で会員カードＩＤ（例えばＡＭ００００１）が入力されて「登録」ボタンが操作されると、該入力された会員カードＩＤと、ＩＣチップで記憶している携帯電話ＩＤとを含む店舗会員登録要求が、インターネットを介して、電子マネー管理サーバ８０に対して送信される。
【００７３】
該店舗会員登録要求を受信した電子マネー管理サーバ８０は、該店舗会員登録要求に含まれる会員カードＩＤと携帯電話ＩＤとを含む携帯電話ＩＤ登録要求を、広告管理装置６０に対して送信する。なお、該携帯電話ＩＤ登録要求を受信した広告管理装置６０では、携帯電話ＩＤ登録処理が行われて、図２（ａ）に示す会員情報ＤＢで、携帯電話ＩＤ登録要求に含まれる会員カードＩＤと携帯電話ＩＤとが対応付けて登録される。
【００７４】
なお、ＤＫ２又はＤＫ２１で会員カードＩＤ（ここではＡＭ００００１）を入力して初回の店舗会員登録を行った会員が、別の店舗会員登録として、ＤＫ２１で別の会員カードＩＤ（例えばＤＭ００００１）を入力して「登録」ボタンを操作した場合にも、該入力された会員カードＩＤと、ＩＣチップで記憶している携帯電話ＩＤとを含む店舗会員登録要求が、インターネットを介して、電子マネー管理サーバ８０に対して送信され、電子マネー管理サーバ８０及び広告管理装置６０において、前述した初回の店舗会員登録時と同様の処理が行われる。
【００７５】
ここで本実施形態に係る情報表示・配信システム１は、［１］遊技用装置として機能するカードユニット２０，残額管理装置３０，会員管理装置３１，持玉数管理装置３２，及び電子マネー管理サーバ８０により実現される「遊技機能」と、［２］予約端末及び予約確定端末として機能するカードユニット２０，予約確定端末４０，景品管理装置７０，及び配送管理装置８５により実現される「景品交換機能」と、［３］情報表示装置として機能するカードユニット２０，場内管理装置５０，及び広告管理装置６０により実現される「宣伝表示機能」と、［４］情報表示装置として機能するカードユニット２０，及び広告管理装置６０により実現される「アンケート告知表示機能」と、［５］広告管理装置６０により実現される「情報配信機能」と、広告管理装置６０，電子マネー管理サーバ８０，及び金融機関サーバ９０Ｂとにより実現される「電子マネー発行機能」とを備えている。以下においては、これら５つの機能の各々について説明する。また、以下においては、リーダ／ライタを「Ｒ／Ｗ」，データベースを「ＤＢ」，ステップを「Ｓ」と略記する。
【００７６】
［１．遊技機能］
情報表示・配信システム１の第１の機能である遊技機能は、遊技用装置として機能するカードユニット２０と、残額管理装置３０と、会員管理装置３１と、持玉数管理装置３２と、電子マネー管理サーバ８０とにより実現される。この遊技機能では、カードユニット２０により、残額管理装置３０で管理している管理残額のうちの所定額に相当するパチンコ玉を貸与して遊技に使用させる玉貸処理と、会員管理装置３１で管理している貯玉数のうちの所定数のパチンコ玉を返却して遊技に使用させる貯玉再プレイ処理と、持玉数管理装置３２で管理している持玉数のうちの所定数のパチンコ玉を返却して遊技に使用させる持玉返却処理と、携帯電話８が記憶している電子マネー額のうちの所定額に相当するパチンコ玉を貸与して遊技に使用させる電子マネー玉貸処理とが、主に行われる。
【００７７】
このカードユニット２０は、図１及び図８に示すように、パチンコ機１０に対応して（パチンコ機１０の向かって左側に隣接して）設けられる。このパチンコ機１０は遊技機の一例であって、遊技媒体であるパチンコ玉を遊技領域に打ち込むことにより遊技を行うものであり、ここでは対応するカードユニット２０との間でパチンコ玉の貸与に関する信号のやり取りが行われて玉貸処理や電子マネー玉貸処理が行われる、いわゆるＣＲ式のパチンコ機である。このパチンコ機１０は、遊技場内に配置された遊技島（図示外）において該パチンコ機１０の機種等に従って設置されている。
【００７８】
このパチンコ機１０は、図８（ａ）に示すように、その前面に遊技領域，残度数表示器１４，玉貸ボタン１５，カード返却ボタン１６，上皿１７，下皿１８，及び発射ハンドル等を備えると共に、図１に示すように、その内部に遊技制御基板１１，払出制御基板１２，及び玉払出装置１３等を備えており、これらの各構成要素は図１に示すように接続されている。またパチンコ機１０の下側には、各台計数機１９が設けられている。
【００７９】
遊技制御基板１１は、パチンコ機１０における遊技状態を制御するものである。払出制御基板１２は、カードユニット２０の後述する玉貸通信部２１ａと通信可能に接続され、パチンコ機１０とカードユニット２０との間における通信を司るものである。これにより、玉貸処理や電子マネー玉貸処理が行われる場合に、パチンコ機１０とカードユニット２０との間でパチンコ玉の貸出に関する信号のやり取りが行われる。また払出制御基板１２は、玉払出装置１３と接続され、該玉払出装置１３を制御するものである。さらに払出制御基板１２は、残度数表示器１４，玉貸ボタン１５，及びカード返却ボタン１６とも接続されている。玉払出装置１３は、玉貸処理が行われて遊技者に貸し出されたパチンコ玉や、遊技の結果として遊技者に付与されるパチンコ玉（いわゆる賞球）を払い出すものである。
【００８０】
残度数表示器１４は、カードユニット２０のカードＲ／Ｗ２３にて受け付けているカード（会員カード２又はビジタカード３）のカードＩＤ（会員カードＩＤ又はビジタカードＩＤ）に対応付けて後述する残額管理装置３０で管理されている管理残額に相当する残度数を表示するための表示器である。ここで残度数は、管理残額が所定の比率で変換されたもの（例えば１００円＝１度数）である。この残度数表示器１４では、玉貸通信部２１ａから残度数を示す度数表示信号が入力されることにより、残度数が表示される。
【００８１】
玉貸ボタン１５は、管理残額を玉貸処理に使用させるための玉貸操作を受け付けるボタンである。この玉貸ボタン１５が操作されたことにより、玉貸通信部２１ａに貸出入力信号が入力され、該入力の検出によってカードユニット２０の制御部２２が、玉貸ボタン１５が操作された旨を認識する。
【００８２】
カード返却ボタン１６は、カードユニット２０のカードＲ／Ｗ２３にて受け付けているカード（会員カード２又はビジタカード３）を該カードユニット２０の外部に排出するための排出操作を受け付けるものである。このカード返却ボタン１６が操作されたことにより、玉貸通信部２１ａに返却入力信号が入力され、該入力の検出によってカードユニット２０の制御部２２が、カード返却ボタン１６が操作された旨を認識して、カードＲ／Ｗ２３にて受け付けているカードの排出制御が行われ、該カードがカード挿入口２３ａから排出されて遊技者に返却される。
【００８３】
上皿１７及び下皿１８は、玉払出装置１３から払い出されたパチンコ玉を貯留するものである。なお上皿１７に貯留されているパチンコ玉は、上皿レバー（図示外）を操作することにより、下皿１８に供給され、該下皿１８に貯留されているパチンコ玉は、下皿レバー（図示外）を操作することにより、各台計数機１９に供給される。各台計数機１９は、計数ボタン（図示外）の操作に基づいて、下皿１８から供給されたパチンコ玉を計数するものであり、カードユニット２０の後述する計数機通信部２１ｄと通信可能に接続されている。この各台計数機１９でパチンコ玉が計数されたことにより、計数機通信部２１ｂに該計数値を示す計数値情報が入力され、該計数値情報が示す計数値が持玉数に加算される。なお各台計数機１９により計数されたパチンコ玉は、遊技島に設けられた打込玉回収樋（図示外）に導かれて回収される。
【００８４】
このパチンコ機１０において、玉払出装置１３から払い出されたパチンコ玉は、上皿１７に供給され、発射ハンドルの操作により遊技領域の内部に打ち込まれて、遊技が行われる。そして該打ち込まれたパチンコ玉が、遊技領域に形成された入賞口に入賞すると、払出制御基板１２から発せられる払出信号に基づいて、賞球として玉払出装置１３からパチンコ玉が払い出され、上皿１７又は下皿１８に供給される。なお打ち込まれたパチンコ玉は、遊技島内の打込玉回収樋（図示外）に導かれて回収される。またパチンコ機１０からは、打ち込まれたパチンコ玉が始動入賞口に入賞した旨を示すスタート信号や、大当りが発生した旨を示す大当り信号等の遊技情報が出力され、該遊技情報は、遊技場内に設けられる遊技データ管理装置（図示外）に入力されて、遊技データとして管理される。
【００８５】
次に図１に戻り、残額管理装置３０，会員管理装置３１，及び持玉数管理装置３２について説明する。残額管理装置３０は、カード（会員カード２又はビジタカード３）のカードＩＤ（会員カードＩＤ又はビジタカードＩＤ）に対応付けて、遊技媒体であるパチンコ玉の貸与に使用される管理残額を管理するものである。この残額管理装置３０は、以下のようにして、管理残額を加算又は減算する。まず残額加算処理（図９のＳ４４，図１０のＳ７１）が行われたカードユニット２０やチャージ機（図示外）からカードＩＤと該残額加算処理に供された入金額とを含む入金要求を受信すると、該カードＩＤに対応付けて管理している管理残額に該入金額を加算する。また玉貸処理（図１０のＳ７３）が行われたカードユニット２０からカードＩＤと該玉貸処理で使用された玉貸使用額とを含む残額減算要求を受信すると、該カードＩＤに対応付けて管理している管理残額から該玉貸使用額を減算する。
【００８６】
会員管理装置３１は、会員カード２の会員カードＩＤに対応付けて、暗証番号及び属性情報を管理するものであると共に、会員が獲得した持玉数が貯蓄されてなる貯玉数を管理するものである。ここで貯玉数は、貯蓄が行われた当日及び翌日以降において、貯玉再プレイ処理及び景品交換に使用可能である。この会員管理装置３１は、以下のようにして、管理している貯玉数を加算又は減算する。まず貯玉処理が行われたＰＯＳ端末（図示外）から会員カードＩＤと該貯玉処理に供された持玉数とを含む貯玉数加算要求を受信すると、該会員カードＩＤに対応付けて管理している貯玉数に該貯玉処理に供された持玉数を加算する。また貯玉再プレイ処理（図１０のＳ７４）が行われたカードユニット２０から会員カードＩＤを含む貯玉再プレイ情報を受信すると、該会員カードＩＤに対応付けて管理している貯玉数から貯玉再プレイ処理で返却される所定玉数（例えば１２５個）＋手数料に相当する手数料玉数（例えば２５個）を減算する。即ち貯玉再プレイ処理においては、手数料が徴収される。また景品交換が行われて決済処理（図１１のＳ１４３）が行われたカードユニット２０から会員カードＩＤと該景品交換に使用された貯玉数とを含む貯玉数減算要求を受信すると、該会員カードＩＤに対応付けて管理している貯玉数から該景品交換に供された貯玉数を減算する。さらに景品交換が行われて減算処理が行われたＰＯＳ端末（図示外）から会員カードＩＤと該景品交換に使用された貯玉数とを含む貯玉数減算要求を受信すると、該会員カードＩＤに対応付けて管理している貯玉数から該景品交換に供された貯玉数を減算する。
【００８７】
持玉数管理装置３２は、カード（会員カード２又はビジタカード３）のカードＩＤ（会員カードＩＤ又はビジタカードＩＤ）に対応付けて、遊技者が獲得したパチンコ玉が計数されてなる持玉数を管理するものである。ここで持玉数は、計数が行われた当日のみ、持玉返却処理及び景品交換に使用可能であり、当日の営業が終了すると、会員カードＩＤに対応付けられている持玉数は会員管理装置３１に送信されて貯玉数として管理され、ビジタカードＩＤに対応付けられている持玉数は無効となる。この持玉数管理装置３２は、以下のようにして、管理している持玉数を加算又は減算する。まず持玉数加算処理（図１０のＳ７２）が行われたカードユニット２０からカードＩＤと該持玉数加算処理に供された持玉数とを含む持玉数加算要求を受信すると、該会員カードＩＤに対応付けて管理している持玉数に該持玉数加算処理に供された持玉数を加算する。また持玉数加算処理が行われたＰＯＳ端末（図示外）からカードＩＤと該持玉数加算処理に供された持玉数とを含む持玉数加算要求を受信すると、該会員カードＩＤに対応付けて管理している持玉数に該持玉数加算処理に供された持玉数を加算する。また持玉返却処理（図１０のＳ７５）が行われたカードユニット２０からカードＩＤを含む貯玉返却情報を受信すると、該カードＩＤに対応付けて管理している持玉数から持玉返却処理で返却される返却玉数を減算する。即ち持玉返却処理においては、前記貯玉再プレイ処理と異なり、手数料は徴収されない。また減算される返却玉数は、管理している持玉数が所定玉数（例えば１２５個以上）であれば当該所定玉数であり、管理している持玉数が所定玉数未満であれば当該持玉数であり、後者の場合には減算後の持玉数が０になる。また景品交換が行われて決済処理（図１１のＳ１４３）が行われたカードユニット２０からカードＩＤと該景品交換に使用された持玉数とを含む持玉数減算要求を受信すると、該カードＩＤに対応付けて管理している持玉数から該景品交換に供された持玉数を減算する。さらに景品交換が行われて減算処理が行われたＰＯＳ端末（図示外）からカードＩＤと該景品交換に使用された持玉数とを含む持玉数減算要求を受信すると、該カードＩＤに対応付けて管理している持玉数から該景品交換に供された持玉数を減算する。
【００８８】
次に遊技用装置として機能するカードユニット２０について説明する。カードユニット２０は、図８に示すように、縦長の箱型の形状を呈するものであり、図８（ａ）に示すように、その前面に紙幣挿入口２６ａ，突出部２０ａ，ノズル２７ａ，カード挿入口２３ａ，及び携帯電話近接部２８ａ等を備え、図８（ｂ）に示すように、その内部に玉貸通信部２１ａ，場内通信部２１ｂ，場外通信部２１ｃ，計数機通信部２１ｄ，制御部２２，カードＲ／Ｗ２３，ビジタカードストッカ２３ｂ，紙幣識別機２６，玉払出装置２７，及び携帯電話Ｒ／Ｗ２８等を備え、突出部２０ａの右側面（即ち遊技者に向く側）にタッチパネル式のディスプレイ２４を備え、突出部２０ａの内部にレシートプリンタ２５を備え、突出部２０ａの下面にレシート排出口２５ａを備えており、これらの各構成要素は図１に示すように接続されている。このカードユニット２０は、対応するパチンコ機１０と共に、台番号により個々に識別可能とされている。
【００８９】
玉貸通信部２１ａは、図１に示すように、対応するパチンコ機１０の払出制御基板１２と通信可能に接続され、玉貸処理や電子マネー玉貸処理が行われる場合に、パチンコ機１０とカードユニット２０との間でパチンコ玉の貸与に関する信号のやり取りを行うものである。場内通信部２１ｂは、残額管理装置３０，会員管理装置３１，持玉数管理装置３２，及び場内管理装置５０と通信可能に接続され、カードユニット２０と、残額管理装置３０，会員管理装置３１，持玉数管理装置３２，及び場内管理装置５０との間における通信を司るものである。場外通信部２１ｃは、ルータ３３及びインターネットを介して、景品管理装置７０の通信部７１，及び電子マネー管理サーバ８０と通信可能に接続されている。計数機通信部２１ｄは、前述の如く、対応するパチンコ機１０の各台計数機１９と通信可能に接続され、パチンコ玉の計数が行われた各台計数機１９から、該パチンコ玉の計数値を示す計数値情報を受信するものである。
【００９０】
制御部２２は、ＣＰＵ，ＲＡＭ，ＲＯＭ，ＥＥＰＲＯＭ等を備えており、ＲＯＭあるいはＥＥＰＲＯＭに記憶されている処理プログラムがＲＡＭを作業領域としてＣＰＵで実行されることにより、カードユニット２０に備えられる各構成要素の動作を制御して各種の処理を行うものであるが、その機能については図９〜図１２を参照して後述する。このＥＥＰＲＯＭには、前記台番号が記憶されている。
【００９１】
カードＲ／Ｗ２３は有価価値特定情報受付手段の一例であって、自店で発行されたカード（会員カード２又はビジタカード３）をカード挿入口２３ａから受け付けて、該受け付けたカードに記録されているカードＩＤ（会員カードＩＤ又はビジタカードＩＤ）を読み取ることにより、ユーザが所有する有価価値の大きさを特定可能な有価価値特定情報であるカードＩＤを受け付けるものである。ビジタカードストッカ２３ｂは、カードＲ／Ｗ２３の背後において該カードＲ／Ｗ２３に連通して設けられ、複数枚のビジタカード３をストックしておくものである。
【００９２】
ここでカードＲ／Ｗ２３が受け付けているビジタカード３のビジタカードＩＤに対応付けられている（即ち制御部２２のＲＡＭで記憶している）残額及び持玉数が共に零になると、該ビジタカード３はカードＲ／Ｗ２３に留保され、カード返却ボタン１６の操作を受け付けても返却されない。またカードＲ／Ｗ２３がビジタカード３を留保している状態でカード挿入口２３ａから会員カード２又はビジタカード３が挿入されると、該留保しているビジタカード３はビジタカードストッカ２３ｂに収納され、カードＲ／Ｗ２３は、前記挿入された会員カード２又はビジタカード３を受け付ける。またカードＲ／Ｗ２３がビジタカード３を留保していない状態で紙幣識別機２６により紙幣を受け付けると、ビジタカードストッカ２３ｂでストックしている複数枚のビジタカード３のうちの１枚がカードＲ／Ｗ２３に搬送され、カードＲ／Ｗ２３は、該搬送されたビジタカード３を受け付ける。
【００９３】
タッチパネル式のディスプレイ２４は、各種の情報を表示する表示デバイスであると共に、各種の情報の入力を受け付ける入力デバイスであるが、その機能については図１４〜図１８を参照して後述する。このディスプレイ２４は、各種の情報を表示すると共に画面に表示されるボタンに触れることにより各種の情報の入力を受け付けるメッセージ表示領域２４ａと、画面に表示される操作キーを操作することにより各種の情報の入力を受け付ける操作キー表示領域２４ｂとを備えている。以下においては、各種の情報をメッセージ表示領域２４ａに表示することを、単に「ディスプレイ２４に表示する」と称し、操作キー表示領域２４ｂに表示される操作キーを操作することを、単に「操作キーを操作する」と称する。なお図示しないが、操作キー表示領域２４ｂには「メニュー」ボタンが設けられており、カードの受付中に該「メニュー」ボタンが操作されると、図１４のＤ１３ａ又はＤ１３ｂに示すメニュー画面に戻る。また操作キー表示領域２４ｂには「戻る」ボタンが設けられており、カードの受付中に該「戻る」ボタンが操作されると、一つ前の画面に戻る。さらに操作キー表示領域２４ｂには「決定」ボタンが設けられている。
【００９４】
レシートプリンタ２５は、後述する［２．景品交換機能］を実現する際に、図２５（ａ）に示す予約レシート５，及び図２５（ｂ）に示す配送レシート５を印刷し、レシート排出口２５ａから排出して発行するものである。
【００９５】
紙幣識別機２６は、紙幣（１０００円紙幣，２０００円紙幣，５０００円紙幣，又は１００００円紙幣）を紙幣挿入口２６ａから受け付けて、該受け付けた紙幣を識別するものである。この識別により、受け付けた紙幣が正規の紙幣でなければ、該紙幣を紙幣挿入口２６ａから排出して返却し、受け付けた紙幣が正規の紙幣であれば、該紙幣をカードユニット２０の背面から排出して、識別された紙幣の額である入金額を制御部２２に出力する。なおカードユニット２０の背面から排出された紙幣は、遊技島に設けられた紙幣搬送機構（図示外）に導かれて搬送され、遊技島に設けられた金庫（図示外）に回収される。
【００９６】
玉払出装置２７は、遊技島に設けられた補給樋（図示外）からパチンコ玉の供給を受けて、該パチンコ玉をノズル２７ａを介してパチンコ機１０の上皿１７に払い出すものである。この玉払出装置２７からは、貯玉再プレイ処理又は持玉返却処理が行われると、予め定められた個数（例えば１２５個）のパチンコ玉が払い出される。
【００９７】
携帯電話Ｒ／Ｗ２８は電子マネー記憶媒体受付手段の一例であって、携帯電話８を受け付けて、該受け付けた携帯電話８から携帯電話ＩＤと電子マネー額とを読み取ると共に、後述する電子マネー玉貸処理が行われると、該電子マネー玉貸処理に使用される電子マネー使用額を減算した後の電子マネー額を記録する（書き込む）ものである。
【００９８】
具体的には、携帯電話Ｒ／Ｗ２８は、「ケイタイ  ＴＯＵＣＨ」と表示されている携帯電話近接部２８ａを中心とした半球型の空間に向けて、携帯電話８のＩＣチップにアクセスするための電磁波を発信しており、携帯電話８が携帯電話近接部２８ａに近接される（かざされる）ことにより当該空間に入ってくると、該携帯電話８のＩＣチップから、携帯電話ＩＤと電子マネー額とを読み取り、電子マネー玉貸処理が行われると、該電子マネー玉貸処理に使用される電子マネー使用額を減算した後の電子マネー額に書き換える。
【００９９】
ここでカードユニット２０が行うメイン処理を、図９及び図１０に示すフローチャートに基づき、図１４に示す画面図を参照しながら説明する。まずカードユニット２０は、図１４のＤ１１に示す画面をディスプレイ２４に表示する（Ｓ００）。このＤ１１では、会員カード２又はビジタカード３の挿入を促す旨，及び紙幣の挿入を促す旨が表示されると共に、「遊技データ」ボタンが表示される。カードユニット２０は、このＤ１１が表示されているＳ００の状態で、カードＲ／Ｗ２３による会員カード２の受付（Ｓ０１），カードＲ／Ｗ２３によるビジタカード３の受付（Ｓ０２），紙幣識別機２６による紙幣の受付（Ｓ０３），携帯電話Ｒ／Ｗ２８による携帯電話８の受付（Ｓ０４），又は遊技データ表示操作の受付（図示外）を待機する。なおＳ００の状態では、計数ボタンの操作の受付，玉貸ボタン１５の操作の受付，及びカード返却ボタン１６の操作の受付は、無効とされる。
【０１００】
ここで遊技データ表示操作、即ちＤ１１で表示される「遊技データ」ボタンの操作の受付が有ると（ＹＥＳ）、遊技データ表示処理（図示外）を行う。この遊技データ表示処理では、遊技データ管理装置（図示外）で管理している当該カードユニット２０に対応するパチンコ機１０の遊技データを該遊技データ管理装置から取得してディスプレイ２４に表示する。該遊技データを表示してから所定時間が経過すると、遊技データ表示処理を終了し、前記Ｄ１１をディスプレイ２４に表示して、Ｓ０１に戻る。
【０１０１】
また前記Ｓ０１でカードＲ／Ｗ２３による会員カード２の受付が有ると（ＹＥＳ）、該受け付けた会員カード２に記録されている会員カードＩＤをカードＲ／Ｗ２３で読み取り（Ｓ１１）、図１４のＤ１２に示す画面をディスプレイ２４に表示する（Ｓ１２）。このＤ１２では、暗証番号の入力を促す旨が表示される。このＤ１２が表示されているＳ１２の状態では、暗証番号の入力を待機し（Ｓ１３）、遊技者による操作キーの操作により暗証番号の入力が有ると（ＹＥＳ）、受付中の会員カード２の会員カードＩＤとＳ１３で入力された暗証番号とを含む照合要求を、場内通信部２１ｂから会員管理装置３１に対して送信する（Ｓ１４）。
【０１０２】
この照合要求を受信した会員管理装置３１は、該照合要求に含まれる会員カードＩＤ及び暗証番号と、会員情報ＤＢ（図示外）で記憶している会員カードＩＤ及び暗証番号とを照合し、照合ＯＫであれば、当該会員カードＩＤに対応付けて記憶している属性情報（ここでは氏名，郵便番号，住所，及び電話番号）と貯玉数とを含む照合ＯＫ通知を、前記カードユニット２０に対して送信し、照合ＮＧであれば、照合ＮＧ通知を、前記カードユニット２０に対して返信する。
【０１０３】
Ｓ１４で照合要求を送信したカードユニット２０は、会員管理装置３１から送信されてくる照合ＯＫ通知（Ｓ１５），又は照合ＮＧ通知（Ｓ１６）の受信を待機する。このＳ１６で照合ＮＧ通知の受信が有ると（ＹＥＳ）、受付中の会員カード２を返却して（Ｓ１７）、メイン処理を終了する。一方、Ｓ１５で照合ＯＫ通知の受信が有ると（ＹＥＳ）、該照合ＯＫ通知に含まれる属性情報（ここでは氏名，郵便番号，住所，及び電話番号）と貯玉数とを制御部２２のＲＡＭで記憶して（Ｓ１８）、残額取得処理（Ｓ２０），及び持玉数取得処理（Ｓ２１）を行う。なお残額取得処理及び持玉数取得処理は、いずれが先に行われても良く、また同時並行で行われても良い。
【０１０４】
ここでＳ２０の残額取得処理では、受付中の会員カード２の会員カードＩＤを含む残額取得要求を、場内通信部２１ｂから残額管理装置３０に対して送信して、該残額取得要求に含まれる会員カードＩＤに対応付けて管理されている管理残額を含む残額情報が残額管理装置３０から送信されてくるのを待機し、該残額情報を受信すると、当該残額情報に含まれる管理残額を、制御部２２のＲＡＭで記憶残額として記憶すると共に、該記憶残額に相当する残度数を示す度数表示信号を、玉貸通信部２１ａから払出制御基板１２に対して送信する。
【０１０５】
またＳ２１の持玉数取得処理では、受付中の会員カード２の会員カードＩＤを含む持玉数取得要求を、場内通信部２１ｂから持玉数管理装置３２に対して送信して、該持玉数取得要求に含まれる会員カードＩＤに対応付けて管理されている持玉数を含む持玉数情報が持玉数管理装置３２から送信されてくるのを待機し、該持玉数情報を受信すると、当該持玉数情報に含まれる持玉数を、制御部２２のＲＡＭで記憶する。
【０１０６】
Ｓ２０〜Ｓ２１の処理を行ったカードユニット２０は、受付中の会員カード２の会員カードＩＤと制御部２２のＲＡＭで記憶している貯玉数及び持玉数を含むカード挿入情報を、場内通信部２１ｂから場内管理装置５０に対して送信し（Ｓ２２）、図１４のＤ１３ａに示す会員メニュー画面をディスプレイ２４に表示して（Ｓ２３）、図１０のＳ５１に進む。このＤ１３ａでは、受付中の会員カード２の会員カードＩＤと制御部２２のＲＡＭで記憶している貯玉数及び持玉数とが表示されると共に、「貯玉再プレイ」ボタン，「持玉返却」ボタン，「遊技データ」ボタン，「景品予約」ボタン，「宣伝一覧」ボタン，及び「アンケート告知」ボタンが表示される。なおカード挿入情報を受信した場内管理装置５０は、後述する図３５に示す宣伝表示履歴ＤＢを更新する処理を行うが、これについては図３６を参照して後述する。
【０１０７】
また前記Ｓ０２でカードＲ／Ｗ２３によるビジタカード３の受付が有ると（ＹＥＳ）、該受け付けたビジタカード３に記録されているビジタカードＩＤをカードＲ／Ｗ２３で読み取って（Ｓ３１）、残額取得処理（Ｓ３２），及び持玉数取得処理（Ｓ３３）を行う。なお残額取得処理及び持玉数取得処理は、いずれが先に行われても良く、また同時並行で行われても良い。
【０１０８】
ここでＳ３２の残額取得処理では、受付中のビジタカード３のビジタカードＩＤを含む残額取得要求を、場内通信部２１ｂから残額管理装置３０に対して送信して、該残額取得要求に含まれるビジタカードＩＤに対応付けて管理されている管理残額を含む残額情報が残額管理装置３０から送信されてくるのを待機し、該残額情報を受信すると、当該残額情報に含まれる管理残額を、制御部２２のＲＡＭで記憶残額として記憶すると共に、該記憶残額に相当する残度数を示す度数表示信号を、玉貸通信部２１ａから払出制御基板１２に対して送信する。
【０１０９】
またＳ３３の持玉数取得処理では、受付中のビジタカード３のビジタカードＩＤを含む持玉数取得要求を、場内通信部２１ｂから持玉数管理装置３２に対して送信して、該持玉数取得要求に含まれるビジタカードＩＤに対応付けて管理されている持玉数を含む持玉数情報が持玉数管理装置３２から送信されてくるのを待機し、該持玉数情報を受信すると、当該持玉数情報に含まれる持玉数を、制御部２２のＲＡＭで記憶する。
【０１１０】
Ｓ３２〜Ｓ３３の処理を行ったカードユニット２０は、受付中のビジタカード３のビジタカードＩＤと制御部２２のＲＡＭで記憶している持玉数を含むカード挿入情報を、場内通信部２１ｂから場内管理装置５０に対して送信し（Ｓ３４）、図１４のＤ１３ｂに示すビジタメニュー画面をディスプレイ２４に表示して（Ｓ３５）、図１０のＳ５１に進む。このＤ１３ｂでは、受付中のビジタカード３のビジタカードＩＤと制御部２２のＲＡＭで記憶している持玉数とが表示されると共に、「持玉返却」ボタン，「遊技データ」ボタン，「景品予約」ボタン，及び「宣伝一覧」ボタンが表示されるが、Ｄ１３ａとは異なり、「アンケート告知」ボタンは表示されない。会員に対しては、アンケートに対する回答を受け付けたことにより特典電子マネーが付与されるが、ビジタに対しては、該特典電子マネーは付与されないからである。なおカード挿入情報を受信した場内管理装置５０は、後述する図３５に示す宣伝表示履歴ＤＢを更新する処理を行うが、これについては図３６を参照して後述する。
【０１１１】
また前記Ｓ０３で紙幣識別機２６による紙幣の受付が有ると（ＹＥＳ）、該受け付けた紙幣を紙幣識別機２６で識別し、正規の紙幣であれば、カードＲ／Ｗ２３で留保しているビジタカード３が有るか否かを判定する（Ｓ４１）。このＳ４１で留保しているビジタカード３が無い（ＮＯ）と判定された場合には、ビジタカードストッカ２３ｂがストックしている複数枚のビジタカード３のうちの１枚をカードＲ／Ｗ２３に搬送して受け付け（Ｓ４２）、該受け付けたビジタカード３に記録されているビジタカードＩＤをカードＲ／Ｗ２３で読み取って（Ｓ４３）、残額加算処理（Ｓ４４）を行う。一方、Ｓ４１で留保しているビジタカード３が有る（ＹＥＳ）、即ちビジタカード３を受付中であると判定された場合には、該受け付けているビジタカード３に記録されているビジタカードＩＤをカードＲ／Ｗ２３で読み取って（Ｓ４３）、残額加算処理（Ｓ４４）を行う。
【０１１２】
この残額加算処理では、受付中のカードのカードＩＤと該識別した紙幣の額である入金額とを含む入金要求を、場内通信部２１ｂから残額管理装置３０に対して送信して、該入金要求に含まれるカードＩＤに対応付けて管理されている管理残額に対して該入金要求に含まれる入金額を加算した後の管理残額を含む残額加算完了通知が残額管理装置３０から送信されてくるのを待機し、該残額加算完了通知を受信すると、当該残額加算完了通知に含まれる加算後の管理残額を、制御部２２のＲＡＭで記憶残額として記憶すると共に、該記憶残額に相当する残度数を示す度数表示信号を、玉貸通信部２１ａから払出制御基板１２に対して送信する。この残額加算処理を終了すると、前記Ｓ３４及びＳ３５の処理を行って、図１０のＳ５１に進むが、Ｓ３４で送信されるカード挿入情報に含まれる持玉数は零であり、Ｓ３５において図１４に示すＤ１３ｂで表示される持玉数も零である。
【０１１３】
また前記Ｓ０４で携帯電話８の受付が有ると（ＹＥＳ）、電子マネー玉貸処理及び電子マネー額減算処理（Ｓ０５）を行う。これら電子マネー玉貸処理及び電子マネー額減算処理は、いずれが先に行われても良く、また同時並行で行われても良い。まず電子マネー玉貸処理では、受け付けた携帯電話８から携帯電話ＩＤと電子マネー額とを読み取って、該読み取った電子マネー額が予め設定された電子マネー玉貸設定額（例えば１０００円）以上であるか否かを判定し、該電子マネー額が電子マネー玉貸設定額以上であれば、該電子マネー玉貸設定額に相当する数のパチンコ玉の払出を、玉貸通信部２１ａから払出制御基板１２に対して指令する。なお電子マネー額が電子マネー玉貸設定額未満であれば、電子マネー玉貸処理及び電子マネー額減算処理は行われない。
【０１１４】
次に電子マネー額減算処理では、携帯電話８が記憶している電子マネー額を、該電子マネー額から当該電子マネー玉貸処理に使用された電子マネー使用額（即ち電子マネー玉貸設定金額である１０００円）を減算した後の電子マネー額に書き換えると共に、電子マネー使用額，携帯電話ＩＤ，及び電子マネー額を含む電子マネー額減算要求を、場外通信部２１ｃからルータ３３及びインターネットを介して電子マネー管理サーバ８０に対して送信する。そして電子マネー玉貸処理及び電子マネー額減算処理を終了すると、Ｓ０１に戻る。
【０１１５】
前記電子マネー額減算要求を受信した電子マネー管理サーバ８０は、図示しないが、該電子マネー額減算要求に含まれる電子マネー額が、該電子マネー額減算要求に含まれる携帯電話ＩＤに対応付けて図３（ａ）に示す電子マネーＤＢで記憶している電子マネー額と一致するか否かの照合を行い、該電子マネー額の照合が一致である場合には、該電子マネーＤＢで記憶している電子マネー額から、受信した電子マネー使用額を減算更新する。なお電子マネー額の照合が不一致である場合には、電子マネー使用不可通知が携帯電話８に対して送信され、該携帯電話８で記憶されている電子マネー額の使用が不可となる。
【０１１６】
図１０に進み、カードユニット２０は、前記Ｄ１３ａが表示されているＳ２３の状態又は前記Ｄ１３ｂが表示されているＳ３５の状態で、紙幣識別機２６による紙幣の受付（Ｓ５１），各台計数機１９から送信されてくる前記計数値情報の受信（Ｓ５２），玉貸操作の受付（Ｓ５３），貯玉再プレイ操作の受付（Ｓ５４），持玉返却操作の受付（Ｓ５５），携帯電話Ｒ／Ｗ２８による携帯電話８の受付（Ｓ５６），景品予約操作の受付（Ｓ５７），宣伝一覧表示操作の受付（Ｓ５８），場内管理装置５０から送信されてくる後述する宣伝自動表示要求の受信（Ｓ５９），場内管理装置５０から送信されてくる後述する宣伝再表示要求の受信（Ｓ６０），アンケート告知表示操作の受付（Ｓ６１），カード返却操作の受付（Ｓ６２），又は遊技データ表示操作の受付（図示外）を待機する。なおＤ１３ａ又はＤ１３ｂで「遊技データ」ボタンの操作の受付が有ると、図１０では示さないが、前述したのと同様の遊技データ表示処理を行う。また前記Ｄ１３ｂでは、「貯玉再プレイ」ボタン及び「アンケート告知」ボタンは表示されないため、Ｓ３５の状態では、貯玉再プレイ操作及びアンケート告知表示操作が受け付けられることは無い。
【０１１７】
このＳ５１で紙幣識別機２６による紙幣の受付が有ると（ＹＥＳ）、該受け付けた紙幣を紙幣識別機２６で識別し、正規の紙幣であれば、残額加算処理（Ｓ７１）を行う。この残額加算処理は、図９のＳ４４で説明した残額加算処理と同様である。この残額加算処理を終了すると、前記Ｄ１３ａ又はＤ１３ｂをディスプレイ２４に表示して、Ｓ５１に戻る。
【０１１８】
前記Ｓ５２で各台計数機１９から計数値情報の受信が有ると（ＹＥＳ）、持玉数加算処理（Ｓ７２）を行う。この持玉数加算処理では、受付中のカードのカードＩＤと前記受信した計数値情報が示す計数値（即ち持玉数加算処理に供される持玉数）とを含む持玉数加算要求を、場内通信部２１ｂから持玉数管理装置３２に対して送信して、該持玉数加算要求に含まれるカードＩＤに対応付けて管理されている持玉数に対して該持玉数加算要求に含まれる計数値を加算した後の持玉数を含む持玉数加算完了通知が持玉数管理装置３２から送信されてくるのを待機し、該持玉数加算完了通知を受信すると、当該持玉数加算完了通知に含まれる加算後の持玉数を、制御部２２のＲＡＭで記憶し、受付中のカードのカードＩＤと該加算後の持玉数とを含む持玉数更新要求を、場内通信部２１ｂから場内管理装置５０に対して送信する。なお持玉数更新要求を受信した場内管理装置５０は、後述する図３５に示す宣伝表示履歴ＤＢを更新する処理を行うが、これについては図３６を参照して後述する。この持玉数加算処理を終了すると、制御部２２のＲＡＭで記憶している加算後の持玉数を表示した前記Ｄ１３ａ又はＤ１３ｂをディスプレイ２４に表示して、Ｓ５１に戻る。
【０１１９】
前記Ｓ５３で玉貸操作、即ち玉貸ボタン１５の操作の受付が有ると（ＹＥＳ）、玉貸処理及び残額減算処理（Ｓ７３）を行う。これら玉貸処理及び残額減算処理は、いずれが先に行われても良く、また同時並行で行われても良い。まず玉貸処理では、制御部２２のＲＡＭで記憶している記憶残額（即ち管理残額）が０であるか否かを判定し、該記憶残額が０でなければ、該記憶残額が予め設定された玉貸設定額（例えば５００円）以上であるか否かを判定し、該記憶残額が玉貸設定額以上であれば、該玉貸設定額を玉貸使用額として特定し、該記憶残額が玉貸設定額未満であれば、該記憶残額を玉貸使用額として特定して、該特定した玉貸使用額に相当する数のパチンコ玉の払出を、玉貸通信部２１ａからパチンコ機１０の払出制御基板１２に対して指令する。なお記憶残額が０であれば、玉貸処理及び残額減算処理は行われない。
【０１２０】
次に残額減算処理では、受付中のカードのカードＩＤと玉貸処理に使用された玉貸使用額とを含む残額減算要求を、場内通信部２１ｂから残額管理装置３０に対して送信して、該残額減算要求に含まれるカードＩＤに対応付けて管理されている管理残額から該残額減算要求に含まれる玉貸使用額を減算した後の管理残額を含む残額減算完了通知が残額管理装置３０から送信されてくるのを待機し、該残額減算完了通知を受信すると、当該残額減算完了通知に含まれる減算後の管理残額を、制御部２２のＲＡＭで記憶残額として記憶すると共に、該記憶残額に相当する残度数を示す度数表示信号を、玉貸通信部２１ａから払出制御基板１２に対して送信する。これら玉貸処理及び残額減算処理を終了すると、前記Ｄ１３ａ又はＤ１３ｂをディスプレイ２４に表示して、Ｓ５１に戻る。
【０１２１】
なおカードＲ／Ｗ２３でビジタカード３を受付中である場合には、これら玉貸処理及び残額減算処理の終了後に、該ビジタカード３のビジタカードＩＤに対応付けられている残額（即ち制御部２２のＲＡＭで記憶している記憶残額）及び持玉数が零であるか否かを判定する。ここで残額又は持玉数の少なくとも一方が零でなければ、前記Ｄ１３ａ又はＤ１３ｂをディスプレイ２４に表示して、Ｓ５１に戻る。一方、残額及び持玉数が共に零であれば、受付中のビジタカード３のビジタカードＩＤを含む消去情報を、場内通信部２１ｂから場内管理装置５０に対して送信し、受付中のビジタカード３をカードＲ／Ｗ２３で留保したまま、メイン処理を終了する。従って、前記Ｓ００の状態となるので、該留保しているビジタカード３は、カード返却ボタン１６が操作されても返却されない。なお消去情報を受信した場内管理装置５０は、後述する図３５に示す宣伝表示履歴ＤＢを更新する処理を行うが、これについては図３６を参照して後述する。
【０１２２】
前記Ｓ５４で貯玉再プレイ操作、即ちＤ１３ａで表示される「貯玉再プレイ」ボタンの操作の受付が有ると（ＹＥＳ）、貯玉再プレイ処理及び貯玉数減算処理（Ｓ７４）を行う。これら貯玉再プレイ処理及び貯玉数減算処理は、いずれが先に行われても良く、また同時並行で行われても良い。まず貯玉再プレイ処理では、制御部２２のＲＡＭで記憶している貯玉数が当該貯玉再プレイ処理で返却される所定玉数（例えば１２５個）＋手数料に相当する手数料玉数（例えば２５個）以上であるか否かを判定し、貯玉数が所定玉数＋手数料玉数以上であれば、該所定玉数のパチンコ玉を玉払出装置２７から払い出す。なお貯玉数が所定玉数＋手数料玉数未満であれば、貯玉再プレイ処理及び貯玉数減算処理は行われない。
【０１２３】
次に貯玉数減算処理では、受付中の会員カードの会員カードＩＤを含む貯玉数減算要求を、場内通信部２１ｂから会員管理装置３１に対して送信して、該貯玉数減算要求に含まれる会員カードＩＤに対応付けて管理されている貯玉数から前記所定玉数＋手数料玉数を減算した後の貯玉数を含む貯玉数減算完了通知が会員管理装置３１から送信されてくるのを待機し、該貯玉数減算完了通知を受信すると、当該貯玉数減算完了通知に含まれる減算後の貯玉数を、制御部２２のＲＡＭで記憶し、受付中の会員カードの会員カードＩＤと該減算後の貯玉数とを含む貯玉数更新要求を、場内通信部２１ｂから場内管理装置５０に対して送信する。なお貯玉数更新要求を受信した場内管理装置５０は、後述する図３５に示す宣伝表示履歴ＤＢを更新する処理を行うが、これについては図３６を参照して後述する。これら貯玉再プレイ処理及び貯玉数減算処理を終了すると、制御部２２のＲＡＭで記憶している減算後の貯玉数を表示した前記Ｄ１３ａをディスプレイ２４に表示して、Ｓ５１に戻る。
【０１２４】
前記Ｓ５５で持玉返却操作、即ちＤ１３ａ又はＤ１３ｂで表示される「持玉返却」ボタンの操作の受付が有ると（ＹＥＳ）、持玉返却処理及び持玉数減算処理（Ｓ７５）を行う。これら持玉返却処理及び持玉数減算処理は、いずれが先に行われても良く、また同時並行で行われても良い。まず持玉返却処理では、制御部２２のＲＡＭで記憶している持玉数が当該持玉返却処理で返却される所定玉数（例えば１２５個）以上であるか否かを判定し、持玉数が所定玉数以上であれば、該所定玉数を返却玉数として特定し、持玉数が所定玉数未満であれば、該持玉数を返却玉数として特定して、該特定した返却玉数のパチンコ玉を玉払出装置２７から払い出す。
【０１２５】
次に持玉数減算処理では、受付中のカードのカードＩＤを含む持玉数減算要求を、場内通信部２１ｂから持玉数管理装置３２に対して送信して、該持玉数減算要求に含まれるカードＩＤに対応付けて管理されている持玉数から前記返却玉数を減算した後の持玉数を含む持玉数減算完了通知が持玉数管理装置３２から送信されてくるのを待機し、該持玉数減算完了通知を受信すると、当該持玉数減算完了通知に含まれる減算後の持玉数を、制御部２２のＲＡＭで記憶し、受付中のカードのカードＩＤと該減算後の持玉数とを含む持玉数更新要求を、場内通信部２１ｂから場内管理装置５０に対して送信する。なお持玉数更新要求を受信した場内管理装置５０は、後述する図３５に示す宣伝表示履歴ＤＢを更新する処理を行うが、これについては図３６を参照して後述する。これら持玉返却処理及び持玉数減算処理を終了すると、制御部２２のＲＡＭで記憶している減算後の持玉数を表示した前記Ｄ１３ａ又はＤ１３ｂをディスプレイ２４に表示して、Ｓ５１に戻る。
【０１２６】
なおカードＲ／Ｗ２３でビジタカード３を受付中である場合には、これら持玉返却処理及び持玉数減算処理の終了後に、該ビジタカード３のビジタカードＩＤに対応付けられている（即ち制御部２２のＲＡＭで記憶している）残額及び持玉数が零であるか否かを判定する。ここで残額又は持玉数の少なくとも一方が零でなければ、前記Ｄ１３ａ又はＤ１３ｂをディスプレイ２４に表示して、Ｓ５１に戻る。一方、残額及び持玉数が共に零であれば、受付中のビジタカード３のビジタカードＩＤを含む消去情報を、場内通信部２１ｂから場内管理装置５０に対して送信し、受付中のビジタカード３をカードＲ／Ｗ２３で留保したまま、メイン処理を終了する。従って、前記Ｓ００の状態となるので、該留保しているビジタカード３は、カード返却ボタン１６が操作されても返却されない。なお消去情報を受信した場内管理装置５０は、後述する図３５に示す宣伝表示履歴ＤＢを更新する処理を行うが、これについては図３６を参照して後述する。
【０１２７】
前記Ｓ５６で携帯電話８の受付が有ると（ＹＥＳ）、図４のＳ０５で説明したのと同様の電子マネー玉貸処理及び電子マネー額減算処理を行い（Ｓ７６）、これら電子マネー玉貸処理及び電子マネー額減算処理を終了すると、Ｓ５１に戻る。
【０１２８】
前記Ｓ５７で景品予約操作、即ちＤ１３ａ又はＤ１３ｂで表示される「景品予約」ボタンの操作の受付が有ると（ＹＥＳ）、景品予約処理（Ｓ７７）を行うが、この景品予約処理については、［２．景品交換機能］として、図１１に示すフローチャート及び図１５〜図１６に示す画面図を参照して後述する。
【０１２９】
前記Ｓ５８で宣伝一覧表示操作、即ちＤ１３ａ又はＤ１３ｂで表示される「宣伝一覧」ボタンの操作の受付が有るか（ＹＥＳ）、前記Ｓ５９で場内管理装置５０から送信されてくる宣伝自動表示要求の受信が有るか（ＹＥＳ）、又は前記Ｓ６０で場内管理装置５０から送信されてくる宣伝再表示要求の受信が有ると（ＹＥＳ）、宣伝表示処理（Ｓ７８）を行うが、この宣伝表示処理については、［３．宣伝表示機能］として、図１２に示すフローチャート及び図１７に示す画面図を参照して後述する。
【０１３０】
前記Ｓ６１でアンケート告知表示操作、即ちＤ１３ａで表示される「アンケート告知」ボタンの操作の受付が有ると（ＹＥＳ）、アンケート告知表示処理（Ｓ７９）を行うが、このアンケート告知表示処理については、［４．アンケート告知表示機能］として、図１３に示すフローチャート及び図１８に示す画面図を参照して後述する。
【０１３１】
前記Ｓ６２でカード返却操作、即ちカード返却ボタン１６の操作の受付が有ると（ＹＥＳ）、受付中のカードのカードＩＤを含むカード返却情報を、場内通信部２１ｂから場内管理装置５０に対して送信し（Ｓ６３）、制御部２２のＲＡＭで記憶している内容（残額，貯玉数，持玉数）を消去し（Ｓ６４）、受付中のカードを返却して（Ｓ６５）、メイン処理を終了する。なおカード返却情報を受信した場内管理装置５０は、後述する図３５に示す宣伝表示履歴ＤＢを更新する処理を行うが、これについては図３６を参照して後述する。
【０１３２】
［２．景品交換機能］
情報表示・配信システム１の第２の機能である景品交換機能は、予約端末及び予約確定端末として機能するカードユニット２０と、予約確定端末４０と、景品管理装置７０と、配送管理装置８５とにより実現される。この景品交換機能は、ユーザ（遊技者）が所有する有価価値の大きさ（貯玉数，持玉数）と交換可能な複数の景品の中から選択された、該ユーザが交換を希望する景品と、該ユーザが所有する有価価値の大きさとを交換するための機能である。
【０１３３】
この景品交換機能では、予約端末として機能するカードユニット２０において、複数の景品が表示され、該表示される景品の中から、交換を予約する景品の選択をユーザから受け付けると、該選択された景品を特定可能な景品特定情報（景品ＩＤ）を含む予約要求を景品管理装置７０に送信する予約受付処理が行われる（図１１のＳ１０１〜Ｓ１１０）。次に景品管理装置７０において、該予約要求に対応する予約を識別可能な予約識別情報（予約ＩＤ）に対応付けて該予約要求に含まれる景品特定情報を登録する予約内容登録処理が行われる（図２９のＳ４１１〜Ｓ４１７）。
【０１３４】
次に予約確定端末として機能するカードユニット２０において決済処理が行われるか、又は予約確定端末４０において予約識別情報を受け付けると、該予約識別情報を含む予約確定要求を景品管理装置７０に送信する予約確定処理が行われる（図１１のＳ１４４，又は図２７のＳ３１０）。そして景品管理装置７０において、該予約確定要求に含まれる予約識別情報に対応付けて登録された景品特定情報から特定される景品をユーザに提供するための配送情報登録処理が行われる（図２９のＳ４３１〜Ｓ４３７）。以下、各構成要素について説明する。
【０１３５】
まず配送管理装置８５について説明する。配送管理装置８５は、図示しないが、通信部，制御部，ディスプレイ，入力装置，及びハードディスク等を有するコンピュータ（サーバ）であり、複数の景品提供業者から提供される景品に関する情報を管理するものである。記憶手段であるハードディスクでは、図１９に示す景品情報ＤＢと、図２０（ａ）に示す配送情報ＤＢと、図２０（ｂ）に示す請求情報ＤＢとを記憶している。
【０１３６】
図１９に示す景品情報ＤＢでは、当該景品提供業者が提供する複数の景品の各々について、各景品に関する景品情報として、各景品を特定可能な景品特定情報である景品ＩＤに対応付けて、各景品の種別を示す大区分及び小区分と、各景品の景品名と、各景品の詳細情報が記録されているファイルのファイル名と、各景品の価格と、各景品の在庫数とが記憶される。配送管理装置８５では、オペレータの操作により、各景品について、景品ＩＤが付与されると共に、当該景品が種別毎に振り分けられると、景品情報ＤＢにおいて、該付与された景品ＩＤと、振り分けられた種別を示す大区分及び小区分と、景品名，詳細情報ファイル名，価格，及び在庫数とが、景品情報として登録される。なお在庫数が十分に多い景品については、当該景品の在庫数がＮＵＬＬと登録される。この景品情報ＤＢで記憶されている景品情報は、景品管理装置７０に送信されて、該景品管理装置７０の図２１に示す景品情報ＤＢで記憶される。
【０１３７】
図２０（ａ）に示す配送情報ＤＢでは、各遊技場毎のデータテーブルが設けられており、各データテーブルでは、前記予約確定処理に対応する前記配送情報登録処理を識別可能な予約確定ＩＤに対応付けて、該配送情報登録処理に関する配送情報として、後述する図２４に示す配送情報ＤＢと略同様の情報（即ち予約ＩＤ，景品ＩＤ，景品名，交換玉数，配送個数，配送区分，配送先情報，及び配送希望日時）が記憶されると共に、それに加えて、配送開始日時，配送完了日時，及び当該配送情報を図２０（ｂ）に示す請求情報ＤＢで記録したか否かを示す請求済フラグが記憶される。ここで請求済フラグが１であれば、当該配送情報を請求情報ＤＢで記憶した旨を示し、請求済フラグが０であれば、当該配送情報を請求情報ＤＢで記憶していない旨を示す。この配送情報ＤＢでは、遊技場の営業終了後において景品管理装置７０から送信されてくる配送情報を受信すると、該配送情報が登録され、景品の配送が行われると配送開始日時が登録され、景品の配送が完了すると配送完了日時が登録される。
【０１３８】
図２０（ｂ）に示す請求情報ＤＢでは、各遊技場毎のデータテーブルが設けられており、各データテーブルでは、配送が完了した景品について、前記予約確定ＩＤに対応付けて、請求情報として、予約ＩＤ，景品ＩＤ，景品名，交換玉数，配送個数，配送区分，配送先情報，配送完了日時，及び請求額が記憶される。この請求情報ＤＢで記憶している所定期間（例えば１ヶ月）分の請求情報を取り纏めて、景品提供業者から各遊技場に対して、合計請求額の請求が行われる。
【０１３９】
次に景品管理装置７０について説明する。景品管理装置７０は、図１に示すように接続される通信部７１，制御部７２，ディスプレイ７３，入力装置７４，及びハードディスク７５等を有するコンピュータ（サーバ）であり、複数の景品提供業者から提供され、予約端末として機能するカードユニット２０に表示される複数の景品に関する情報を管理するものであると共に、予約端末として機能するカードユニット２０から送信されてきた予約要求に対応する予約を識別可能な予約識別情報（予約ＩＤ）に対応付けて該予約要求に含まれる景品特定情報を登録する予約内容登録処理を行い、予約確定端末として機能するカードユニット２０又は予約確定端末４０から送信されてきた予約確定要求から特定される景品をユーザ（遊技者）に提供するための配送情報登録処理を行うものである。
【０１４０】
通信部７１は、配送管理装置８５と通信可能に接続され、景品管理装置７０と配送管理装置８５との間における通信を司るものである。また通信部７１は、インターネット及びルータ３３を介して、カードユニット２０の場外通信部２１ｃ，及び予約確定端末４０の後述する通信部４１と通信可能に接続され、景品管理装置７０と、個々のＩＰアドレスにより特定される各カードユニット２０及び予約確定端末４０との間における通信を司るものである。
【０１４１】
制御部７２は、ＣＰＵ，ＲＡＭ，ＲＯＭ等を備えており、ＲＯＭ及びハードディスク７５に記憶されている処理プログラムがＲＡＭを作業領域としてＣＰＵで実行されることにより、景品管理装置７０に備えられる各構成要素の動作を制御して各種の処理を行うものであるが、その機能については図２９を参照して後述する。ディスプレイ７３は、各種の情報を表示する表示デバイスであって、例えば液晶ディスプレイであり、入力装置７４は、各種の情報の入力を受け付ける入力デバイスであって、例えばキーボードやマウスである。記憶手段であるハードディスク７５では、図２１に示す景品情報ＤＢと、図２２に示す予約・確定累計数ＤＢと、図２３に示す予約情報ＤＢと、図２４に示す配送情報ＤＢとを記憶している。
【０１４２】
図２１に示す景品情報ＤＢでは、各景品提供業者毎のデータテーブルが設けられており、各データテーブルでは、当該景品提供業者が提供する複数の景品の各々について、各景品に関する景品情報として、図１９に示す景品情報ＤＢと同様に、景品ＩＤに対応付けて、大区分，小区分，景品名，詳細情報ファイル名，及び価格が記憶され、また在庫数が在庫数として記憶されると共に、それに加えて、各景品の価格に相当する交換玉数（４円＝１個で換算された玉数）と、各景品の価格に相当する交換ポイント数（１０円＝１ポイントで換算されたポイント数）とが記憶される。ここで各景品の在庫数は、１日の営業終了後において、図２２に示す予約・確定累計数ＤＢで記憶されている確定累計数が減算されて更新される。この景品情報ＤＢで記憶されている景品情報は、１日の営業開始前に、カードユニット２０に送信されて、制御部２２のＥＥＰＲＯＭで記憶されると共に、広告管理装置６０にも送信されて、ハードディスク６５で記憶される。
【０１４３】
図２２に示す予約・確定累計数ＤＢでは、各景品提供業者毎のデータテーブルが設けられており、各データテーブルでは、当該景品提供業者が提供する複数の景品の各々について、当該景品の景品ＩＤに対応付けて、前記予約内容登録処理に供された予約個数の集計値である予約累計数と、前記配送情報登録処理に供された配送個数の集計値である確定累計数とが記憶される。この予約・確定累計数ＤＢでは、制御部７２により、予約内容登録処理において、予約累計数に予約個数が加算され（図２９のＳ４１３）、配送情報登録処理において、確定累計数に配送個数が加算される（同Ｓ４３１）。なお本例では、予約の有効期間は当日限りであるので、この予約・確定累計数ＤＢで記憶されている予約累計数は、１日の営業終了後において消去（ゼロクリア）される。また予約・確定累計数ＤＢで記憶されている各景品の確定累計数は、１日の営業終了後において、図２１に示す景品情報ＤＢで記憶されている在庫数から減算された後に、消去（ゼロクリア）される。
【０１４４】
図２３に示す予約情報ＤＢでは、各遊技場及び各景品提供業者毎のデータテーブル（即ち景品の選択が行われた遊技場と該選択された景品を提供する景品提供業者とが対応付けられているデータテーブル）が設けられており、各データテーブルでは、予約に関する予約情報として、予約を識別可能な予約識別情報である予約ＩＤに対応付けて、予約された景品を特定可能な景品特定情報である景品ＩＤと、該景品の景品名と、該景品の価格に相当する有価価値である交換玉数と、該景品の予約個数と、配送区分と、ユーザ（遊技者）を特定可能なユーザ特定情報である会員カードＩＤ及び配送先情報（氏名，郵便番号，住所，及び電話番号）と、配送希望日時とが記憶される。本例では、予約された複数の景品の各々について、１つの予約ＩＤが割り当てられるので、予約情報ＤＢで登録される予約個数は、各予約ＩＤに対して常に１個である。
【０１４５】
この予約情報ＤＢでは、前記予約受付処理が行われたカードユニット２０から送信されてくる、景品ＩＤ，予約個数，配送区分，会員カードＩＤ，配送先情報，及び配送希望日時を含む予約要求を受信すると、前記予約内容登録処理において、制御部７２により、該予約要求に含まれる景品ＩＤから特定される景品の各々について、予約ＩＤが生成されて割り当てられ（図２９のＳ４１４）、該割り当てられた各予約ＩＤに対応付けて、当該予約ＩＤに対応する景品について前記予約要求に含まれる景品ＩＤ，予約個数，配送区分，会員カードＩＤ，配送先情報，及び配送希望日時と、該景品ＩＤに対応付けて図２１に示す景品情報ＤＢで登録されている景品名，及び交換玉数とが、予約情報として登録されることにより、予約内容登録処理が行われる（同Ｓ４１５）。なお後述する図１６のＤ３３ｂで配送先情報が手入力された後にカードユニット２０から送信されてくる予約要求には、会員カードＩＤは含まれないので、予約情報ＤＢにおいて、該会員カードＩＤは登録されない。また予約情報ＤＢでは、前記配送情報登録処理に伴って、該配送情報登録処理の対象となった予約情報が消去される（同のＳ４３６）。なお本例では、予約の有効期間は当日限りであるので、この予約情報ＤＢで記憶されている予約情報は、遊技場の営業終了後において消去される。
【０１４６】
図２４に示す配送情報ＤＢでは、各遊技場及び各景品提供業者毎のデータテーブル（即ち景品の選択が行われた遊技場と該選択された景品を提供する景品提供業者とが対応付けられているデータテーブル）が設けられており、各データテーブルでは、前記配送情報登録処理に関する配送情報として、該配送情報登録処理に対応する前記予約確定処理を識別可能な予約確定ＩＤに対応付けて、該配送情報登録処理が行われた日時である確定日時と、該配送情報登録処理の対象となった予約ＩＤと、該予約ＩＤに対応付けられている景品ＩＤ，景品名，交換玉数，予約個数である配送個数，配送区分，ユーザ特定情報である会員カードＩＤと配送先情報（氏名，郵便番号，住所，及び電話番号），及び配送希望日時とが記憶されると共に、当該配送情報を配送管理装置８５に送信したか否かを示す配送指示済フラグが記憶される。ここで配送指示済フラグが１であれば、当該配送情報を配送管理装置８５に送信した旨を示し、配送指示済フラグが０であれば、当該配送情報を配送管理装置８５に送信していない旨を示す。
【０１４７】
この配送情報ＤＢでは、前記予約確定処理が行われたカードユニット２０又は予約確定端末４０から送信されてくる、予約ＩＤを含む予約確定要求を受信すると、前記配送情報登録処理において、制御部７２により、該予約確定要求から特定される景品（即ち該予約確定要求に含まれる予約ＩＤに対応付けて図２３に示す予約情報ＤＢで登録されている景品ＩＤから特定される景品）が、配送先及び配送希望日時が同一である景品毎に分類されることにより、景品分類処理が行われ（図２９のＳ４３２）、分類された各分類について、予約確定ＩＤが生成されて割り当てられ（同Ｓ４３３）、該割り当てられた各予約確定ＩＤに対応付けて、当該予約確定ＩＤに対応する景品について前記予約確定要求に含まれる予約ＩＤと、該予約ＩＤに対応付けて図２３に示す予約情報ＤＢで登録されている景品ＩＤ，景品名，交換玉数，予約個数である配送個数，配送区分，会員カードＩＤ，配送先情報，及び配送希望日時とが、配送情報として登録されることにより、配送情報登録処理が行われる（同Ｓ４３４）。そして通信部７１により、各予約確定ＩＤと各予約確定ＩＤに対応する景品を特定可能な情報（ここでは一又は複数の該景品の予約ＩＤ，景品ＩＤ，景品名，交換玉数，及び配送個数と、同一の配送区分，配送先情報，及び配送希望日時）とを含む配送登録完了通知を、予約確定要求の送信元であるカードユニット２０又は予約確定端末４０に対して送信する（同Ｓ４３５）。
【０１４８】
次に予約端末及び予約確定端末として機能するカードユニット２０について説明する。このカードユニット２０では、前述の如く、表示する景品情報（図２１）を、制御部２２のＥＥＰＲＯＭで記憶している。
【０１４９】
このカードユニット２０は、前記Ｄ１３ａ（図１４）が表示されているＳ２３（図９）の状態，又は前記Ｄ１３ｂ（図１４）が表示されているＳ３５（図９）の状態で、Ｓ５７（図１０）で景品予約操作、即ちＤ１３ａ又はＤ１３ｂで表示される「景品予約」ボタンの操作の受付が有ると（ＹＥＳ）、図１１に示す景品予約処理（Ｓ７７）を行う。以下、このカードユニット２０が行う景品予約処理を、図１１に示すフローチャートに基づき、図１５〜図１６に示す画面図を参照しながら説明する。
【０１５０】
この景品予約処理において、カードユニット２０は、図１５及び図１６に示すＤ２１〜Ｄ３１の画面をディスプレイ２４に順次表示する（Ｓ１０１）。まずＤ２１では、景品選択の手法を選択するためのボタンとして、「種別から選択」ボタン，「交換玉数から選択」ボタン，及び「キーワード検索」ボタンが表示される。
【０１５１】
このＤ２１で、「種別から選択」ボタンを操作すると、Ｄ２２で、景品交換システム１において予め定められている大区分を示す大区分ボタンが表示される。このＤ２２で、いずれかの大区分ボタン（ここでは「食料品」ボタン）を操作すると、Ｄ２３で、該操作された大区分ボタンに対応する大区分に属し、景品交換システム１において予め定められている小区分を示す小区分ボタンが表示される。
【０１５２】
このＤ２３で、いずれかの小区分ボタン（ここでは「水産物」ボタン）を操作すると、制御部２２のＥＥＰＲＯＭが記憶している景品情報（図２１）から、該操作された小区分ボタンに対応する小区分に属する景品情報が抽出されて、Ｄ２４で、該抽出された景品情報の景品について、景品名と交換玉数を示す景品選択ボタンが表示される。なお一画面に入りきらない場合には、画面右上のスクロールボタンを操作することにより、画面がスクロール表示される。
【０１５３】
このＤ２４で、いずれかの景品ボタン（ここでは「ずわいがに」ボタン）を操作すると、制御部２２のＥＥＰＲＯＭが記憶している景品情報のうち、該操作された景品ボタンに対応する景品の詳細情報ファイルが抽出されて、Ｄ２５で、該抽出された詳細情報ファイルに記録されている詳細情報が表示されると共に、予約個数を入力するためのプルダウンメニューが表示される。このＤ２５で、プルダウンメニューを操作して予約個数を入力し、決定ボタンを操作すると、図１６のＤ３１に進む。
【０１５４】
Ｄ２１で、「交換玉数から選択」ボタンを操作すると、Ｄ２６で、景品交換システム１において予め定められている交換玉数の区分（ここでは「〜５００玉」，「５０１〜１０００玉」，「１００１〜１５００玉」，「１５０１〜２０００玉」，及び「２００１〜２５００玉」）を示す交換玉数ボタンが表示される。
【０１５５】
このＤ２６で、いずれかの交換玉数ボタン（ここでは「１５０１〜２０００玉」ボタン）を操作すると、制御部２２のＥＥＰＲＯＭが記憶している景品情報（図２１）から、該操作された交換玉数ボタンに対応する交換玉数である景品情報が抽出されて、Ｄ２７で、該抽出された景品情報の景品について、景品名と交換玉数を示す景品ボタンが表示される。なお一画面に入りきらない場合には、画面右上のスクロールボタンを操作することにより、画面がスクロール表示される。このＤ２７で、いずれかの景品ボタンを操作すると、前記Ｄ２５に進む。
【０１５６】
なおＤ２４で、「キーワード検索」ボタンを操作すると、図示しないが、キーワード入力画面が表示され、該画面でキーワードを入力すると、制御部２２のＥＥＰＲＯＭが記憶している景品情報（図２１）から、該入力されたキーワードに合致する景品情報が抽出されて、Ｄ２４やＤ２７と同様に、該抽出された景品情報の景品について、景品名と交換玉数を示す景品ボタンが表示される。
【０１５７】
図１６のＤ３１では、選択された景品について、景品名，交換玉数，及び予約個数を示す景品ボタンが表示されると共に、「景品予約」ボタン，及び「配送先指定」ボタンが表示される。このＤ３１で、いずれかの景品ボタンを操作すると、図示しないが、該操作されたボタンに対応する景品の選択をキャンセルできるキャンセル画面が表示されて、該画面でキャンセル操作が行われると、当該景品の選択がキャンセルされる。またＤ３１で、「景品予約」ボタンを操作すると、前記Ｄ２１に戻り、更なる景品の選択ができる。
【０１５８】
図１１に戻り、Ｄ３１が表示されているＳ１０１の状態では、該Ｄ３１で表示される「配送先指定」ボタンの操作（Ｓ１０２）を待機し、該「配送先指定」ボタンの操作が有ると（ＹＥＳ）、図１６のＤ３２に示す画面をディスプレイ２４に表示する（Ｓ１０３）。このＤ３２では、配送先を指定するためのボタンとして、「遊技場」ボタン，及び「自宅」ボタンが表示される。
【０１５９】
このＤ３２が表示されているＳ１０３の状態では、該Ｄ３２で表示される「遊技場」ボタンの操作（Ｓ１０４），又は「自宅」ボタン（Ｓ１０５）の操作を待機し、いずれかのボタンの操作が有ると（ＹＥＳ）、会員カード２を受付中であるか否かを判定する（Ｓ１０６）。
【０１６０】
このＳ１０６で会員カード２を受付中である（ＹＥＳ）と判定された場合には、図１６のＤ３３ａに示す画面をディスプレイ２４に表示する（Ｓ１０７）。このＤ３３ａでは、制御部２２のＲＡＭで記憶している属性情報（氏名，郵便番号，住所，及び電話番号）が表示される。このＤ３３ａが表示されているＳ１０７の状態で、「決定」ボタンが操作されると、図１６のＤ３４ａに示す画面をディスプレイ２４に表示する（Ｓ１０８）。このＤ３４ａでは、配送希望日時（配送希望日及び配送希望時間帯）の入力欄が表示され、配送希望日の入力欄に対応する「日」ボタンを操作すると、カレンダーが表示されて、配送希望日の入力が可能となり、配送希望時間帯の入力欄に対応する「時間帯」ボタンを操作すると、予め定められた複数の時間帯が表示されて、配送希望時間帯の入力が可能となる。このＤ３４ａが表示されているＳ１０８の状態では、配送希望日時の入力を待機し（Ｓ１０９）、配送希望日時が入力されて「決定」ボタンが操作されると（ＹＥＳ）、Ｄ２５で選択された景品の景品ＩＤ，景品名，交換玉数，及び予約個数と、Ｄ３２で選択された配送区分（遊技場又は自宅）を示す情報と、受付中の会員カード２の会員カードＩＤ及びＤ３３ａで表示された配送先情報を示す情報と、Ｄ３４ａで入力された配送希望日時を示す情報とを含む予約要求を、場外通信部２１ｃから景品管理装置７０に対して送信する（Ｓ１１０）。
【０１６１】
一方、Ｓ１０６で会員カード２を受付中でない（ＮＯ）、即ちビジタカード３を受付中であると判定された場合には、図１６のＤ３３ｂに示す画面をディスプレイ２４に表示する（Ｓ１１１）。このＤ３３ｂでは、配送先情報である氏名，郵便番号，住所，及び電話番号の入力欄が表示され、各入力欄に対応する「氏名」ボタン，「郵便番号」ボタン，「住所」ボタン，又は「電話番号」ボタンを操作すると、各入力欄への入力が可能となる。このＤ３３ａが表示されているＳ１１１の状態では、配送先情報の入力を待機し（Ｓ１１２）、配送先情報が入力されて「決定」ボタンが操作されると（ＹＥＳ）、図１６のＤ３４ｂに示す画面をディスプレイ２４に表示する（Ｓ１１３）。このＤ３４ｂは、前記Ｄ３４ａと同様の画面である。このＤ３４ｂが表示されているＳ１１３の状態では、配送希望日時の入力を待機し（Ｓ１１４）、配送希望日時が入力されて「決定」ボタンが操作されると（ＹＥＳ）、Ｄ２５で選択された景品の景品ＩＤ，景品名，交換玉数，及び予約個数と、Ｄ３２で選択された配送区分（遊技場又は自宅）を示す情報と、Ｄ３３ｂで入力された配送先情報を示す情報と、Ｄ３４ｂで入力された配送希望日時を示す情報とを含む予約要求を、場外通信部２１ｃから景品管理装置７０に対して送信する（Ｓ１１０）。
【０１６２】
以上に説明したＳ１０１〜Ｓ１１０の処理が、予約端末として機能するカードユニット２０が行う予約受付処理である。Ｓ１１０で予約要求を送信したカードユニット２０は、該予約要求に含まれる全ての景品ＩＤについて景品管理装置７０から送信されてくる、予約登録完了通知（図２９のＳ４１６），又は在庫零通知（同Ｓ４１２）の受信を待機する。ここで予約登録完了通知は、予約ＩＤ，景品ＩＤ，景品名，交換玉数，及び予約個数を含むものであり、在庫零通知は、予約内容登録処理が行われなかった景品の景品ＩＤを含むものである。この状態で、全ての景品ＩＤについて予約登録完了通知又は在庫零通知の受信が有ると、予約要求に含まれる全ての景品ＩＤについて予約登録完了通知を受信したのか（Ｓ１２１），一部の景品ＩＤについて在庫零通知を受信したのか（Ｓ１２２），又は全ての景品ＩＤについて在庫零通知を受信したのか（Ｓ１２３）を判定する。
【０１６３】
このＳ１２３で全ての景品ＩＤについて在庫零通知を受信した（ＹＥＳ）と判定された場合には、全ての景品について在庫がない旨をディスプレイ２４に表示し（Ｓ１２４）、景品予約処理を終了して、図１０に示すメイン処理に戻る。またＳ１２２で一部の景品ＩＤについて在庫零通知を受信した（ＹＥＳ）と判定された場合には、当該景品について在庫がない旨をディスプレイ２４に表示して（Ｓ１２５）、会員カード２を受付中であるか否かを判定する（Ｓ１２６）。またＳ１２１で全ての景品ＩＤについて予約登録完了通知を受信した（ＹＥＳ）と判定された場合にも、会員カード２を受付中であるか否かを判定する（Ｓ１２６）。
【０１６４】
このＳ１２６で会員カード２を受付中である（ＹＥＳ）と判定された場合には、制御部２２のＲＡＭで記憶している貯玉数＋持玉数が予約登録完了通知を受信した景品ＩＤに対応付けられている交換玉数の合算値以上であるか否かを判定する（Ｓ１２７）。このＳ１２７で貯玉数＋持玉数が交換玉数未満である（ＮＯ）と判定された場合には、決済処理が不可能なので、予約レシート４をレシートプリンタ２５で発行し（Ｓ１３１）、景品予約処理を終了して、図１０に示すメイン処理に戻る。一方、Ｓ１２７で貯玉数＋持玉数が交換玉数以上である（ＹＥＳ）と判定された場合には、決済処理が可能なので、図１６のＤ３５ａに示す画面をディスプレイ２４に表示する（Ｓ１２８）。このＤ３５ａでは、予約ができた旨と、予約ができた景品（即ち予約登録完了通知を受信した景品ＩＤの景品）の景品名，予約個数，及び交換玉数と、制御部２２のＲＡＭで記憶している貯玉数及び持玉数と、貯玉数＋持玉数を使用して決済を行う旨の操作を受け付ける「決済」ボタン，及び決済を行わない旨の操作を受け付ける「終了」ボタンとが表示される。
【０１６５】
前記Ｓ１２６で会員カード２を受付中でない（ＮＯ）、即ちビジタカード３を受付中であると判定された場合には、制御部２２のＲＡＭで記憶している持玉数が予約登録完了通知を受信した景品ＩＤに対応付けられている交換玉数の合算値以上であるか否かを判定する（Ｓ１２９）。このＳ１２９で持玉数が交換玉数未満である（ＮＯ）と判定された場合には、決済処理が不可能なので、予約レシート４をレシートプリンタ２５で発行し（Ｓ１３１）、景品予約処理を終了して、図１０に示すメイン処理に戻る。一方、Ｓ１２９で持玉数が交換玉数以上である（ＹＥＳ）と判定された場合には、決済処理が可能なので、図１６のＤ３５ｂに示す画面をディスプレイ２４に表示する（Ｓ１３０）。このＤ３５ｂでは、予約ができた旨と、予約ができた景品（即ち予約登録完了通知を受信した景品ＩＤの景品）の景品名，予約個数，及び交換玉数と、制御部２２のＲＡＭで記憶している持玉数と、持玉数を使用して決済を行う旨の操作を受け付ける「決済」ボタン，及び決済を行わない旨の操作を受け付ける「終了」ボタンとが表示される。
【０１６６】
ここでＳ１３１で発行される予約レシート４は、当該景品予約処理において決済処理が行われなかったことにより、紙に印刷されて遊技者に対して発行される記録媒体であり、図２５（ａ）に示すように、遊技場名と、当該予約を識別可能な予約識別情報である予約ＩＤと、該予約ＩＤに対応する景品の景品ＩＤ，景品名，交換玉数，及び予約個数と、当該予約の有効期間（ここでは予約当日）と、予約ＩＤを内在する予約ＩＤバーコード４ａとが記録されている。この予約レシート４に記録される情報は、予約登録完了通知に含まれるものである。本例では、予約された景品が複数の場合には（即ち１回の予約で他種類の景品が予約された場合のみならず、１回の予約で同一種類の景品が複数予約された場合であっても）、当該複数の景品の各々について、１つの予約ＩＤが割り当てられ、各景品について割り当てられた予約ＩＤが記録された（即ち１個の景品に対して１枚の）予約レシート４が発行される。従って、予約レシート４に記録される予約個数は、常に１個である。この予約レシート４の予約内容は、後述する予約確定端末４０において確定することができる。
【０１６７】
Ｄ３５ａが表示されているＳ１２８の状態，又はＤ３５ｂが表示されているＳ１３０の状態では、該Ｄ３５ａ又はＤ３５ｂで表示される「決済」ボタンの操作（Ｓ１４１），又は「終了」ボタンの操作（Ｓ１４２）を待機する。このＳ１４２で「終了」ボタンの操作が有ると（ＹＥＳ）、予約レシート４をレシートプリンタ２５で発行し（Ｓ１３１）、景品予約処理を終了して、図１０に示すメイン処理に戻る。
【０１６８】
またＳ１４１で「決済」ボタンの操作が有ると（ＹＥＳ）、決済処理（Ｓ１４３）を行う。この決済処理において、Ｄ３５ａで表示される「決済」ボタンの操作が有った場合には、まず制御部２２のＲＡＭで記憶している貯玉数が交換玉数以上であれば、貯玉数から交換玉数を減算するために、該交換玉数と受付中の会員カード２の会員カードＩＤとを含む貯玉数減算要求を、場内通信部２１ｂから会員管理装置３１に対して送信して、該貯玉数減算要求に含まれる会員カードＩＤに対応付けて管理されている貯玉数から該貯玉数減算要求に含まれる交換玉数を減算した後の貯玉数を含む貯玉数減算完了通知が会員管理装置３１から送信されてくるのを待機し、該貯玉数減算完了通知を受信すると、当該貯玉数減算完了通知に含まれる減算後の貯玉数を、制御部２２のＲＡＭで記憶する処理を行う。一方、制御部２２のＲＡＭで記憶している貯玉数（例えば２２４６個）が交換玉数（例えば２７５０個）未満であれば、貯玉数を零にすると共に持玉数から交換玉数の不足分（即ち５０４個）を減算するために、交換玉数から貯玉数を差し引いた不足分の交換玉数と受付中の会員カード２の会員カードＩＤとを含む持玉数減算要求を、場内通信部２１ｂから持玉数管理装置３２に対して送信して、該持玉数減算要求に含まれる会員カードＩＤに対応付けて管理されている持玉数から該持玉数減算要求に含まれる交換玉数の不足分を減算した後の持玉数を含む持玉数減算完了通知が持玉数管理装置３２から送信されてくるのを待機し、該持玉数減算完了通知を受信すると、当該持玉数減算完了通知に含まれる減算後の持玉数を、制御部２２のＲＡＭで記憶する処理を行うと共に、受付中の会員カード２の会員カードＩＤを含む貯玉数零更新要求を、場内通信部２１ｂから会員管理装置３１に対して送信して、該貯玉数零更新要求に含まれる会員カードＩＤに対応付けて管理されている貯玉数を零に更新した後の貯玉数零更新完了通知が会員管理装置３１から送信されてくるのを待機し、該貯玉数零更新完了通知を受信すると、制御部２２のＲＡＭで記憶している貯玉数を零にする。即ち貯玉数＋持玉数を使用して決済を行う場合には、まず貯玉数が使用され、該貯玉数が足りなければ、持玉数が使用される。
【０１６９】
また決済処理において、Ｄ３５ｂで表示される「決済」ボタンの操作が有った場合には、持玉数から交換玉数を減算するために、交換玉数と受付中のビジタカード３のビジタカードＩＤとを含む持玉数減算要求を、場内通信部２１ｂから持玉数管理装置３２に対して送信して、該持玉数減算要求に含まれるビジタカードＩＤに対応付けて管理されている持玉数から該持玉数減算要求に含まれる交換玉数を減算した後の持玉数を含む持玉数減算完了通知が持玉数管理装置３２から送信されてくるのを待機し、該持玉数減算完了通知を受信すると、当該持玉数減算完了通知に含まれる減算後の持玉数を、制御部２２のＲＡＭで記憶する処理を行う
【０１７０】
Ｓ１４３で決済処理を行ったカードユニット２０は、前記予約登録完了通知に含まれる各予約ＩＤを含む予約確定要求を、場外通信部２１ｃから景品管理装置７０に対して送信する（Ｓ１４４）。このＳ１４４の処理が、予約確定端末として機能するカードユニット２０が行う予約確定処理である。
【０１７１】
Ｓ１４４で予約確定要求を送信したカードユニット２０は、該予約確定要求に含まれる全ての予約ＩＤに対応する全ての景品ＩＤについて景品管理装置７０から送信されてくる、配送登録完了通知（図２９のＳ４３５）の受信を待機する（Ｓ１５１）。ここで配送登録完了通知は、予約確定ＩＤ，予約ＩＤ，景品ＩＤ，景品名，交換玉数，配送個数，配送区分，配送先情報（氏名，郵便番号，住所，及び電話番号），及び配送希望日時を含むものである。このＳ１５１で全ての景品ＩＤについて配送登録完了通知の受信が有ると（ＹＥＳ）、配送レシート５をレシートプリンタ２５で発行し（Ｓ１５２）、景品予約処理を終了して、図１０に示すメイン処理に戻る。
【０１７２】
ここでＳ１５２で発行される配送レシート５は、当該景品予約処理において決済処理が行われたこと，又は後述する予約確定端末４０で予約確定処理が行われたことにより、紙に印刷されて遊技者に対して発行される記録媒体であり、図２５（ｂ）に示すように、遊技場名と、当該予約確定処理に対応する前記配送情報登録処理を識別可能な予約確定ＩＤと、当該配送情報登録処理の対象となった一又は複数の予約の各々についての予約ＩＤ，景品ＩＤ，景品名，交換玉数，及び配送個数と、景品を自宅に配送するか遊技場に配送するかを示す配送区分と、配送先情報である当該遊技者の氏名，郵便番号，住所，及び電話番号と、配送希望日時とが記録される。ここで配送レシート５に記録される各情報は、配送登録完了通知に含まれるものである。本例では、景品の配送先及び配送希望日時が同一である景品の分類について、１つの予約確定ＩＤが割り当てられ、該割り当てられた予約確定ＩＤに対応付けて当該予約確定ＩＤに対応する景品の景品情報が視認可能に記録された（即ち配送先及び配送希望日時が同一である複数種類の景品に対して１枚の）配送レシート５が発行される。
【０１７３】
次に予約確定端末４０について説明する。予約確定端末４０は、遊技場内における景品交換カウンタに設けられ、図１に示すように接続される通信部４１，制御部４２，ディスプレイ４３，入力装置４４，バーコードリーダ４５，及び配送レシートプリンタ４６等を有するコンピュータであり、図２６に示すような外観を呈する。
【０１７４】
この予約確定端末４０は、景品交換において減算処理を行うＰＯＳ端末と別個に設けられ、該減算処理が行われたか否かに拘わらず予約確定要求を送信する（つまりＰＯＳ端末と予約確定端末４０とが連動していない）ものである。このように、予約確定端末４０がＰＯＳ端末と別個に設けられ、該ＰＯＳ端末と連動していないのは、現状において、ＰＯＳ端末はほぼ全ての遊技場に既に設けられており、後付の予約確定端末４０と連動させようとした場合には、ＰＯＳ端末側のインターフェイスを改造しなければならないが、複数存在する全てのＰＯＳ端末のメーカがインターフェイスの改造に対応するとは限らないし、予約確定端末４０としても各メーカのＰＯＳ端末に対応して連動するものを製造するとコストが高くなってしまうからである。
【０１７５】
通信部４１は、ルータ３３及びインターネットを介して、景品管理装置７０の通信部７１と通信可能に接続されており、予約確定端末４０と景品管理装置７０との間における通信を司るものである。制御部４２は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、予約確定端末４０に備えられる各構成要素の動作を制御して各種の処理を行うものであるが、その機能については図２７を参照して後述する。
【０１７６】
ディスプレイ４３は、各種の情報を表示する表示デバイスであって、例えば液晶ディスプレイであり、入力装置４４は、各種の情報の入力を受け付ける入力デバイスであって、例えばキーボードやマウスである。バーコードリーダ４５は、予約識別情報である予約ＩＤを受け付けるものであり、ここでは予約レシート４に記録されている予約ＩＤバーコード４ａを読み取ることで、該予約ＩＤバーコード４ａが示す予約ＩＤを受け付ける。配送レシートプリンタ４６は、図２５（ｂ）に示す配送レシート５を印刷し、配送レシート排出口４６ａから排出して発行するものである。
【０１７７】
ここで予約確定端末４０が行う予約確定処理を、図２７に示すフローチャートに基づき、図２８に示す画面図を参照しながら説明する。本実施形態では、遊技場の店員が、景品カウンタに設けられているＰＯＳ端末（図示外）を操作することにより、ユーザが所有する有価価値の大きさ（貯玉数，持玉数）から、予約レシート４に記録されている交換玉数を減算する減算処理を行った後に、同じく景品カウンタに設けられている予約確定端末４０を操作することにより、予約確定処理を行う。なお予約確定処理を行った後に減算処理を行うようにしても良く、また減算処理と予約確定処理とを同時並行で行うようにしても良い。
【０１７８】
まず予約確定端末４０は、図２８のＤ６１に示す画面をディスプレイ４３に表示する（Ｓ３００）。このＤ６１では、予約レシート４の予約ＩＤバーコード４ａの読取，又は予約レシート４に記録されている予約ＩＤの手入力を促す旨が表示される。このＤ６１が表示されているＳ３００の状態では、バーコードリーダ４５による予約ＩＤバーコード４ａの読取（Ｓ３０１），又は入力装置４４による予約ＩＤの手入力（Ｓ３０２）を待機する。このＳ３０１でバーコードリーダ４５による予約ＩＤバーコード４ａの読取が有るか（ＹＥＳ），又はＳ３０２で入力装置４４による予約ＩＤの手入力が有ると（ＹＥＳ）、該予約ＩＤを一時的に記憶して、該予約ＩＤを含む予約情報要求を、通信部４１から景品管理装置７０に対して送信して（Ｓ３０３）、該景品管理装置７０から送信されてくる予約情報（Ｓ３０４）又は予約無し通知（Ｓ３０５）の受信を待機する。
【０１７９】
このＳ３０５で予約無し通知の受信が有ると（ＹＥＳ）、予約が無い旨をディスプレイ４３に表示して（Ｓ３０６）、処理を終了する。またＳ３０４で予約情報の受信が有ると（ＹＥＳ）、図２８のＤ６２に示す画面をディスプレイ４３に表示する。このＤ６２では、前記記憶している予約ＩＤと、受信した予約情報に含まれる景品ＩＤ，景品名，交換玉数，予約個数，配送区分，配送先情報，及び配送希望日時が表示されると共に、次の予約ＩＤを読み取る旨の操作を受け付ける「続けて読取」ボタン，及び予約ＩＤを読み取らない旨の操作を受け付ける「読取終了」ボタンが表示される。
【０１８０】
このＤ６２が表示されているＳ３０７の状態では、該Ｄ６２で表示される「続けて読取」ボタンの操作（Ｓ３０８），又は「読取終了」ボタンの操作（Ｓ３０９）を待機する。このＳ３０８で「続けて読取」ボタンの操作が有ると（ＹＥＳ）、同Ｄ６２に示す画面をディスプレイ４３に表示して、Ｓ３０１に戻り、次なる予約ＩＤの読取又は手入力が可能となる。このＤ６２における「続けて読取」ボタンの操作とＤ６１における予約ＩＤの受付を繰り返すと、該受け付けられた複数の予約ＩＤが一時的に記憶される。またＳ３０９で「読取終了」ボタンの操作が有ると（ＹＥＳ）、前記記憶している一又は複数の予約ＩＤを含む予約確定要求を、通信部４１から景品管理装置７０に対して送信する（Ｓ３１０）。
【０１８１】
Ｓ３１０で予約確定要求を送信した予約確定端末４０は、該予約確定要求に含まれる全ての予約ＩＤに対応する全ての景品ＩＤについて景品管理装置７０から送信されてくる、配送登録完了通知（図２９のＳ４３５）の受信を待機する（Ｓ３１１）。ここで配送登録完了通知は、予約確定ＩＤと配送情報登録処理が行われた予約ＩＤとを含む。このＳ３１１で全ての景品ＩＤについて配送登録完了通知の受信が有ると（ＹＥＳ）、配送レシート５を配送レシートプリンタ４６で発行して（Ｓ３１２）、予約確定処理を終了する。
【０１８２】
次に景品管理装置７０が行うメイン処理を、図２９に示すフローチャートに基づいて説明する。まず景品管理装置７０は、予約端末として機能するカードユニット２０から送信されてくる予約要求の受信（Ｓ４０１），予約確定端末４０から送信されてくる予約情報要求の受信（Ｓ４０２），又は予約確定端末として機能するカードユニット２０又は予約確定端末４０から送信されてくる予約確定要求の受信（Ｓ４０３）を待機する。
【０１８３】
このＳ４０１でカードユニット２０から送信されてくる予約要求の受信が有ると（ＹＥＳ）、該予約要求に含まれる一の景品ＩＤに対応付けて図２１に示す景品情報ＤＢで記憶している在庫数（以下、「在庫数ａ」と称する。）と、該景品ＩＤに対応付けて図２２に示す予約・確定累計数ＤＢで記憶している予約累計数（以下、「予約累計数ｂ」と称する。）と、該予約要求に含まれる予約個数（以下、「予約個数ｃ」と称する。）とに基づいて、在庫数ａ−（予約累計数ｂ＋予約個数ｃ）≧０の判定式ｘを満たすか否かで、景品の予約が可能であるか否かを判定する（Ｓ４１１）。
【０１８４】
このＳ４１１で判定式ｘを満たさない（ＮＯ）、即ち景品の予約が可能でないと判定された場合には、該判定の対象となった景品ＩＤを含む在庫零通知をカードユニット２０に対して返信して（Ｓ４１２）、Ｓ４１７に進む。これによれば、景品管理装置７０において、予め登録された在庫数ａと、予約内容登録処理に供された予約個数の集計値である予約累計数ｂとに基づいて、景品の予約が可能であるか否かが判定され、予約が可能でないと判定されると、予約内容登録処理が不能化されるので、遊技者が予約をした景品を交換することができないという事態が生ずるおそれがない。
【０１８５】
一方、Ｓ４１１で判定式ｘを満たす（ＹＥＳ）、即ち景品の予約が可能であると判定された場合には、図２２に示す予約・確定累計数ＤＢにおいて、前記予約要求に含まれる景品ＩＤに対応付けて記憶している予約累計数ｂに、該予約要求に含まれる予約個数ｃを加算して（Ｓ４１３）、Ｓ４１４に進む。
【０１８６】
Ｓ４１４では、予約ＩＤを生成し、図２３に示す予約情報ＤＢにおいて、該生成された予約ＩＤに対応付けて、予約情報として、前記予約要求に含まれる景品ＩＤと、該景品ＩＤに対応付けて図２１に示す景品情報ＤＢで記憶している景品名，及び交換玉数と、前記予約要求に含まれる予約個数，配送区分，ユーザ特定情報である会員カードＩＤと配送先情報，及び配送希望日時とを登録し（Ｓ４１５）、Ｓ４１６で登録された予約ＩＤ，景品ＩＤ，景品名，交換玉数，及び予約個数を含む予約登録完了通知をカードユニット２０に対して返信して（Ｓ４１６）、Ｓ４１７に進む。
【０１８７】
Ｓ４１７では、予約要求に含まれる全ての景品ＩＤについてＳ４１１の処理を行ったか否かを判定する。このＳ４１７で全ての景品ＩＤについてＳ４１１の処理を行っていない（ＮＯ）と判定された場合には、Ｓ４１１に戻る。一方、Ｓ４１７で全ての景品ＩＤについてＳ４１１の処理を行った（ＹＥＳ）と判定された場合には、メイン処理を終了する。
【０１８８】
前記Ｓ４０２で予約確定端末４０から送信されてくる予約情報要求の受信が有ると（ＹＥＳ）、該予約情報要求に含まれる予約ＩＤが図２３に示す予約情報ＤＢで登録されているか否かを判定する（Ｓ４２１）。このＳ４２１で予約ＩＤが登録されている（ＹＥＳ）と判定された場合には、該予約ＩＤに対応付けて図２３に示す予約情報ＤＢで登録されている予約情報を予約確定端末４０に対して返信して（Ｓ４２２）、メイン処理を終了する。一方、Ｓ４２１で予約ＩＤが登録されていない（ＮＯ）と判定された場合には、予約無し通知を予約確定端末４０に対して返信して（Ｓ４２３）、メイン処理を終了する。
【０１８９】
前記Ｓ４０３でカードユニット２０又は予約確定端末４０から送信されてくる予約確定要求の受信が有ると（ＹＥＳ）、図２２に示す予約・確定累計数ＤＢにおいて、該予約確定要求に含まれる各予約ＩＤに対応付けられている各景品ＩＤに対応付けて記憶している確定累計数に、各予約ＩＤに対応付けられている予約個数を加算して（Ｓ４３１）、Ｓ４３２に進む。
【０１９０】
Ｓ４３２では、前記予約確定要求に含まれる各予約ＩＤに対応する各景品を、配送先（即ち配送区分と配送先情報），及び配送時期（即ち配送希望日時）が同一である景品毎に分類し、Ｓ４３３で、各分類について予約確定ＩＤを生成して割り当て、Ｓ４３４で、図２４に示す配送情報ＤＢにおいて、該割り当てた各予約確定ＩＤに対応付けて、配送情報登録処理に関する配送情報として、該配送情報登録処理が行われた日時である確定日時と、予約確定要求に含まれる当該配送情報登録処理の対象となった一又は複数の予約ＩＤと、該予約ＩＤに対応付けて図２３に示す予約情報ＤＢで登録されている各景品の景品ＩＤ，景品名，交換玉数，予約個数である配送個数，同一の配送区分，同一の会員カードＩＤと配送先情報（氏名，郵便番号，住所，及び電話番号），及び同一の配送希望日時とを登録し、かつ配送指示済フラグとして０（即ち当該配送情報を配送管理装置８５に送信していない旨）を登録する配送情報登録処理を行って、Ｓ４３５に進む。
【０１９１】
Ｓ４３５では、Ｓ４３２で分類した全分類についてＳ４３３〜Ｓ４３４の処理を行ったか否かを判定する。このＳ４３５で全分類についてＳ４３３〜Ｓ４３４の処理を行って以内（ＮＯ）と判定された場合には、Ｓ４３３に戻る。一方、Ｓ４３５で全分類について、Ｓ４３３〜Ｓ４３４の処理を行った（ＹＥＳ）と判定された場合には、Ｓ４３６に進む。
【０１９２】
Ｓ４３６では、Ｓ４３４で登録された各予約確定ＩＤと、各予約確定ＩＤに対応する景品を特定可能な情報として、各予約確定ＩＤに対応付けて図２４に示す配送情報ＤＢで登録されている一又は複数の該景品の予約ＩＤ，景品ＩＤ，景品名，交換玉数，及び配送個数と、同一の配送区分，配送先情報，及び配送希望日時とを含む配送登録完了通知を、予約確定端末４０に対して送信し、Ｓ４３７で、図２３に示す予約情報ＤＢにおいて、該予約確定ＩＤが生成された予約ＩＤに対応する予約情報を消去して、メイン処理を終了する。
【０１９３】
以上に説明したように、この景品交換機能では、遊技者が景品を選択して予約する予約端末（カードユニット２０）と、景品管理装置７０において該予約を確定して景品をユーザに提供するための予約確定要求を送信する予約確定端末（カードユニット２０又は予約確定端末４０）とが別個に設けられていることにより、遊技者がパチンコ玉の獲得に拘わらず気軽に景品を予約しておくことができるので、景品交換を促進できると共に、景品の予約が可能であると判定されたことを条件として、予約内容登録処理が行われるので、遊技者が予約をした景品を交換することができないという事態が生ずるおそれがない。また本実施形態では、該予約確定端末４０とＰＯＳ端末とが共に景品カウンタに設けられており、ＰＯＳ端末における減算処理と予約確定端末４０における予約確定処理とが略同時に行われることから、予約確定端末４０で景品の選択をさせると景品交換が滞って遊技者に迷惑がかかるが、予約端末で先に景品を予約（選択）させておくことができるので、景品交換が滞ることもない。
【０１９４】
［３．宣伝表示機能］
情報表示・配信システム１の第３の機能である宣伝表示機能は、情報表示装置として機能するカードユニット２０と、場内管理装置５０と、広告管理装置６０とにより実現される。この宣伝表示機能では、カードユニット２０において、ユーザに閲覧させる所定の閲覧情報として、所定の広告情報が表示され、本機能では、該広告情報として、宣伝情報（図１７のＤ４２ａ又はＤ４２ｂに示すユニット宣伝メイン）が表示される。そして該宣伝情報が表示されたときに、特定操作受付手段（タッチパネル式のディスプレイ２４）により、ユーザから特定操作（Ｄ４２ａに示す「後で予約」ボタンの操作，又はＤ４２ｂに示す「詳細」ボタンの操作）を受け付けると、特定操作受付宣伝記憶手段（図３５に示す場内管理装置５０の宣伝表示履歴ＤＢ）により、特定操作を受け付けた宣伝情報を特定可能な表示特定情報（操作時刻及び宣伝ＩＤ）が記憶され、予め設定された再表示条件（図３３（ｂ）のＤ２１１又はＤ２１１’）が成立したことを条件として、特定操作を行ったユーザが存在する情報表示装置において、前記記憶している表示特定情報から特定される宣伝情報に関する宣伝関連情報（図１７のＤ４３ａ又はＤ４３ｂに示すユニット宣伝詳細）が表示される。以下、各構成要素について説明する。
【０１９５】
まず広告管理装置６０について説明する。広告管理装置６０は、図１に示すように接続される通信部６１，制御部６２，ディスプレイ６３，入力装置６４，及びハードディスク６５等を有するコンピュータ（サーバ）である。
【０１９６】
通信部６１は、場内管理装置５０の後述する通信部５１と通信可能に接続され、広告管理装置６０と場内管理装置５０との間における通信を司るものである。また通信部６１は、景品管理装置７０及び電子マネー管理サーバ８０と通信可能である。さらに通信部６１は、専用回線を介して、配送管理装置８５と通信可能であると共に、インターネットを介して、一般広告主のＰＣ６や、会員のＰＣ７及び携帯電話８と通信可能である。制御部６２は、ＣＰＵ，ＲＡＭ，ＲＯＭ等を備えており、ＲＯＭ及びハードディスク６５に記憶されている処理プログラムがＲＡＭを作業領域としてＣＰＵで実行されることにより、広告管理装置６０に備えられる各構成要素の動作を制御して各種の処理を行うものである。
【０１９７】
記憶手段であるハードディスク６５では、景品管理装置７０から送信されてくる景品情報（図２１）と、前記図２（ａ）に示す会員情報ＤＢと、前記図２（ｂ）に示すグループＤＢと、図３０に示す宣伝プランＤＢと、図３１に示す宣伝ＤＢとを記憶している。なおハードディスク６５では、図３９に示すアンケートプランＤＢと、図４０に示すアンケートＤＢも記憶しているが、これらについては［４．アンケート告知表示機能］として後述する。またハードディスク６５では、図４３に示す宣伝表示履歴ＤＢと、図４４に示すアンケート操作履歴ＤＢも記憶しているが、これらについては［５．情報配信機能及び電子マネー発行機能］として後述する。
【０１９８】
図３０に示す宣伝プランＤＢでは、景品提供業者が提供する提供景品（即ち景品管理装置７０が図２１に示す景品情報ＤＢで管理している景品）の宣伝である提供景品宣伝に対する宣伝プランと、景品提供業者や一般広告主が提供する一般宣伝に対応する宣伝プランとが記憶されている。まず提供景品宣伝の宣伝プランとしては、１種類の宣伝プランＡが設定されており、該宣伝プランＡについて、ユニット宣伝表示優先度，宣伝バナー表示優先度，宣伝バナークリック付与ポイント数，及び景品交換の割引率が設定されているが、宣伝料金については設定されていない。即ち提供景品宣伝の宣伝料金は無料である。また一般宣伝の宣伝プランとしては、３種類の宣伝プランＡ，Ｂ，Ｃが設定されており、各宣伝プランＡ，Ｂ，Ｃについて、ユニット宣伝表示優先度，宣伝バナー表示優先度，及び宣伝バナークリック付与ポイント数が設定されていると共に、１ヶ月あたり，１週間あたり，及び１日あたりの宣伝料金が設定されている。即ち一般宣伝の宣伝料金は有料である。この一般宣伝の宣伝プランでは、Ａ→Ｂ→Ｃの順で、優先度や宣伝料金が低くなる。
【０１９９】
ここでユニット宣伝表示優先度は、カードユニット２０において、後述する図１７のＤ４２ａやＤ４２ｂに示すように、宣伝情報であるユニット宣伝メインが自動表示される際の優先度であると共に、同Ｄ４３ａやＤ４３ｂに示すように、宣伝関連情報であるユニット宣伝詳細が再表示される際の優先度であり、高→中→低の順で、表示される優先度が低くなる。また宣伝バナー表示優先度は、会員のＰＣ７又は携帯電話８において、後述する図４８のＤ３０１に示すように、会員専用トップページで閲覧関連情報である宣伝バナーが表示される際の優先度であり、高→中→低の順で、表示される優先度が低くなる。また宣伝バナークリック付与ポイント数は、会員専用トップページで表示される宣伝バナーがクリックされた際に付与されるポイント数である。さらに景品交換の割引率は、図１７のＤ３５ａ’又はＤ３５ｂ’に示すように、宣伝表示ページから遷移した景品交換ページで貯玉数や持玉数を使用して提供景品と景品交換する際の対価（交換玉数）の割引率であると共に、図４８のＤ３０２ａに示すように、宣伝バナーがクリックされて表示される会員専用ページから遷移したポイント使用ページでポイントを使用して提供景品と景品交換する際の対価（交換ポイント数）の割引率である。この宣伝プランＤＢで記憶されている宣伝プランの内容は、場内管理装置５０に送信されて、ハードディスク５５で記憶される。
【０２００】
図３１に示す宣伝ＤＢでは、広告主（景品提供業者及び一般広告主）毎のデータテーブルが設けられており、各データテーブルでは、当該広告主が提供する複数の宣伝の各々について、各宣伝を個々に識別可能な宣伝ＩＤに対応付けて、宣伝種別（提供景品宣伝，又は一般宣伝）と、宣伝種別が提供景品宣伝である場合の景品名又は宣伝種別が一般宣伝である場合の宣伝名と、宣伝種別が提供景品宣伝である場合の宣伝対象（即ち景品）の景品ＩＤ，及び交換玉数と、宣伝種別が一般宣伝である場合の宣伝対象（例えば商品やサービス）の価格と、表示期間と、閲覧情報かつ宣伝情報であるユニット宣伝メイン，閲覧関連情報かつ宣伝関連情報であるユニット宣伝詳細，閲覧関連情報かつ宣伝関連情報である宣伝バナー，及び閲覧関連情報かつ宣伝関連情報であるウェブ宣伝がそれぞれ記録されているファイルのファイル名と、購入サイトリンク情報と、宣伝プラン（Ａ，Ｂ，又はＣ）と、契約単位（月極，週極，又は日極）とが記憶される。この宣伝ＤＢで記憶されている内容は、場内管理装置５０に送信されて、ハードディスク５５で記憶される。
【０２０１】
この宣伝ＤＢでは、図３２に示すようにして設定された内容が記憶される。まず景品提供業者が、配送管理装置８５から景品管理装置７０にアクセスすると、該景品管理装置７０から送信されてきたＤ１００のログイン画面が配送管理装置８５で表示される。このＤ１００では、景品提供業者を個々に識別可能な業者ＩＤ，及び予め設定されている暗証番号の入力欄が表示される。
【０２０２】
このＤ１００で、業者ＩＤ及び暗証番号を入力して、「ログイン」ボタンを操作すると、該入力された業者ＩＤ及び暗証番号が景品管理装置７０に対して送信されて、該景品管理装置７０において、記憶している業者ＩＤ及び暗証番号との照合が行われ、照合ＯＫならば、該景品管理装置７０から送信されてきたＤ１０１の作成種別指定画面が配送管理装置８５で表示される。このＤ１０１では、作成種別として、提供景品宣伝，一般宣伝，提供景品アンケート，又は一般アンケートを選択するためのラジオボタンが表示される。
【０２０３】
このＤ１０１で、一般宣伝のラジオボタンを選択して、「指定」ボタンを操作すると、広告管理装置６０にアクセスされ、該広告管理装置６０から送信されてきたＤ１０３’の宣伝作成画面が配送管理装置８５で表示されるが、これについては後述する。またＤ１０１で提供景品アンケート，又は一般アンケートのラジオボタンを選択して、「指定」ボタンを操作すると、広告管理装置６０にアクセスされ、該広告管理装置６０から送信されてきたＤ１１１（図４１）のアンケート作成画面が配送管理装置８５で表示されるが、これについては［４．アンケート告知表示機能］として後述する。
【０２０４】
一方、Ｄ１０１で、提供景品宣伝のラジオボタンを選択して、「指定」ボタンを操作すると、宣伝種別として提供景品宣伝が選択された旨が景品管理装置７０に対して送信され、該景品管理装置７０から送信されてきたＤ１０２の宣伝対象景品検索画面が配送管理装置８５で表示される。このＤ１０２では、前記図１５で説明したＤ２１〜Ｄ２７と同様の画面が順次表示されることにより、宣伝対象景品を検索することができる。
【０２０５】
このＤ１０２で、宣伝対象景品の検索が終了すると、景品管理装置７０から送信されてきたＤ１０３の宣伝作成画面が配送管理装置８５で表示される。このＤ１０３では、Ｄ１００で入力した業者ＩＤの広告主と、宣伝種別が提供景品宣伝である旨と、Ｄ１０３で検索した宣伝対象景品の景品名，景品ＩＤ，及び交換玉数と、表示開始日の入力欄と、表示日数を指定するためのラジオボタン及び入力欄と、ユニット宣伝メイン，ユニット宣伝詳細，宣伝バナー，及びウェブ宣伝のファイル名の入力欄と、購入サイトリンク情報の入力欄とが表示される。ここでユニット宣伝メイン，ユニット宣伝詳細，宣伝バナー，及びウェブ宣伝の各ファイル名は、各入力欄に対応する「参照」ボタンを操作し、配送管理装置８５が記憶している複数のファイルの中から当該ユニット宣伝メイン，ユニット宣伝詳細，宣伝バナー，及びウェブ宣伝が記録されている各ファイルを選択することにより指定されて、各入力欄に入力される。ここでの各ファイルは、動画ファイルや静止画ファイル（音声を含む）である。
【０２０６】
このＤ１０３で、各入力欄に入力して、「決定」ボタンを操作すると、Ｄ１０３で表示及び入力された内容と、ユニット宣伝メイン，ユニット宣伝詳細，宣伝バナー，及びウェブ宣伝の各ファイルとを含む宣伝登録要求が、広告管理装置６０に対して送信される。この宣伝登録要求を受信した広告管理装置６０は、宣伝ＩＤを生成し、図３１に示す宣伝ＤＢにおける当該広告主のデータテーブルで、該生成した宣伝ＩＤに対応付けて、前記受信した宣伝登録要求の内容を記憶する。ここで表示期間の記憶欄には、設定された表示開始日と、該表示開始日から前記設定された表示日数が経過した表示終了日とを記憶する。また宣伝プランの記憶欄には、宣伝種別が提供景品宣伝であるので、宣伝プランＡと記憶する。また契約期間の記憶欄には、設定された表示日数が日単位であれば日極，週単位であれば週極，月単位であれば月極と記憶する。
【０２０７】
また一般広告主が、ＰＣ６から広告管理装置６０にアクセスすると、該広告管理装置６０から送信されてきたＤ１００’のログイン画面がＰＣ６で表示される。このＤ１００’では、一般広告主を個々に識別可能な広告主ＩＤ，及び予め設定されている暗証番号の入力欄が表示される。
【０２０８】
このＤ１００’で、広告主ＩＤ及び暗証番号を入力して、「ログイン」ボタンを操作すると、該入力された広告主ＩＤ及び暗証番号が広告管理装置６０に対して送信されて、該広告管理装置６０において、記憶している広告主ＩＤ及び暗証番号との照合が行われ、照合ＯＫならば、該広告管理装置６０から送信されてきたＤ１０１’の作成種別指定画面がＰＣ６で表示される。このＤ１０１’では、作成種別として、宣伝（即ち一般宣伝），又はアンケート（即ち一般アンケート）を選択するためのラジオボタンが表示される。
【０２０９】
このＤ１０１’でアンケートのラジオボタンを選択して、「指定」ボタンを操作すると、広告管理装置６０から送信されてきたＤ１１１（図４１）のアンケート作成画面がＰＣ６で表示されるが、これについては［４．アンケート告知表示機能］として後述する。
【０２１０】
一方、Ｄ１０１’で宣伝のラジオボタンを選択して、「指定」ボタンを操作すると、広告管理装置６０から送信されてきたＤ１０３’の宣伝作成画面がＰＣ６（Ｄ１０１からの遷移の場合には配送管理装置８５）で表示される。このＤ１０３’では、Ｄ１００’で入力した広告主ＩＤの広告主（Ｄ１０１からの遷移の場合にはＤ１００で入力した業者ＩＤの広告主）と、宣伝種別が一般宣伝である旨と、宣伝名と、宣伝対象の価格と、表示開始日の入力欄と、表示日数を指定するためのラジオボタン及び入力欄と、ユニット宣伝メイン，ユニット宣伝詳細，宣伝バナー，及びウェブ宣伝のファイル名の入力欄と、購入サイトリンク情報の入力欄とが表示される。ここでユニット宣伝メイン，ユニット宣伝詳細，宣伝バナー，及びウェブ宣伝の各ファイル名は、Ｄ１０３と同様に、各入力欄に対応する「参照」ボタンを操作し、ＰＣ６又は配送管理装置８５が記憶している複数のファイルの中から当該ユニット宣伝メイン，ユニット宣伝詳細，宣伝バナー，及びウェブ宣伝が記録されている各ファイルを選択することにより指定されて、各入力欄に入力される。ここでの各ファイルは、動画ファイルや静止画ファイル（音声を含む）である。
【０２１１】
このＤ１０３’で、各入力欄に入力して、「決定」ボタンを操作すると、Ｄ１０３’で入力された表示日数が、広告管理装置６０に対して送信される。この表示日数を受信した広告管理装置６０は、図３０に示す宣伝プランＤＢから、受信した表示日数に応じた各宣伝プランの宣伝料金を抽出する。具体的には、受信した表示日数が日単位であれば１日あたり，週単位であれば１週間あたり，月単位であれば１ヶ月あたりの各宣伝プランの宣伝料金を抽出する。そして広告管理装置６０からは、該抽出した各宣伝プランの宣伝料金を表示すると共にいずれかの宣伝プランを選択するためのラジオボタンを表示したＤ１０４’の宣伝プラン選択画面がＰＣ６又は配送管理装置８５に対して送信されて表示される。
【０２１２】
このＤ１０４’で、「プラン詳細」ボタンを操作すると、広告管理装置６０から、図３０に示す宣伝プランＤＢで記憶している宣伝プランを示す画面（図示外）がＰＣ６又は配送管理装置８５に対して送信されて表示される。またＤ１０４’で、いずれかの宣伝プランを選択して、「決定」ボタンを操作すると、Ｄ１０３’で表示及び入力された内容と、ユニット宣伝メイン，ユニット宣伝詳細，宣伝バナー，及びウェブ宣伝の各ファイルと、Ｄ１０４’で選択された宣伝プランを示す情報とを含む宣伝登録要求が、広告管理装置６０に対して送信される。この宣伝登録要求を受信した広告管理装置６０は、宣伝ＩＤを生成し、図３１に示す宣伝ＤＢにおける当該広告主のデータテーブルで、該生成した宣伝ＩＤに対応付けて、前記受信した宣伝登録要求の内容を記憶する。ここで表示期間の記憶欄には、前記設定された表示開始日と、該表示開始日から前記設定された表示日数が経過した表示終了日とを記憶する。また宣伝プランの記憶欄には、設定された宣伝プランを記憶する。また契約期間の記憶欄には、設定された表示日数が日単位であれば日極，週単位であれば週極，月単位であれば月極と記憶する。
【０２１３】
ディスプレイ６３は、各種の情報を表示する表示デバイスであって、例えば液晶ディスプレイであり、入力装置６４は、各種の情報の入力を受け付ける入力デバイスであって、例えばキーボードやマウスである。
【０２１４】
このディスプレイ６３及び入力装置６４は、図３３（ａ）に示すように、宣伝情報であるユニット宣伝メインをユーザに対して表示するための自動表示条件を設定する自動表示条件設定手段として機能するものである。ここでは該自動表示条件である「時間条件」として、カードユニット２０にカードが挿入されてから何分毎にユニット宣伝メインを表示するかを設定可能である。
【０２１５】
この自動表示条件の設定について具体的に説明する。広告管理装置６０において、自動表示条件設定プログラムが起動されると、図３３（ａ）のＤ２００に示す自動表示条件設定画面がディスプレイ６３に表示される。このＤ２００では、前記時間条件として、ユニット宣伝メインを表示する時間間隔（例えば５分毎，１０分毎，１５分毎，又は２０分毎）を設定するためのプルダウンメニューが表示される。このＤ２００で入力装置６４を操作して、いずれかの時間間隔を選択し、「設定」ボタンを操作すると、該選択された時間間隔の時間条件が、自動表示条件として設定されて記憶される。ここで設定された自動表示条件は、場内管理装置５０に送信されて、ハードディスク５５で記憶されると共に、該場内管理装置５０から各カードユニット２０に送信されて、制御部２２のＥＥＰＲＯＭで記憶される。
【０２１６】
またディスプレイ６３及び入力装置６４は、図３３（ｂ）に示すように、特定操作受付宣伝記憶手段（後述する図３５に示す場内管理装置５０の宣伝表示履歴ＤＢ）で記憶している表示特定情報（操作時刻及び宣伝ＩＤ）から特定される宣伝情報（ユニット宣伝メイン）に関する宣伝関連情報（ユニット宣伝詳細）を特定操作を行ったユーザに対して表示するための再表示条件を設定する再表示条件設定手段として機能するものである。ここでは該再表示条件である「時間条件」として、カードユニット２０で特定操作（図１７で、Ｄ４２ａに示す「後で予約」ボタンの操作，又はＤ４２ｂに示す「詳細」ボタンの操作）を受け付けてから何分後にユニット宣伝詳細を表示するかを設定可能である。
【０２１７】
また再表示条件設定手段として機能するディスプレイ６３及び入力装置６４は、有価価値特定情報受付手段（カードＲ／Ｗ２３）により受け付けた有価価値特定情報（カードＩＤ）から特定される有価価値の大きさ（貯玉数，持玉数）が、特定操作受付宣伝記憶手段（後述する図３５に示す場内管理装置５０の宣伝表示履歴ＤＢ）で記憶している表示特定情報（操作時刻及び宣伝ＩＤ）から特定される宣伝情報（ユニット宣伝メイン）について対価管理手段（後述する図３４に示す場内管理装置５０の表示宣伝ＤＢ）で管理している対価（交換玉数又は価格）に到達していることを、前記再表示条件として設定するものである。
【０２１８】
ここでは該再表示条件である「持玉条件」として、提供景品宣伝については、カードユニット２０で会員カード２を受付中の場合に貯玉数＋持玉数が交換玉数以上であること，及びカードユニット２０でビジタカード３を受付中の場合に持玉数が交換玉数以上であることを設定可能である。また、一般宣伝については、カードユニット２０で会員カード２を受付中の場合における貯玉数＋持玉数，又はカードユニット２０でビジタカード３を受付中の場合に持玉数が、宣伝対象の価格に応じて設定された玉数以上であることを、持玉条件として設定可能である。このような再表示条件を設定すると、ユーザが所有する有価価値の大きさが特定操作を受け付けた宣伝情報の宣伝対象の対価に到達していることを条件として（つまりその場で決済可能な状況であれば）、該宣伝情報の宣伝関連情報が表示されることにより、該宣伝情報の宣伝対象に対するユーザの取得意欲をかき立てることができるので、宣伝効果をさらに高めることができる。
【０２１９】
また再表示条件設定手段として機能するディスプレイ６３及び入力装置６４は、特定操作受付宣伝記憶手段（後述する図３５に示す場内管理装置５０の宣伝表示履歴ＤＢ）で記憶している表示特定情報（操作時刻及び宣伝ＩＤ）から特定される宣伝情報（ユニット宣伝メイン）について表示期間管理手段（後述する図３４に示す場内管理装置５０の表示宣伝ＤＢ）で管理している表示期間の残り期間（図３５に示す残り期間）が所定期間以下になったことを、前記再表示条件として設定するものである。
【０２２０】
ここでは該再表示条件である「残り期間条件」として、提供景品宣伝及び一般宣伝について、残り期間が何日以内である場合にユニット宣伝詳細を表示するかを設定可能である。このような再表示条件を設定すると、宣伝情報の表示期間の残り期間が所定期間以下であることを条件として、該宣伝情報の宣伝関連情報が表示されると共に、後述する図１７のＤ４３ａ又はＤ４３ｂに示すように残り期間が表示されることにより、該宣伝情報の宣伝対象に対するユーザの取得意欲をかき立てる（あおる）ことができるので、宣伝効果をさらに高めることができる。
【０２２１】
さらに再表示条件設定手段として機能するディスプレイ６３及び入力装置６４は、特定操作受付宣伝記憶手段（後述する図３５に示す場内管理装置５０の宣伝表示履歴ＤＢ）で記憶している表示特定情報（操作時刻及び宣伝ＩＤ）から特定される宣伝情報（ユニット宣伝メイン）について在庫数管理手段（後述する図３４に示す場内管理装置５０の表示宣伝ＤＢ）で管理している在庫数が所定数以下になったことを、前記再表示条件として設定するものである。
【０２２２】
ここでは該再表示条件である「在庫数条件」として、提供景品宣伝について、在庫数が何個以内である場合にユニット宣伝詳細を表示するかを設定可能である。このような再表示条件を設定すると、宣伝情報の宣伝対象の在庫数が所定数以下であることを条件として、該宣伝情報の宣伝関連情報が表示されると共に、後述する図１７のＤ４３ａに示すように在庫数が表示されることにより、該宣伝情報の宣伝対象に対するユーザの取得意欲をかき立てる（あおる）ことができるので、宣伝効果をさらに高めることができる。
【０２２３】
これら再表示条件の設定について具体的に説明する。広告管理装置６０において、再表示条件設定プログラムが起動されると、再表示条件設定画面として、図３３（ｂ）のＤ２１０に示す宣伝種別指定画面がディスプレイ６３に表示される。このＤ２１０では、再表示条件を設定する宣伝種別として提供景品宣伝又は一般宣伝を選択するためのラジオボタンが表示される。
【０２２４】
このＤ２１０で、提供景品宣伝のラジオボタンを選択して、「指定」ボタンを操作すると、Ｄ２１１に示す再表示条件設定画面がディスプレイ６３に表示される。このＤ２１１では、前記時間条件として、特定操作を受け付けてからユニット宣伝詳細を表示するまでの経過時間（例えば３０分後，６０分後，９０分後，又は台移動後）を設定するためのプルダウンメニューが表示される。また追加条件として、前記持玉条件を設定するためのチェックボックスと、前記残り期間条件を設定するためのチェックボックス，及び残り期間を設定するためのプルダウンメニューと、前記在庫数条件を設定するためのチェックボックス，及び在庫数を設定するためのプルダウンメニューと、これら追加条件（持玉条件，残り期間条件，及び在庫数条件）をａｎｄ条件で設定するかｏｒ条件で設定するかを選択するためのラジオボタンとが表示される。ここで追加条件をａｎｄ条件で設定すると、前記時間条件が成立し、かつ設定されている追加条件の全てが成立すると、再表示条件が成立したことになり、追加条件をｏｒ条件で設定すると、前記時間条件が成立し、かつ設定されている追加条件のいずれかが成立すると、再表示条件が成立したことになる。
【０２２５】
このＤ２１１で入力装置６４を操作して、いずれかの経過時間を選択し、追加条件を設定する場合には、持玉条件，残り期間条件，及び在庫数条件のうちの一又は二以上を選択すると共に、ａｎｄ条件かｏｒ条件かを選択して、「設定」ボタンを操作すると、該選択された経過時間の時間条件と、選択された追加条件が、再表示条件として設定されて記憶される。
【０２２６】
前記Ｄ２１０で、一般宣伝のラジオボタンを選択して、「指定」ボタンを操作すると、Ｄ２１１’に示す再表示条件設定画面がディスプレイ６３に表示される。このＤ２１１’では、前記Ｄ２１１と同様の時間条件を設定するためのプルダウンメニューが表示される。また追加条件として、前記Ｄ２１１と異なる持玉条件を設定するためのチェックボックスと、前記Ｄ２１１と同様の残り期間条件を設定するためのチェックボックス，及び残り期間を設定するためのプルダウンメニューと、前記Ｄ２１１と同様にこれら追加条件（持玉条件，及び残り期間条件）をａｎｄ条件で設定するかｏｒ条件で設定するかを選択するためのラジオボタンとが表示される。
【０２２７】
ここで持玉条件としては、宣伝対象の価格が１００００円以下であれば、カードユニット２０で会員カード２を受付中の場合における貯玉数＋持玉数，又はカードユニット２０でビジタカード３を受付中の場合に持玉数（以下、「持玉数等」と称する。）が当該価格に相当する玉数（以下、「第１の玉数」と称する。）以上であることを設定し、宣伝対象の価格が１００００円を超えて５００００円以下であれば、持玉数等が前記第１の玉数を超える第２の玉数（例えば２０００個）以上であることを設定し、宣伝対象の価格が５００００円を超えていれば、持玉数等が前記第２の玉数を超える第３の玉数（例えば１００００個）以上であることを設定する。このような再表示条件を設定すると、ユーザが所有する持玉数等が特定操作を受け付けた宣伝情報の宣伝対象の価格に応じて設定された玉数に到達していることを条件として、該宣伝情報の宣伝関連情報が表示されることにより、該宣伝情報の宣伝対象に対するユーザの取得意欲をかき立てることができるので、宣伝効果をさらに高めることができる。
【０２２８】
このＤ２１１’で入力装置６４を操作して、いずれかの経過時間を選択し、追加条件を設定する場合には、持玉条件及び残り期間条件の一方又は両方を選択すると共に、ａｎｄ条件かｏｒ条件かを選択して、「設定」ボタンを操作すると、該選択された経過時間の時間条件と、選択された追加条件が、再表示条件として設定されて記憶される。
【０２２９】
これらＤ２１１又はＤ２１１’で設定された再表示条件は、場内管理装置５０に送信されて、ハードディスク５５で記憶されると共に、該場内管理装置５０から各カードユニット２０に送信されて、制御部２２のＥＥＰＲＯＭで記憶される。
【０２３０】
次に場内管理装置５０について説明する。場内管理装置５０は、図１に示すように接続される通信部５１，制御部５２，ディスプレイ５３，入力装置５４，及びハードディスク５５等を有するコンピュータである。
【０２３１】
通信部５１は、前述の如く、各カードユニット２０の場内通信部２１ｂと通信可能に接続され、また広告管理装置６０の通信部６１と通信可能に接続される。制御部５２は、ＣＰＵ，ＲＡＭ，ＲＯＭ等を備えており、ＲＯＭ及びハードディスク５５に記憶されている処理プログラムがＲＡＭを作業領域としてＣＰＵで実行されることにより、場内管理装置５０に備えられる各構成要素の動作を制御して各種の処理を行うものであるが、その機能については図３６〜図３８を参照して後述する。ディスプレイ５３は、各種の情報を表示する表示デバイスであって、例えば液晶ディスプレイであり、入力装置５４は、各種の情報の入力を受け付ける入力デバイスであって、例えばキーボードやマウスである。
【０２３２】
記憶手段であるハードディスク５５では、景品管理装置７０から送信されてきた景品情報（図２１）と、広告管理装置６０から送信されてきた宣伝プラン（図３０），宣伝情報（図３１），自動表示条件（図３３（ａ）），及び再表示条件（図３３（ｂ））と、図３４に示す表示宣伝ＤＢと、図３５に示す宣伝表示履歴ＤＢとを記憶している。
【０２３３】
図３４に示す表示宣伝ＤＢでは、前記記憶している宣伝情報（図３１）に含まれる複数の宣伝の各々について、広告主，宣伝ＩＤ，宣伝種別，景品名又は宣伝名，景品ＩＤ，交換玉数，価格，表示期間，ユニット宣伝メインのファイル名，ユニット宣伝詳細のファイル名，及び宣伝プランが、予め決定された表示順序に対応付けられて、カードユニット２０で表示される宣伝として記憶されており、ここでは該複数の宣伝が、表示順序に従って並べ替えて記憶されている。この表示順序は、まずユニット宣伝表示優先度が高い宣伝プランの順（即ち宣伝プランＡ→Ｂ→Ｃの順）に決定され、同順位であれば表示期間の残り期間が少ない順に決定される。この表示宣伝ＤＢで記憶されている内容と、ユニット宣伝メイン及びユニット宣伝詳細のファイルとは、各カードユニット２０に送信されて、制御部２２のＥＥＰＲＯＭで記憶される。
【０２３４】
この表示宣伝ＤＢは、カードユニット２０で表示する各宣伝情報の宣伝対象について、当該宣伝対象の対価（宣伝対象，価格）を管理する対価管理手段として機能するものである。また表示宣伝ＤＢは、カードユニット２０で表示する各宣伝情報について、当該宣伝情報を表示する表示期間を管理する表示期間管理手段として機能するものである。
【０２３５】
図３５に示す宣伝表示履歴ＤＢでは、カードＩＤ（会員カードＩＤ又はビジタカードＩＤ）に対応付けて、該カードＩＤのカード（会員カード２又はビジタカード３）が挿入されているカードユニット２０の台番号と、当該台番号のカードユニット２０に当該カードが挿入されたカード挿入時刻と、当該カードＩＤに対応付けられている貯玉数（ただし会員カードＩＤについてのみ），及び持玉数と、自動表示する宣伝を抽出するための表示順序カウンタ値と、当該台番号のカードユニット２０で表示された宣伝情報（ユニット宣伝メイン）の宣伝ＩＤと、当該宣伝情報が表示されたときに特定操作を受け付けた操作時刻と、当該宣伝情報の宣伝種別，宣伝プラン，残り期間，及び宣伝対象の在庫数と、当該宣伝情報に関する宣伝関連情報（ユニット宣伝詳細）が表示されたか否かを示す再表示フラグとが記憶される。ここで再表示フラグが１であれば、宣伝関連情報が表示された旨を示し、再表示フラグが０であれば、宣伝関連情報が表示されていない旨を示す。また表示順序カウンタ値は、１からカウントが開始されて、図３４に示す表示宣伝ＤＢで記憶している表示順序に至るまで、一つずつカウントアップされ、該表示順序に至ると、再び１に戻るものである。
【０２３６】
この宣伝表示履歴ＤＢは、特定操作受付手段（タッチパネル式のディスプレイ２４）により特定操作（Ｄ４２ａに示す「後で予約」ボタンの操作，又はＤ４２ｂに示す「詳細」ボタンの操作）を受け付けた宣伝情報を特定可能な表示特定情報（宣伝ＩＤ及び操作時刻）を記憶する特定操作受付宣伝記憶手段として機能するものである。また宣伝表示履歴ＤＢは、カードユニット２０で表示する各宣伝情報の宣伝対象について、当該宣伝対象の在庫数を管理する在庫数管理手段として機能するものである。この宣伝表示履歴ＤＢの記憶内容の更新については、図３６〜図３８を参照して後述する。なお宣伝表示履歴ＤＢの記憶内容は、１日の営業終了後に消去される。
【０２３７】
次に情報表示装置として機能するカードユニット２０について説明する。このカードユニット２０は、店舗（遊技場）に設置され、該店舗において会員登録した会員を個々に識別可能な会員識別情報（会員カードＩＤ）を受け付けると共に、所定の閲覧情報を表示するものであり、ここでは該閲覧情報として、所定の広告情報を表示するものである。そして本機能では、所定の広告情報として、商品やサービスの宣伝を行うための宣伝情報を表示し、かつ該宣伝情報として、当該店舗で取り扱われている店舗内対象の宣伝情報（即ち提供景品宣伝）と、当該店舗以外で取り扱われている店舗外対象の宣伝情報（即ち一般宣伝）とを表示する。このカードユニット２０では、前述の如く、表示宣伝ＤＢ（図３４）で記憶されている内容と、表示するユニット宣伝メイン及びユニット宣伝詳細のファイルとを、制御部２２のＥＥＰＲＯＭで記憶している。
【０２３８】
このカードユニット２０は、前記Ｄ１３ａ（図１４）が表示されているＳ２３（図９）の状態，又は前記Ｄ１３ｂ（図１４）が表示されているＳ３５（図９）の状態で、Ｓ５８（図１０）で宣伝一覧表示操作、即ちＤ１３ａ又はＤ１３ｂで表示される「宣伝一覧」ボタンの操作の受付が有るか（ＹＥＳ）、Ｓ５９で場内管理装置５０から送信されてくる後述する宣伝自動表示要求の受信が有るか（ＹＥＳ）、又はＳ６０で場内管理装置５０から送信されてくる後述する宣伝再表示要求の受信が有ると（ＹＥＳ）、図１２に示す宣伝表示処理（Ｓ７８）を行う。以下、このカードユニット２０が行う宣伝表示処理を、図１２に示すフローチャートに基づき、図１７に示す画面図を参照しながら説明する。
【０２３９】
この宣伝表示処理において、カードユニット２０は、宣伝一覧表示操作が有ったのか（Ｓ２０１）、宣伝自動表示要求の受信が有ったのか（Ｓ２０２）、又は宣伝再表示要求の受信が有ったのか（Ｓ２０３）を判定する。
【０２４０】
このＳ２０１で宣伝一覧表示操作が有った（ＹＥＳ）と判定された場合には、図１７のＤ４１に示す画面をディスプレイ２４に表示する。このＤ４１では、表示する宣伝を選択するためのボタンとして、ＥＥＰＲＯＭで記憶している各宣伝の広告主と景品名又は宣伝名とを示す宣伝ボタンが、各宣伝の表示順序に従って画面の上の方から順に表示される。
【０２４１】
このＤ４１が表示されているＳ２０４の状態では、いずれかの宣伝ボタンの操作を待機し（Ｓ２０５）、いずれかの宣伝ボタンの操作が有ると（ＹＥＳ）、該操作された宣伝ボタンに対応する宣伝を表示宣伝として特定して、受付中のカードのカードＩＤと該特定した表示宣伝の宣伝ＩＤとを含む表示宣伝情報を、場内通信部２１ｂから場内管理装置５０に対して送信し（Ｓ２０６）、当該表示宣伝の宣伝種別が提供景品宣伝であるか否かを判定する（Ｓ２０７）。なお表示宣伝情報を受信した場内管理装置５０は、図３５に示す宣伝表示履歴ＤＢを更新する処理を行うが、これについては図３６を参照して後述する。
【０２４２】
このＳ２０７で宣伝種別が提供景品宣伝である（ＹＥＳ）と判定された場合には、図１７のＤ４２ａに示す画面をディスプレイ２４に表示する（Ｓ２１１）。このＤ４２ａでは、表示宣伝の広告主及び景品名と、表示宣伝のユニット宣伝メインのファイルに記録されている動画（宣伝情報）が表示されると共に、当該宣伝情報の宣伝対象（ここでは提供景品）を予約する予約操作を受け付けるための「予約」ボタン，特定操作を受け付けるための「後で予約」ボタン，及び当該宣伝情報の表示を中止する操作を受け付けるための「表示中止」ボタンが表示される。また「予約」ボタンに対応して、この宣伝表示ページから遷移した景品交換ページで貯玉数や持玉数を使用して当該宣伝情報の宣伝対象と景品交換する際の対価（交換玉数）が割り引かれる旨が表示される。
【０２４３】
このＤ４２ａでのディスプレイ２４は、宣伝情報が表示されたときに、ユーザから該宣伝情報の宣伝対象（ここでは提供景品）を予約する予約操作（即ち「予約」ボタンの操作）を受け付ける予約操作受付手段として機能するものである。これによれば、宣伝情報が表示された情報表示装置において、宣伝対象の予約を受け付けることができるので、宣伝対象の予約を促進できる。またＤ４２ａでのディスプレイ２４は、宣伝情報が表示されたときに、ユーザから特定操作（即ち「後で予約」ボタンの操作）を受け付ける特定操作受付手段として機能するものである。
【０２４４】
このＤ４２ａが表示されているＳ２１１の状態では、該Ｄ４２ａで表示される「予約」ボタンの操作（Ｓ２１２），「後で予約」ボタンの操作（Ｓ２１３），「表示中止」ボタンの操作（Ｓ２１４），又は宣伝の表示終了（Ｓ２１５）を待機する。
【０２４５】
このＳ２１２で「予約」ボタンの操作が有ると（ＹＥＳ）、宣伝の表示を中止し、Ｄ４２ａで表示されている宣伝情報の宣伝対象を予約対象の景品として特定して、図１１のＳ１０３以下に進み、景品予約処理を行う。ただし該Ｓ１０３から進んだＳ１１０では、当該予約対象の景品の割引前の交換玉数に代えて、当該宣伝情報の宣伝プランで設定されている景品交換の割引率に基づいて算出された割引後の交換玉数を含んだ予約要求を、景品管理装置７０に対して送信する。具体的には、Ｄ４２ａで宣伝ＩＤがＸ１２４２７である「ずわいがに」の宣伝情報が表示されている場合には、該景品の割引前の交換玉数が２０００個であり、当該宣伝情報の宣伝プランＡで設定されている景品交換の割引率が１５％であるため、割引後の交換玉数である１７００個が予約要求に含まれる。
【０２４６】
このように、予約要求に割引後の交換玉数が含まれると、該予約要求を受信した景品管理装置７０は、図２９のＳ４１５に示す予約内容登録処理において、予約情報ＤＢ（図２３）で該割引後の交換玉数を登録し、同Ｓ４１６で、該割引後の交換玉数を含む予約登録完了通知をカードユニット２０に対して送信するので、該予約登録完了通知を受信したカードユニット２０は、Ｓ１２８で、図１６に示すＤ３５ａに代えて、該予約登録完了通知に含まれる割引後の交換玉数を含んだ、図１７に示すＤ３５ａ’の画面をディスプレイ２４に表示し、またＳ１３０で、図１６に示すＤ３５ｂに代えて、該予約登録完了通知に含まれる割引後の交換玉数を含んだ、図１７に示すＤ３５ｂ’の画面をディスプレイ２４に表示する。そしてＳ１２８又はＳ１３０から進んだＳ１４３の決済処理では、貯玉数や持玉数から当該割引後の交換玉数を減算するための処理を行う。
【０２４７】
このＳ１４３の決済処理を行う制御部２２及び場内通信部２１ｂは、有価価値特定情報受付手段（カードＲ／Ｗ２３）により受け付けた有価価値特定情報（カードＩＤ）から特定される有価価値の大きさ（貯玉数，持玉数）を使用して、前記予約操作受付手段により予約操作を受け付けた宣伝対象の対価を決済するための処理を行う決済処理手段として機能するものである。これによれば、情報表示装置において予約を受け付けた宣伝対象の対価を決済することができるので、宣伝対象を単に予約しただけで終わることなく、該宣伝対象の取得を促進できる。
【０２４８】
また決済処理手段として機能する制御部２２及び場内通信部２１ｂは、予約操作に基づく宣伝対象の取得に要する対価を割り引くための処理を行うものである。これによれば、情報表示装置において予約を受け付けた宣伝対象の取得に要する対価を割り引くための処理が行われることにより、該割り引かれた対価で宣伝対象を取得することができるので、宣伝対象の取得をさらに促進できる。
【０２４９】
前記Ｓ２１３で「後で予約」ボタンの操作が有ると（ＹＥＳ）、受付中のカードのカードＩＤと前記特定した表示宣伝の宣伝ＩＤとを含む特定操作情報を、場内通信部２１ｂから場内管理装置５０に対して送信し（Ｓ２１６）、宣伝の表示が終了すると、宣伝表示処理を終了して、図１０に示すメイン処理に戻る。また前記Ｓ２１４で「表示中止」ボタンの操作が有ると（ＹＥＳ）、宣伝の表示を中止し、宣伝表示処理を終了して、図１０に示すメイン処理に戻る。またＳ２１５で宣伝の表示が終了したと判定されると（ＹＥＳ）、宣伝表示処理を終了して、図１０に示すメイン処理に戻る。
【０２５０】
前記Ｓ２０７で宣伝種別が提供景品宣伝でない（ＮＯ）、即ち宣伝種別が一般宣伝であると判定された場合には、図１７のＤ４２ｂに示す画面をディスプレイ２４に表示する（Ｓ２２１）。このＤ４２ｂでは、表示宣伝の広告主及び宣伝名と、表示宣伝のユニット宣伝メインのファイルに記録されている動画（宣伝情報）が表示されると共に、特定操作を受け付けるための「詳細」ボタン，及び当該宣伝情報の表示を中止する操作を受け付けるための「表示中止」ボタンが表示される。このＤ４２ｂでのディスプレイ２４は、宣伝情報が表示されたときに、ユーザから特定操作（即ち「詳細」ボタンの操作）を受け付ける特定操作受付手段として機能するものである。
【０２５１】
このＤ４２ｂが表示されているＳ２２１の状態では、該Ｄ４２ｂで表示される「詳細」ボタンの操作（Ｓ２２２），「表示中止」ボタンの操作（Ｓ２２３），又は宣伝の表示終了（Ｓ２２４）を待機する。
【０２５２】
このＳ２２２で「詳細」ボタンの操作が有ると（ＹＥＳ）、受付中のカードのカードＩＤと前記特定した表示宣伝の宣伝ＩＤとを含む特定操作情報を、場内通信部２１ｂから場内管理装置５０に対して送信して（Ｓ２２５）、図１７のＤ４３ｂに示す画面をディスプレイ２４に表示する（Ｓ２２６）。このＤ４３ｂでは、表示宣伝の広告主及び宣伝名と、表示宣伝のユニット宣伝詳細のファイルに記録されている動画（宣伝関連情報）が表示されると共に、当該宣伝関連情報の表示を中止する操作を受け付けるための「表示中止」ボタンが表示される。
【０２５３】
このＤ４３ｂが表示されているＳ２２６の状態では、該Ｄ４３ｂで表示される「表示中止」ボタンの操作（Ｓ２２７），又は宣伝の表示終了（Ｓ２２８）を待機する。このＳ２２７で「表示中止」ボタンの操作が有ると（ＹＥＳ）、宣伝の表示を中止し、宣伝表示処理を終了して、図１０に示すメイン処理に戻る。またＳ２２８で宣伝の表示が終了したと判定されると（ＹＥＳ）、宣伝表示処理を終了して、図１０に示すメイン処理に戻る。
【０２５４】
前記Ｓ２２３で「表示中止」ボタンの操作が有ると（ＹＥＳ）、宣伝の表示を中止し、宣伝表示処理を終了して、図１０に示すメイン処理に戻る。またＳ２２４で宣伝の表示が終了したと判定されると（ＹＥＳ）、宣伝表示処理を終了して、図１０に示すメイン処理に戻る。
【０２５５】
前記Ｓ２０２で場内管理装置５０から送信されてくる宣伝自動表示要求の受信が有ると（ＹＥＳ）、該宣伝自動表示要求に含まれる宣伝ＩＤの宣伝を表示宣伝として特定して、Ｓ２０７以下に進み、図１７のＤ４１に示す宣伝一覧で宣伝ボタンが操作された場合と同様にして、宣伝自動表示要求に含まれる宣伝ＩＤの宣伝を表示する。
【０２５６】
前記Ｓ２０３で場内管理装置５０から送信されてくる宣伝再表示要求の受信が有ると（ＹＥＳ）、該宣伝再表示要求に含まれる宣伝ＩＤの宣伝を表示宣伝として特定して、当該表示宣伝の宣伝種別が提供景品宣伝であるか否かを判定する（Ｓ２３１）。
【０２５７】
このＳ２３１で宣伝種別が提供景品宣伝である（ＹＥＳ）と判定された場合には、図１７のＤ４３ａに示す画面をディスプレイ２４に表示する（Ｓ２３２）。このＤ４３ａでは、表示宣伝の広告主及び景品名と、表示宣伝のユニット宣伝詳細のファイルに記録されている動画（宣伝関連情報）が表示されると共に、当該宣伝関連情報の宣伝対象（ここでは提供景品）を予約する予約操作を受け付けるための「予約」ボタン，及び当該宣伝関連情報の表示を中止する操作を受け付けるための「表示中止」ボタンが表示される。また「予約」ボタンに対応して、この宣伝表示ページから遷移した景品交換ページで貯玉数や持玉数を使用して当該宣伝関連情報の宣伝対象と景品交換する際の対価（交換玉数）が割り引かれる旨が表示される。さらに宣伝再表示要求に残り期間が含まれる場合には、該残り期間が表示され、宣伝再表示要求に在庫数が含まれる場合には、該在庫数が表示される。
【０２５８】
このＤ４３ａでのディスプレイ２４は、宣伝関連情報が表示されたときに、ユーザから該宣伝関連情報の宣伝対象（ここでは提供景品）を予約する予約操作（即ち「予約」ボタンの操作）を受け付ける予約操作受付手段として機能するものである。これによれば、宣伝関連情報が表示された情報表示装置において、宣伝対象の予約を受け付けることができるので、宣伝対象の予約を促進できる。
【０２５９】
このＤ４３ａが表示されているＳ２３２の状態では、該Ｄ４３ａで表示される「予約」ボタンの操作（Ｓ２３３），「表示中止」ボタンの操作（Ｓ２３４），又は宣伝の表示終了（Ｓ２３５）を待機する。
【０２６０】
このＳ２３３で「予約」ボタンの操作が有ると（ＹＥＳ）、宣伝の表示を中止し、Ｄ４３ａで表示されている宣伝関連情報の宣伝対象を予約対象の景品として特定して、図１１のＳ１０３以下に進み、景品予約処理を行う。このＳ１０３から進んだＳ１１０で、予約要求に割引後の交換玉数が含まれ、Ｓ１２８で、割引後の交換玉数を含むＤ３５ａ’の画面が表示され、Ｓ１３０で、割引後の交換玉数を含むＤ３５ｂ’の画面が表示され、Ｓ１４３の決済処理で、貯玉数や持玉数から当該割引後の交換玉数を減算するための処理が行われる点は、前記Ｓ２１２でＹＥＳと判定された場合と同様である。
【０２６１】
またＳ２３４で「表示中止」ボタンの操作が有ると（ＹＥＳ）、宣伝の表示を中止し、宣伝表示処理を終了して、図１０に示すメイン処理に戻る。またＳ２３５で宣伝の表示が終了したと判定されると（ＹＥＳ）、宣伝表示処理を終了して、図１０に示すメイン処理に戻る。
【０２６２】
前記Ｓ２３１で宣伝種別が提供景品宣伝でない（ＮＯ）、即ち宣伝種別が一般宣伝であると判定された場合には、前記Ｓ２２６以下に進む。ただし宣伝再表示要求に残り期間が含まれる場合には、該Ｓ２２６で、該残り期間を含むＤ４３ｂの画面が表示される。
【０２６３】
次に場内管理装置５０が行う宣伝表示履歴ＤＢ更新処理（図３６），宣伝自動表示処理（図３７），及び宣伝再表示処理（図３８）について説明する。場内管理装置５０は、これら図３６〜図３８に示す処理を、遊技場の営業中において常時行っている。
【０２６４】
まず場内管理装置５０が行う宣伝表示履歴ＤＢ更新処理を、図３６に示すフローチャートを参照して説明する。この宣伝表示履歴ＤＢ更新処理において、場内管理装置５０は、カードユニット２０から送信されてくる情報（カード挿入情報，貯玉数更新情報，持玉数更新情報，表示宣伝情報，特定操作情報，カード返却情報，又は消去情報）の受信を待機する（Ｓ５００）。このＳ５００でカードユニット２０から送信されてくる情報の受信が有ると（ＹＥＳ）、Ｓ５０１〜Ｓ５０６で、該受信した情報の種類がいずれであるかを判定する。
【０２６５】
まずＳ５０１で、受信したのがカード挿入情報である（ＹＥＳ）と判定された場合には、図３５に示す宣伝表示履歴ＤＢにおいて、該カード挿入情報に含まれるカードＩＤに対応付けて、カード挿入情報の送信元であるカードユニット２０の台番号と、カード挿入情報の受信時刻であるカード挿入時刻と、カード挿入情報に含まれる貯玉数（会員カードＩＤの場合のみ），及び持玉数とを記憶して（Ｓ５１１）、処理を終了する。
【０２６６】
またＳ５０２で、受信したのが貯玉数更新情報である（ＹＥＳ）と判定された場合には、図３５に示す宣伝表示履歴ＤＢにおいて、該貯玉数更新情報に含まれる会員カードＩＤに対応付けて記憶している貯玉数を、該貯玉数更新情報に含まれる貯玉数に更新して（Ｓ５１２）、処理を終了する。
【０２６７】
またＳ５０３で、受信したのが持玉数更新情報である（ＹＥＳ）と判定された場合には、図３５に示す宣伝表示履歴ＤＢにおいて、該持玉数更新情報に含まれるカードＩＤに対応付けて記憶している持玉数を、該持玉数更新情報に含まれる持玉数に更新して（Ｓ５１３）、処理を終了する。
【０２６８】
またＳ５０４で、受信したのが表示宣伝情報である（ＹＥＳ）と判定された場合には、図３５に示す宣伝表示履歴ＤＢにおいて、該表示宣伝情報に含まれるカードＩＤに対応付けて該表示宣伝情報に含まれる宣伝ＩＤが記憶されているか否かを判定し（Ｓ５１４）、該宣伝ＩＤが既に記憶されている（ＹＥＳ）、即ち該宣伝ＩＤの宣伝情報が当該カードＩＤのカードを所有しているユーザに対して既に表示されていると判定された場合には、処理を終了し、該宣伝ＩＤが未だ記憶されていない（ＮＯ）、即ち該宣伝ＩＤの宣伝情報が当該カードＩＤのカードを所有しているユーザに対して未だ表示されていないと判定された場合には、宣伝表示履歴ＤＢにおいて、前記表示宣伝情報に含まれるカードＩＤに対応付けて、当該宣伝ＩＤと、該宣伝ＩＤの宣伝の宣伝種別，宣伝プラン，残り期間，及び在庫数と、再表示フラグとして０を記憶して（Ｓ５１５）、処理を終了する。ここで宣伝種別と宣伝プランは、図３４に示す表示宣伝ＤＢから抽出して記憶する。また残り期間は、表示宣伝ＤＢで記憶している表示期間に基づいて算出して記憶する。また在庫数は、宣伝種別が提供景品宣伝である場合に、表示宣伝ＤＢから景品ＩＤを抽出し、広告管理装置６０がハードディスク６５で記憶している景品情報（図２１）から該抽出した景品ＩＤに対応する在庫数を取得して記憶する。
【０２６９】
またＳ５０５で、受信したのが特定操作情報である（ＹＥＳ）と判定された場合には、該特定操作情報に含まれるカードＩＤ及び宣伝ＩＤに対応付けて、該特定操作情報の受信時刻である操作時刻を記憶して（Ｓ５１６）、処理を終了する。
【０２７０】
またＳ５０５で、受信したのがカード返却情報である（ＹＥＳ）と判定された場合には、図３５に示す宣伝表示履歴ＤＢにおいて、該カード返却情報に含まれるカードＩＤに対応付けて記憶されている台番号，カード挿入時刻，貯玉数，及び持玉数を消去して（Ｓ５１７）、当該カードＩＤが会員カードＩＤであるか否かを判定し（Ｓ５１８）、会員カードＩＤでなければ（ＮＯ）、処理を終了し、会員カードＩＤであれば（ＹＥＳ）、当該会員カードＩＤに対応付けて宣伝表示履歴ＤＢで記憶している各宣伝ＩＤ，操作時刻，宣伝種別，宣伝プラン，残り期間，及び在庫数を含む宣伝表示履歴データを、広告管理装置６０に対して送信して（Ｓ５１９）、処理を終了する。この宣伝表示履歴データを受信した広告管理装置６０は、後述する図４３に示す宣伝表示履歴ＤＢ，及び前記図２（ａ）に示す会員情報ＤＢを更新する処理を行うが、これについては図４３を参照して後述する。
【０２７１】
さらにＳ５０６で、受信したのがカード返却情報でない（ＮＯ）と判定された場合には、受信したのが消去情報であるので、図３５に示す宣伝表示履歴ＤＢにおいて、該消去情報に含まれるビジタカードＩＤに対応付けて記憶されている台番号，カード挿入時刻，貯玉数，及び持玉数と、各宣伝ＩＤ，操作時刻，宣伝種別，宣伝プラン，残り期間，在庫数，及び再表示フラグをからなる宣伝表示履歴データを消去して（Ｓ５２０）、処理を終了する。このように、消去情報を受信すると、該消去情報に含まれるビジタカードＩＤに対応付けられている宣伝表示履歴データ、即ち当該ビジタカードＩＤのビジタカード３が受け付けられているカードユニット２０に対応するパチンコ機１０で遊技を行っていたビジタ遊技者（仮に「甲」とする）の宣伝表示履歴データが消去されるので、当該カードユニット２０で会員カード２又はビジタカード３を挿入せずに紙幣を挿入して遊技を行うビジタ遊技者に対して、甲の宣伝表示履歴に基づく再表示が行われることが無くなる。
【０２７２】
以上に説明したように、図３５に示す宣伝表示履歴ＤＢにおいては、カード挿入情報の受信に基づいて、カードＩＤに対応付けて台番号，カード挿入時刻，貯玉数，及び持玉数が記憶され、カード返却情報の受信に基づいて、カードＩＤに対応付けて記憶されている台番号，カード挿入時刻，貯玉数，及び持玉数が消去されることにより、カードユニット２０にカードが挿入されている間は台番号やカード挿入時刻等が記憶されているので、カードＩＤに対応する台番号を参照することにより、ユーザが存在するカードユニット２０を把握することができる。
【０２７３】
次に場内管理装置５０が行う宣伝自動表示処理を、図３７に示すフローチャートを参照して説明する。この宣伝自動表示処理において、場内管理装置５０は、まず図３５に示す宣伝表示履歴ＤＢで記憶している一のカードＩＤを抽出し（Ｓ６０１）、該抽出したカードＩＤに対応付けてカード挿入時刻が記憶されているか否かを判定する（Ｓ６０２）。このＳ６０２でカード挿入時刻が記憶されていない（ＮＯ）と判定された場合には、前記抽出したカードＩＤのカードを所有するユーザがいずれのカードユニット２０にも存在しないので、宣伝の自動表示は行わずに、Ｓ６０１に戻る。なおＳ６０１に戻った場合には、次のカードＩＤを抽出して、Ｓ６０２以下に進む。
【０２７４】
一方、Ｓ６０２でカード挿入時刻が記憶されている（ＹＥＳ）と判定された場合には、ハードディスク５５で記憶している自動表示条件に基づいて、図３３（ａ）のＤ２００で設定された時間条件を満たすか否か、即ち該カード挿入時刻から該時間条件として設定された時間間隔が経過しているか否かを判定する（Ｓ６０３）。このＳ６０３で時間条件を満たさない（ＮＯ）と判定された場合には、自動表示条件が成立しないので、Ｓ６０１に戻る。一方、Ｓ６０３で時間条件を満たす（ＹＥＳ）と判定された場合には、自動表示条件が成立するので、図３５に示す宣伝表示履歴ＤＢにおいて、前記抽出したカードＩＤに対応する表示順序カウンタ値（例えば「２」）を特定し、図３４に示す表示宣伝ＤＢから、該特定した表示順序カウンタ値が示す表示順序に対応する宣伝ＩＤ（ここでは「Ｐ００２４８」）を抽出して（Ｓ６０４）、Ｓ６０５に進む。
【０２７５】
Ｓ６０５では、図３５に示す宣伝表示履歴ＤＢにおいて、前記抽出した宣伝ＩＤが記憶されているか否かを判定し、該宣伝ＩＤが既に記憶されている（ＹＥＳ）、即ち該宣伝ＩＤの宣伝情報が前記抽出したカードＩＤのカードを所有しているユーザに対して既に表示されていると判定された場合には、Ｓ６０７に進み、該宣伝ＩＤが未だ記憶されていない（ＮＯ）、即ち該宣伝ＩＤの宣伝情報が前記抽出したカードＩＤのカードを所有しているユーザに対して未だ表示されていないと判定された場合には、前記Ｓ５１５と同様に、宣伝表示履歴ＤＢにおいて、当該カードＩＤに対応付けて、当該宣伝ＩＤと、該宣伝ＩＤの宣伝の宣伝種別，宣伝プラン，残り期間，及び在庫数と、再表示フラグとして０を記憶して、Ｓ６０７に進む。
【０２７６】
Ｓ６０７では、前記抽出した宣伝ＩＤを含む宣伝自動表示要求を、前記抽出したカードＩＤに対応付けられている台番号のカードユニット２０に対して送信して、Ｓ６０８に進む。この宣伝自動表示要求を受信したカードユニット２０では、前記図１２のＳ２０２でＹＥＳと判定されるので、Ｓ２０７以下に進んで、宣伝情報の自動表示が行われる。Ｓ６０８では、前記表示順序カウンタ値が図３４に示す表示宣伝ＤＢで設定されている表示順序の最大値（本例では６）に達しているか否かを判定する。このＳ６０８で表示順序の最大値に達していない（ＮＯ）と判定された場合には、該表示順序カウンタ値を１つカウントアップして（Ｓ６０９）、Ｓ６０１に戻る。一方、Ｓ６０８で表示順序の最大値に達している（ＹＥＳ）と判定された場合には、該表示順序カウンタ値を１に戻して、Ｓ６０１に戻る。この場合には、表示順序が１である宣伝から、再び自動表示が行われることになる。
【０２７７】
なお表示順序カウンタ値は、カード返却情報を受信してもクリアされないので、台移動した後においても、台移動する前から引き続いて、宣伝の自動表示が行われる。つまり台移動前に表示順序が３である宣伝が自動表示された後に台移動をすると、台移動後には表示順序が４である宣伝から自動表示される。
【０２７８】
次に場内管理装置５０が行う宣伝再表示処理を、図３８に示すフローチャートを参照して説明する。この宣伝再表示処理において、場内管理装置５０は、まず図３５に示す宣伝表示履歴ＤＢで記憶している一のカードＩＤを抽出し（Ｓ７０１）、該抽出したカードＩＤに対応付けてカード挿入時刻が記憶されているか否かを判定する（Ｓ７０２）。このＳ７０２でカード挿入時刻が記憶されていない（ＮＯ）と判定された場合には、前記抽出したカードＩＤのカードを所有するユーザがいずれのカードユニット２０にも存在しないので、宣伝の再表示は行わずに、Ｓ７０１に戻る。なおＳ７０１に戻った場合には、次のカードＩＤを抽出して、Ｓ７０２以下に進む。
【０２７９】
一方、Ｓ７０２でカード挿入時刻が記憶されている（ＹＥＳ）と判定された場合には、図３５に示す宣伝表示履歴ＤＢにおいて、前記抽出したカードＩＤに対応付けて記憶している宣伝ＩＤの中から、再表示フラグが０であり、かつ操作時刻が最も早い時刻である宣伝ＩＤを抽出し（Ｓ７０３）、該抽出した宣伝ＩＤの宣伝が提供景品宣伝であるか否かを判定する（Ｓ７０４）。ここでＳ７０３では、再表示フラグが１である宣伝（即ち再表示が１回行われた宣伝）は抽出されないので、再表示が２回以上行われることはない。
【０２８０】
このＳ７０４で提供景品宣伝である（ＹＥＳ）と判定された場合には、ハードディスク５５で記憶している再表示条件に基づいて、図３３（ｂ）のＤ２１１で設定された時間条件を満たすか否か、即ち該カード挿入時刻から該時間条件として設定された経過時間が経過しているか否かを判定する（Ｓ７１１）。なお時間条件として「台移動」が設定されている場合には、カード挿入時刻が前記抽出した宣伝ＩＤの操作時刻よりも後であるか否かを判定する。このＳ７１１で時間条件を満たさない（ＮＯ）と判定された場合には、再表示条件が成立しないので、Ｓ７０１に戻る。
【０２８１】
一方、Ｓ７１１で時間条件を満たす（ＹＥＳ）と判定された場合には、ハードディスク５５で記憶している再表示条件に基づいて、図３３（ｂ）のＤ２１１で追加条件が設定されているか否かを判定する（Ｓ７１１ａ）。このＳ７１１ａで追加条件が設定されていない（ＮＯ）と判定された場合には、再表示条件が成立するので、前記抽出した宣伝ＩＤを含む宣伝再表示要求を、前記抽出したカードＩＤに対応付けられている台番号のカードユニット２０に対して送信し（Ｓ７２３）、該カードＩＤに対応付けて再表示フラグ１を記憶して（Ｓ７２４）、Ｓ７０１に戻る。この宣伝再表示要求を受信したカードユニット２０では、前記図１２のＳ２０３でＹＥＳと判定されるので、Ｓ２３１からＳ２３２以下に進んで、図１７に示すＤ４３ａで宣伝関連情報（ユニット宣伝詳細）の表示が行われる。
【０２８２】
このＳ７２３の処理を行う制御部５２は、再表示条件設定手段により設定された再表示条件が成立したことを条件として、特定操作を行ったユーザが存在するカードユニット２０において宣伝関連情報（ユニット宣伝詳細）を表示するための再表示処理を行う再表示処理手段として機能するものである。これによれば、再表示条件が成立すると、情報表示装置においてユーザから特定操作を受け付けた宣伝情報に関する宣伝関連情報が、当該ユーザが存在する情報表示装置において表示されることにより、ユーザから特定操作を受け付けた宣伝を再度閲覧させることができるので、宣伝効果をさらに高めることができる。
【０２８３】
前記Ｓ７１１ａで追加条件が設定されている（ＹＥＳ）と判定された場合には、Ｓ７１２で、ハードディスク５５で記憶している再表示条件に基づいて、前記Ｄ２１１で持玉条件が設定されているか否かを判定する。このＳ７１２で持玉条件が設定されている（ＹＥＳ）と判定された場合には、Ｓ７１３で、該設定されている持玉条件を満たすか否か、即ち抽出したカードＩＤが会員カードＩＤである場合には該会員カードＩＤに対応する貯玉数＋持玉数が前記抽出した宣伝ＩＤに対応する提供景品の交換玉数以上であるか否かを判定し、抽出したカードＩＤがビジタカードＩＤである場合には該ビジタカードＩＤに対応する持玉数が前記抽出した宣伝ＩＤに対応する提供景品の交換玉数以上であるか否かを判定する。このＳ７１３で持玉条件を満たす（ＹＥＳ）と判定された場合には、持玉条件成立フラグを記憶して（Ｓ７１４）、Ｓ７１５に進む。一方、Ｓ７１３で持玉条件を満たさない（ＮＯ）と判定された場合，及びＳ７１２で持玉条件が設定されていない（ＮＯ）と判定された場合にも、Ｓ７１５に進む。
【０２８４】
Ｓ７１５では、ハードディスク５５で記憶している再表示条件に基づいて、前記Ｄ２１１で残り期間条件が設定されているか否かを判定する。このＳ７１５で残り期間条件が設定されている（ＹＥＳ）と判定された場合には、Ｓ７１６で、該設定されている残り期間条件を満たすか否か、即ち抽出したカードＩＤに対応する残り期間が設定されている残り期間以下であるか否かを判定する。このＳ７１６で残り期間条件を満たす（ＹＥＳ）と判定された場合には、残り期間条件成立フラグを記憶して（Ｓ７１７）、Ｓ７１８に進む。一方、Ｓ７１６で残り期間条件を満たさない（ＮＯ）と判定された場合，及びＳ７１５で残り期間条件が設定されていない（ＮＯ）と判定された場合にも、Ｓ７１８に進む。
【０２８５】
Ｓ７１８では、ハードディスク５５で記憶している再表示条件に基づいて、前記Ｄ２１１で在庫数条件が設定されているか否かを判定する。このＳ７１８で在庫数条件が設定されている（ＹＥＳ）と判定された場合には、Ｓ７１９で、該設定されている在庫数条件を満たすか否か、即ち抽出したカードＩＤに対応する在庫数が設定されている在庫数以下であるか否かを判定する。このＳ７１９で在庫数条件を満たす（ＹＥＳ）と判定された場合には、在庫数条件成立フラグを記憶して（Ｓ７２０）、Ｓ７２１に進む。一方、Ｓ７１９で在庫数条件を満たさない（ＮＯ）と判定された場合，及びＳ７１８で在庫数条件が設定されていない（ＮＯ）と判定された場合にも、Ｓ７２１に進む。
【０２８６】
Ｓ７２１では、ハードディスク５５で記憶している再表示条件に基づいて、追加条件がａｎｄ条件で設定されているか否かを判定する。このＳ７２１でａｎｄ条件で設定されていない（ＮＯ）、即ちｏｒ条件で設定されていると判定された場合には、Ｓ７２５で、設定されているいずれかの条件の成立フラグが記憶されているか否かを判定する。このＳ７２５でいずれの条件の成立フラグも記憶されていない（ＮＯ）と判定された場合には、再表示条件が成立しないので、Ｓ７０１に戻る。一方、Ｓ７２５でいずれかの条件の成立フラグが記憶されている（ＹＥＳ）と判定された場合には、再表示条件が成立するので、前記Ｓ７２３に進む。
【０２８７】
前記Ｓ７２１でａｎｄ条件で設定されている（ＹＥＳ）と判定された場合には、Ｓ７２２で、設定されている全ての条件の成立フラグが記憶されているか否かを判定する。このＳ７２２で全ての条件の成立フラグが記憶されていない（ＮＯ）と判定された場合には、再表示条件が成立しないので、Ｓ７０１に戻る。一方、Ｓ７２２で全ての条件の成立フラグが記憶されている（ＹＥＳ）と判定された場合には、再表示条件が成立するので、前記Ｓ７２３に進む。
【０２８８】
Ｓ７２２又はＳ７２５から進んだＳ７２３では、前記抽出した宣伝ＩＤを含むと共に、残り期間条件成立フラグが記憶されている場合には、前記抽出したカードＩＤに対応付けられている残り期間をさらに含み、在庫数条件成立フラグが記憶されている場合には、前記抽出したカードＩＤに対応付けられている在庫数をさらに含む宣伝再表示要求を、前記抽出したカードＩＤに対応付けられている台番号のカードユニット２０に対して送信し、Ｓ７２４で、該カードＩＤに対応付けて再表示フラグ１を記憶して、Ｓ７０１に戻る。この宣伝再表示要求を受信したカードユニット２０では、前記図１２のＳ２０３でＹＥＳと判定されるので、Ｓ２３１からＳ２３２以下に進んで、図１７に示すＤ４３ａで宣伝関連情報（ユニット宣伝詳細）の表示が行われ、特に宣伝再表示要求に残り期間や在庫数が含まれる場合には、該残り期間や在庫数が表示される。
【０２８９】
このＳ７２３の処理を行う前記再表示処理手段として機能する制御部５２は、再表示条件（残り期間条件）が成立したことを条件として、残り期間を示唆する情報を含む宣伝関連情報（ユニット宣伝詳細）を表示するための処理を行うものである。これによれば、宣伝情報の表示期間の残り期間が所定期間以下であることを条件として、該宣伝情報の宣伝関連情報及び残り期間が表示されることにより、該宣伝情報の宣伝対象に対するユーザの取得意欲をかき立てることができるので、宣伝効果をさらに高めることができる。
【０２９０】
またＳ７２３の処理を行う前記再表示処理手段として機能する制御部５２は、再表示条件（在庫数条件）が成立したことを条件として、在庫数を示唆する情報を含む宣伝関連情報（ユニット宣伝詳細）を表示するための処理を行うのである。これによれば、宣伝情報の宣伝対象の在庫数が所定数以下であることを条件として、該宣伝情報の宣伝関連情報及び在庫数が表示されることにより、該宣伝情報の宣伝対象に対するユーザの取得意欲をかき立てることができるので、宣伝効果をさらに高めることができる。
【０２９１】
前記Ｓ７０４で提供景品宣伝でない（ＮＯ）、即ち一般宣伝であると判定された場合には、ハードディスク５５で記憶している再表示条件に基づいて、図３３（ｂ）のＤ２１１’で設定された時間条件を満たすか否か、即ち該カード挿入時刻から該時間条件として設定された経過時間が経過しているか否かを判定する（Ｓ７３１）。なお時間条件として「台移動」が設定されている場合には、カード挿入時刻が前記抽出した宣伝ＩＤの操作時刻よりも後であるか否かを判定する。このＳ７３１で時間条件を満たさない（ＮＯ）と判定された場合には、再表示条件が成立しないので、Ｓ７０１に戻る。
【０２９２】
一方、Ｓ７３１で時間条件を満たす（ＹＥＳ）と判定された場合には、ハードディスク５５で記憶している再表示条件に基づいて、図３３（ｂ）のＤ２１１’で追加条件が設定されているか否かを判定する（Ｓ７３１ａ）。このＳ７３１ａで追加条件が設定されていない（ＮＯ）と判定された場合には、再表示条件が成立するので、前記抽出した宣伝ＩＤを含む宣伝再表示要求を、前記抽出したカードＩＤに対応付けられている台番号のカードユニット２０に対して送信し（Ｓ７２３）、該カードＩＤに対応付けて再表示フラグ１を記憶して（Ｓ７２４）、Ｓ７０１に戻る。この宣伝再表示要求を受信したカードユニット２０では、前記図１２のＳ２０３でＹＥＳと判定されるので、Ｓ２３１からＳ２２６以下に進んで、図１７に示すＤ４３ｂで宣伝関連情報（ユニット宣伝詳細）の表示が行われる。
【０２９３】
前記Ｓ７３１ａで追加条件が設定されている（ＹＥＳ）と判定された場合には、Ｓ７３２で、ハードディスク５５で記憶している再表示条件に基づいて、前記Ｄ２１１’で持玉条件が設定されているか否かを判定する。このＳ７３２で持玉条件が設定されている（ＹＥＳ）と判定された場合には、Ｓ７３３で、該設定されている持玉条件を満たすか否か、即ち抽出したカードＩＤが会員カードＩＤである場合には該会員カードＩＤに対応する貯玉数＋持玉数，また抽出したカードＩＤがビジタカードＩＤである場合には該ビジタカードＩＤに対応する持玉数が、前記抽出した宣伝ＩＤに対応する価格に応じて設定された玉数（第１の玉数，第２の玉数，又は第３の玉数のいずれか）以上であるか否かを判定する。このＳ７３３で持玉条件を満たす（ＹＥＳ）と判定された場合には、持玉条件成立フラグを記憶して（Ｓ７３４）、Ｓ７３５に進む。一方、Ｓ７３３で持玉条件を満たさない（ＮＯ）と判定された場合，及びＳ７３２で持玉条件が設定されていない（ＮＯ）と判定された場合にも、Ｓ７３５に進む。
【０２９４】
Ｓ７３５では、ハードディスク５５で記憶している再表示条件に基づいて、前記Ｄ２１１’で残り期間条件が設定されているか否かを判定する。このＳ７３５で残り期間条件が設定されている（ＹＥＳ）と判定された場合には、Ｓ７３６で、該設定されている残り期間条件を満たすか否か、即ち抽出したカードＩＤに対応する残り期間が設定されている残り期間以下であるか否かを判定する。このＳ７３６で残り期間条件を満たす（ＹＥＳ）と判定された場合には、残り期間条件成立フラグを記憶して（Ｓ７１７）、前記Ｓ７２１に進む。一方、Ｓ７３６で残り期間条件を満たさない（ＮＯ）と判定された場合，及びＳ７３５で残り期間条件が設定されていない（ＮＯ）と判定された場合にも、前記Ｓ７２１に進む。
【０２９５】
このＳ７２１からＳ７２２又はＳ７２５を経て進んだＳ７２３では、前記抽出した宣伝ＩＤを含むと共に、残り期間条件成立フラグが記憶されている場合には、前記抽出したカードＩＤに対応付けられている残り期間をさらに含む宣伝再表示要求を、前記抽出したカードＩＤに対応付けられている台番号のカードユニット２０に対して送信し、Ｓ７２４で、該カードＩＤに対応付けて再表示フラグ１を記憶して、Ｓ７０１に戻る。この宣伝再表示要求を受信したカードユニット２０では、前記図１２のＳ２０３でＹＥＳと判定されるので、Ｓ２３１からＳ２２６以下に進んで、図１７に示すＤ４３ｂで宣伝関連情報（ユニット宣伝詳細）の表示が行われ、特に宣伝再表示要求に残り期間が含まれる場合には、該残り期間が表示される。
【０２９６】
［４．アンケート告知表示機能］
情報表示・配信システム１の第４の機能であるアンケート告知表示機能は、情報表示装置として機能するカードユニット２０と、広告管理装置６０とにより実現される。このアンケート告知表示機能では、カードユニット２０において、会員に閲覧させる所定の閲覧情報として、所定の広告情報が表示され、本機能では、該広告情報として、アンケート告知（図１８のＤ５１）が表示される。以下、各構成要素について説明する。
【０２９７】
まず広告管理装置６０について説明する。記憶手段であるハードディスク６５では、図３９に示すアンケートプランＤＢと、図４０に示すアンケートＤＢとを記憶している。
【０２９８】
図３９に示すアンケートプランＤＢでは、景品提供業者が提供景品に関連して行うアンケートである提供景品アンケートに対するアンケートプランと、景品提供業者や一般広告主が行う一般アンケートに対するアンケートプランとが記憶されている。まず提供景品アンケートのアンケートプランとしては、１種類のアンケートプランＡが設定されており、該アンケートプランＡについて、アンケート告知表示優先度，及びアンケートバナー表示優先度が設定されているが、アンケート料金については設定されていない。即ち提供景品アンケートのアンケート料金は無料である。また一般アンケートのアンケートプランとしては、３種類のアンケートプランＡ，Ｂ，Ｃが設定されており、各アンケートプランＡ，Ｂ，Ｃについて、アンケート告知表示優先度，及びアンケートバナー表示優先度が設定されていると共に、１ヶ月あたり，１週間あたり，及び１日あたりのアンケート料金が設定されている。即ち一般アンケートのアンケート料金は有料である。この一般アンケートのアンケートプランでは、Ａ→Ｂ→Ｃの順で、優先度やアンケート料金が低くなる。
【０２９９】
ここでアンケート告知表示優先度は、カードユニット２０において、後述する図１８のＤ５１に示すように、アンケート告知が表示される際の優先度であり、高→中→低の順で、表示される優先度が低くなる。またアンケートバナー表示優先度は、会員のＰＣ７又は携帯電話８において、後述する図４８のＤ３０１に示すように、会員専用トップページで閲覧関連情報であるアンケートバナーが表示される際の優先度であり、高→中→低の順で、表示される優先度が低くなる。
【０３００】
図４０に示すアンケートＤＢでは、広告主（景品提供業者及び一般広告主）毎のデータテーブルが設けられており、各データテーブルでは、当該広告主が行う複数のアンケートの各々について、各アンケートを個々に識別可能なアンケートＩＤに対応付けて、アンケート種別（提供景品アンケート，又は一般アンケート）と、アンケート名と、表示期間と、アンケート対象者の条件と、アンケートに対する回答の内容に応じて付与される特典電子マネーの付与額の条件と、閲覧関連情報であるアンケートが記録されているファイルのファイル名と、購入サイトリンク情報と、アンケートプラン（Ａ，Ｂ，又はＣ）と、契約単位（月極，週極，又は日極）とが記憶される。
【０３０１】
このアンケートＤＢでは、図４１に示すようにして設定された内容が記憶される。前記図３２において、景品提供業者が、Ｄ１０１で提供景品アンケート，又は一般アンケートのラジオボタンを選択して、「指定」ボタンを操作するか、又は一般広告主が、Ｄ１０１’でアンケートのラジオボタンを選択して、「指定」ボタンを操作すると、広告管理装置６０から送信されてきた図４１に示すＤ１１１のアンケート作成画面が配送管理装置８５（景品提供業者の場合）又はＰＣ６（一般広告主の場合）で表示される。
【０３０２】
このＤ１１１では、広告主と、アンケート名の入力欄と、表示開始日の入力欄と、表示日数を指定するためのラジオボタン及び入力欄と、アンケート対象者の条件を設定する領域Ａと、アンケートに対する回答の内容に応じて付与される特典電子マネーの付与額の条件を設定する領域Ｂと、アンケートのファイル名の入力欄と、購入サイトリンク情報の入力欄とが表示される。ここでアンケートのファイル名は、入力欄に対応する「参照」ボタンを操作し、配送管理装置８５又はＰＣ６が記憶している複数のファイルの中から当該アンケートが記録されているファイルを選択することにより指定されて、入力欄に入力される。ここでのファイルは、後述する図４８のＤ３０３に示すように、選択形式の質問（Ｑ１やＱ２）及び／又はフリー入力形式の質問（Ｑ９やＱ１０）を含むものである。
【０３０３】
また領域Ａでは、アンケート対象者の性別（男及び／又は女）を設定するためのチェックボックスと、アンケート対象者の年齢を設定するための入力欄とが表示される。また領域Ｂでは、特典電子マネーとして、一定金額を付与するか，又は質問形式毎に付与するかを選択するためのラジオボタンと、一定金額を付与する場合における該付与額の入力欄と、質問形式毎に付与する場合において、選択形式の質問に対する付与について付与単位（全問，１問毎）を選択するコンボボックス及び付与額の入力欄と、フリー入力形式の質問に対する付与について付与単位（全問，１問毎，１００文字毎）を選択するコンボボックス及び付与額の入力欄とが表示される。
【０３０４】
そして、配送管理装置８５で提供景品アンケートの設定をする場合（即ち図３２のＤ１０１で提供景品アンケートのラジオボタンが選択された場合）には、Ｄ１１１で、各入力欄に入力及び選択肢を選択して、「決定」ボタンを操作すると、該入力及び選択された内容と、アンケートのファイルとを含むアンケート登録要求が、広告管理装置６０に対して送信される。このアンケート登録要求を受信した広告管理装置６０は、アンケートＩＤを生成し、図４０に示すアンケートＤＢにおける当該広告主のデータテーブルで、該生成したアンケートＩＤに対応付けて、前記受信したアンケート登録要求の内容を記憶する。ここで表示期間の記憶欄には、設定された表示開始日と、該表示開始日から前記設定された表示日数が経過した表示終了日とを記憶する。またアンケートプランの記憶欄には、アンケート種別が提供景品アンケートであるので、アンケートプランＡと記憶する。また契約期間の記憶欄には、設定された表示日数が日単位であれば日極，週単位であれば週極，月単位であれば月極と記憶する。
【０３０５】
一方、ＰＣ６で一般アンケートの設定をする場合（即ち図３２のＤ１０１’でアンケートのラジオボタンが選択された場合），及び配送管理装置８５で一般アンケートの設定をする場合（即ち図３２のＤ１０１で提供景品アンケートのラジオボタンが選択された場合）には、Ｄ１１１で、各入力欄に入力及び選択肢を選択して、「決定」ボタンを操作すると、該Ｄ１１１で入力された表示日数が、広告管理装置６０に対して送信される。この表示日数を受信した広告管理装置６０は、図３９に示すアンケートプランＤＢから、受信した表示日数に応じた各アンケートプランのアンケート料金を抽出する。具体的には、受信した表示日数が日単位であれば１日あたり，週単位であれば１週間あたり，月単位であれば１ヶ月あたりの各アンケートプランのアンケート料金を抽出する。そして広告管理装置６０からは、該抽出した各アンケートプランのアンケート料金を表示すると共にいずれかのアンケートプランを選択するためのラジオボタンを表示したＤ１１２のアンケートプラン選択画面がＰＣ６又は配送管理装置８５に対して送信されて表示される。
【０３０６】
このＤ１１２で、「プラン詳細」ボタンを操作すると、広告管理装置６０から、図３９に示すアンケートプランＤＢで記憶しているアンケートプランを示す画面（図示外）がＰＣ６又は配送管理装置８５に対して送信されて表示される。またＤ１１２で、いずれかのアンケートプランを選択して、「決定」ボタンを操作すると、Ｄ１１１で入力及び選択された内容と、アンケートのファイルと、Ｄ１１２で選択されたアンケートプランとを含むアンケート登録要求が、広告管理装置６０に対して送信される。このアンケート登録要求を受信した広告管理装置６０は、アンケートＩＤを生成し、図４０に示すアンケートＤＢにおける当該広告主のデータテーブルで、該生成したアンケートＩＤに対応付けて、前記受信したアンケート登録要求の内容を記憶する。ここで表示期間の記憶欄には、設定された表示開始日と、該表示開始日から前記設定された表示日数が経過した表示終了日とを記憶する。またアンケートプランの記憶欄には、設定されたアンケートプランを記憶する。また契約期間の記憶欄には、設定された表示日数が日単位であれば日極，週単位であれば週極，月単位であれば月極と記憶する。
【０３０７】
次に情報表示装置として機能するカードユニット２０について説明する。このカードユニット２０は、前記閲覧情報として、所定の広告情報を表示するものである。そして本機能では、所定の広告情報として、会員に対してアンケートの存在を告知するためのアンケート告知を表示するものである。またアンケート告知は、アンケートの対象である商品やサービスの広告でもあるため、所定の広告情報に相当する。
【０３０８】
なお本発明では、後述する会員専用ページにおいてアンケートを表示して回答を受け付ける一方、カードユニット２０においてはアンケート告知のみを表示してアンケートは表示しないようにしているが、これはカードユニット２０においてアンケートを表示しても、遊技中にアンケートに回答する会員は少ないからであり、またカードユニット２０においてアンケートを表示して回答を受け付けると、回答中はカードユニット２０に対応するパチンコ機１０での遊技が行われなくなって、パチンコ機１０の稼動が悪くなってしまうからである。
【０３０９】
このカードユニット２０は、前記Ｄ１３ａ（図１４）が表示されているＳ２３（図９）の状態で、Ｓ６１（図１０）でアンケート告知表示操作、即ちＤ１３ａで表示される「アンケート告知」ボタンの操作の受付が有ると（ＹＥＳ）、広告管理装置６０と協働して、図１３に示すアンケート告知表示処理（Ｓ７９）を行う。なおカードユニット２０と広告管理装置６０との間における通信は、カードユニット２０の場内通信部２１ｂと広告管理装置６０の通信部６１との間において、場内管理装置５０を介して行われる。以下、このカードユニット２０が行うアンケート告知表示処理を、図１３に示すフローチャートに基づき、図１８に示す画面図を参照しながら説明する。
【０３１０】
まずカードユニット２０は、アンケート告知表示操作が有ると、受付中の会員カード２の会員カードＩＤを含むアンケート告知要求を、広告管理装置６０に対して送信する（Ｓ２５１）。このアンケート告知要求を受信した広告管理装置６０は、該アンケート告知要求に含まれる会員カードＩＤに対応付けて図２（ａ）に示す会員情報ＤＢで携帯電話ＩＤの登録が有るか否か、即ち電子マネー使用登録が行われているか否かを判定する（Ｓ２５２）。このＳ２５２で携帯電話ＩＤの登録が無い（ＮＯ）、即ち電子マネー使用登録が行われていないと判定された場合には、図１８のＤ５２に示す画面をカードユニット２０に対して送信し、カードユニット２０は該画面をディスプレイ２４に表示する。このＤ５２では、携帯電話８から電子マネー使用登録をしないとアンケートに回答できない旨が表示される。電子マネー使用登録をしないと、アンケートの回答に対する特典電子マネーを付与することができないからである。
【０３１１】
一方、Ｓ２５２で携帯電話ＩＤの登録が有る（ＹＥＳ）、即ち電子マネー使用登録が行われていると判定された場合には、前記アンケート告知要求に含まれる会員カードＩＤに対応付けて図２（ａ）に示す会員情報ＤＢで登録されている当該会員の属性情報のうちの性別及び年齢を特定し（Ｓ２５３）、当該会員を対象とするアンケート（以下、「対象アンケート」と称する。）が有るか否か、即ち図４０に示すアンケートＤＢで登録されているアンケートのうちＳ２５３で特定した当該会員の性別及び年齢がアンケート対象者の条件として設定されているアンケートが有るか否かを判定する（Ｓ２５４）。このＳ２５４で対象アンケートが無い（ＮＯ）、即ち当該会員の性別及び年齢がアンケート対象者の条件として設定されているアンケートが無いと判定された場合には、図１８のＤ５３に示す画面をカードユニット２０に対して送信し、カードユニット２０は該画面をディスプレイ２４に表示する。このＤ５３では、対象アンケートが無い旨が表示される。
【０３１２】
一方、Ｓ２５４で対象アンケートが有る（ＹＥＳ）、即ち当該会員の性別及び年齢がアンケート対象者の条件として設定されているアンケートが有ると判定された場合には、図４０に示すアンケートＤＢで登録されている対象アンケートのうち前記アンケート告知要求に含まれる会員カードＩＤに対応付けて後述する図４４に示すアンケート操作履歴ＤＢで登録されていない未登録の対象アンケートが有るか否かを判定する（Ｓ２５５）。このＳ２５５で未登録の対象アンケートが無い（ＮＯ）と判定された場合には、前記Ｄ５３に示す画面をカードユニット２０に対して送信し、カードユニット２０は該画面をディスプレイ２４に表示する。
【０３１３】
一方、Ｓ２５５で未登録の対象アンケートが有る（ＹＥＳ）と判定された場合には、該未登録の対象アンケートを抽出し（Ｓ２５６）、該抽出した未登録の対象アンケートを、各アンケートについて設定されているアンケートプランのアンケート告知表示優先度が高い順に並べ替えて、該並べ替えた順に各アンケートのアンケートＩＤ及びアンケート名を含むアンケート告知情報をカードユニット２０に対して送信する（Ｓ２５７）。
【０３１４】
このアンケート告知情報を受信したカードユニット２０は、図１８のＤ５１に示す画面をディスプレイ２４に表示する。このＤ５１では、前記アンケート告知情報に含まれる順で各アンケートのアンケート名を示すアンケートボタンが表示されると共に、該アンケートボタンをクリックし、会員専用ページにログインしてアンケートに回答すると、特典電子マネーが付与される旨が表示される。
【０３１５】
このＤ５１が表示されているＳ２６１の状態では、いずれかのアンケートボタンの操作（Ｓ２６２），又は所定時間（例えば１分間）の経過（Ｓ２６３）を待機する。このＳ２６２でいずれかのアンケートボタンの操作が有ると（ＹＥＳ）、受付中の会員カード２の会員カードＩＤと該操作されたアンケートボタンが示すアンケート名に対応するアンケートＩＤとを含む特定操作情報を、広告管理装置６０に対して送信して（Ｓ２６４）、再びＳ２６２又はＳ２６３を待機する。この特定操作情報を受信した広告管理装置６０は、後述する図４４に示すアンケート操作履歴ＤＢにおいて、該特定操作情報に含まれる会員カードＩＤに対応付けて、該特定操作情報に含まれるアンケートＩＤと、操作日と、当該アンケートについて設定されているアンケートプランと、後述する回答済フラグ０とを登録する（Ｓ２６５）。
【０３１６】
前記Ｓ２６３で所定時間が経過した（ＹＥＳ）と判定されると、アンケート告知表示処理を終了して、図１０に示すメイン処理に戻る。また図示しないが、前記Ｓ２６３で所定時間が経過すると判定される前に、Ｄ５１で表示されている全てのアンケートボタンの操作が有った場合にも、アンケート告知表示処理を終了して、図１０に示すメイン処理に戻る。
【０３１７】
［５．情報配信機能及び電子マネー発行機能］
情報表示・配信システム１の第５の機能である情報配信機能は、広告管理装置６０により実現される。この情報配信機能では、情報表示装置（カードユニット２０）において、会員を個々に識別可能な会員識別情報が受け付けられ、該会員識別情報の受付に関連して閲覧情報（つまり広告情報であるユニット宣伝メイン，アンケート告知）が表示されると（本例では、さらに特定操作が行われると）、広告管理装置６０において、表示特定情報記憶手段（図４３に示す宣伝表示履歴ＤＢ，図４４に示すアンケート操作履歴ＤＢ）により、会員識別情報と、閲覧情報を特定可能な表示特定情報（宣伝ＩＤ，アンケートＩＤ）とが対応付けて記憶され、会員が所有する情報端末（ＰＣ７又は携帯電話８）から会員識別情報を特定可能な情報を含むログイン要求を受信したことを条件として、該会員識別情報に対応付けて記憶されている表示特定情報から特定される閲覧情報に関する閲覧関連情報を含む会員専用ページが情報端末に対して送信される。
【０３１８】
ここで会員専用ページは、当該会員専用であって所定のサービス（本例では、会員カードＩＤの統合登録や、ポイントを使用した景品交換のサービス）を提供するためのウェブページであり、図４８〜図５１に示す各ページ（ただしＤ３００は除く）である。また閲覧情報に関する閲覧関連情報、つまり広告情報に関する広告関連情報は、Ｄ３０１に含まれる宣伝バナー及びアンケートバナーや、Ｄ３０２ａ及びＤ３０２ｂに含まれるウェブ宣伝や、Ｄ３０３に含まれるアンケートである。
【０３１９】
また情報表示・配信システム１の第５の機能である電子マネー発行機能は、広告管理装置６０と、電子マネー管理サーバ８０と、金融機関サーバ９０Ｂとにより実現される。この電子マネー発行機能では、広告管理装置６０において、閲覧関連情報を含む会員専用ページを送信したこと（本例では、さらに該閲覧関連情報であるアンケートに対する回答を受け付けたこと）を条件として、当該会員が所有する電子マネー記憶媒体（携帯電話８）に対して該会員に特典として付与される電子マネーを記憶させるための電子マネー発行処理が行われる。
【０３２０】
ここで広告管理装置６０は、ウェブサーバとして機能するものであり、制御部６２は、会員専用ページ送信手段，割引処理手段，及び電子マネー発行処理手段として機能するものであるが、これらの機能については図４５〜図４７を参照して後述する。また制御部６２は、ポイント管理手段として機能するものであるが、この機能については図４３及び図４５を参照して後述する。
【０３２１】
通信部６１は、情報表示装置（カードユニット２０）において受け付けられた会員識別情報（会員カードＩＤ）を取得する会員識別情報取得手段として機能すると共に、情報表示装置において閲覧情報（ユニット宣伝メイン，アンケート告知）が表示されたときに会員から特定操作を受け付けた旨を示す特定操作情報を取得する特定操作情報取得手段として機能するものである。具体的には、場内管理装置５０から送信されてくる、会員カードＩＤに対応付けて図３５に示す宣伝表示履歴ＤＢで記憶している各宣伝ＩＤ，操作時刻，宣伝種別，宣伝プラン，残り期間，及び在庫数が含まれる宣伝表示履歴データ（図３６のＳ５１９）を受信することにより、該宣伝表示履歴データに含まれる会員カードＩＤを取得すると共に、該宣伝表示履歴データに含まれる宣伝ＩＤと操作時刻とを特定操作情報として取得する。またカードユニット２０から送信されてくる特定操作情報（図１３のＳ２６４）を受信することにより、該特定操作情報に含まれる会員カードＩＤとアンケートＩＤとを取得する。
【０３２２】
ディスプレイ６３及び入力装置６４は、図４２に示すように、各閲覧関連情報の優先度を設定する優先度設定手段として機能するものであり、ここでは閲覧関連情報である宣伝バナー及びアンケートバナーが後述する図４８のＤ３０１に示す会員専用トップページで表示されるための優先度を設定する。具体的には、広告管理装置６０において、バナー表示条件設定プログラムが起動されると、図４２のＤ２２０に示すバナー表示条件設定画面がディスプレイ６３に表示される。
【０３２３】
このＤ２２０では、宣伝バナーについて、会員専用トップページに含まれる該宣伝バナーの数を設定するためのプルダウンメニューが表示される。また優先度決定条件として、宣伝プラン，残り期間，又は操作からの期間のいずれを優先して優先度を決定するかを設定するための優先順位の入力欄と、当該残り期間を設定するためのプルダウンメニュー，及び当該操作からの期間を設定するためのプルダウンメニューとが表示される。
【０３２４】
さらに優先度低下条件として、宣伝バナーの表示回数が所定回数に達したことを条件として優先度を低下させる旨を設定するためのチェックボックス，及び当該表示回数を設定するためのプルダウンメニューと、ウェブ宣伝が表示される会員専用ページ（図４８のＤ３０２ａ）から遷移したポイント使用ページでポイントを使用して景品交換が行われたことを条件として優先度を低下させる旨を設定するためのチェックボックスとが表示される。ここで優先度低下条件として宣伝バナーの表示回数を設定し、宣伝バナーの表示回数が該設定された表示回数に達すると、当該宣伝バナーが表示される優先度が低下することにより、優先度が低い宣伝バナーにも表示されるチャンスが巡ってくるので、宣伝バナーが表示される機会の均等が図られて広告主の公平性を担保することができる。また景品交換が行われると、一般に当該景品に対する興味は薄れるので、優先度低下条件として景品交換を設定し、景品交換が行われると、当該提供景品の宣伝バナーが表示される優先度が低下することにより、ユーザにとって興味のない宣伝が表示される煩わしさを減少することができると共に、優先度が低い宣伝バナーにも表示されるチャンスが巡ってくるので、宣伝バナーが表示される機会の均等が図られて広告主の公平性を担保することができる。
【０３２５】
またＤ２２０では、アンケートバナーについて、会員専用トップページに含まれる該アンケートバナーの数を設定するためのプルダウンメニューが表示される。なおアンケートバナーについては、各アンケートについて設定されているアンケートプランのアンケートバナー表示優先度が高い順に会員専用トップページで表示される旨が、予め設定されている。
【０３２６】
このＤ２２０で入力装置６４を操作して、会員専用トップページに含まれる宣伝バナーの数（必須），優先度決定条件（必須），優先度低下条件（任意），及び会員専用トップページに含まれるアンケートバナーの数（必須）を選択又は入力し、「設定」ボタンを操作すると、該選択又は入力された内容が、バナー表示条件として設定されて記憶される。
【０３２７】
記憶手段であるハードディスク６５では、前記図２（ａ）に示す会員情報ＤＢを記憶している。この会員情報ＤＢで記憶されているポイント数は、場内管理装置５０から送信されてくる宣伝表示履歴データ（図３６のＳ５１９）を受信したことに基づいて、制御部６２の制御により更新される。具体的には、会員情報ＤＢにおいて、受信した宣伝表示履歴データに含まれている会員カードＩＤに対応するポイント数に対して、該宣伝表示履歴データに含まれている各宣伝ＩＤ毎に所定のポイント数（例えば１ポイント）を加算する。なお各宣伝ＩＤについてポイントが付与されるのは１日１回とし、当日に既にポイントが付与された宣伝ＩＤを含む宣伝表示履歴データを受信しても、当該宣伝ＩＤについてはポイントは付与されない。
【０３２８】
ここでの制御部６２は、カードユニット２０において会員カードＩＤの受付に関連して宣伝情報（ユニット宣伝メイン）が表示されたことを条件として、該会員カードＩＤに対応付けて管理しているポイントに対して所定の大きさのポイントを加算する処理を行うポイント管理手段として機能するものである。これによれば、カードユニット２０において会員に対して宣伝情報が表示されると、当該会員のポイントが加算されることにより、会員登録の促進につながるので、会員の増加に伴って宣伝効果をさらに高めることができる。
【０３２９】
また記憶手段であるハードディスク６５では、図４３に示す宣伝表示履歴ＤＢを記憶している。この宣伝表示履歴ＤＢでは、会員カードＩＤに対応付けて、該会員カードＩＤの受付中にカードユニット２０で表示された宣伝情報（ユニット宣伝メイン）の宣伝ＩＤと、当該宣伝情報が表示されたときに特定操作を受け付けた最新操作日と、当該宣伝情報の宣伝種別，宣伝プラン，残り期間，及び宣伝対象の在庫数と、当該宣伝情報に関する宣伝関連情報である宣伝バナーが会員専用トップページ（図４８のＤ３０１）で表示された回数である宣伝バナー表示回数と、該宣伝バナーがクリックされて表示される会員専用ページ（図４８のＤ３０２ａ）から遷移したポイント使用ページでポイントを使用して景品交換が行われたか否かを示す交換済フラグとが記憶される。ここで交換済フラグが１であれば、景品交換が行われた旨を示し、交換済フラグが０であれば、景品交換が行われていない旨を示す。ここで在庫数と交換済フラグは、宣伝種別が提供景品宣伝である宣伝ＩＤについてのみ記憶される。
【０３３０】
この宣伝表示履歴ＤＢの記憶内容は、場内管理装置５０から送信されてくる宣伝表示履歴データ（図３６のＳ５１９）を受信したことに基づいて、制御部６２の制御により更新される。具体的には、まず宣伝表示履歴ＤＢにおいて、受信した宣伝表示履歴データに含まれている会員カードＩＤに対応付けて、該宣伝表示履歴データに含まれている各宣伝ＩＤが記憶されているか否かを判定する。ここで宣伝表示履歴ＤＢで記憶されている宣伝ＩＤについては、受信した宣伝表示履歴データに操作時刻が含まれていれば、該記憶されている宣伝ＩＤに対応する最新操作日を当日に更新する（操作時刻が含まれていなければ、最新操作日は更新しない）。一方、宣伝表示履歴ＤＢで記憶されていない宣伝ＩＤについては、当該宣伝ＩＤを記憶し、受信した宣伝表示履歴データに操作時刻が含まれていれば、最新操作日として当日を記憶し（操作時刻が含まれていなければ、最新操作日は記憶せず）、受信した宣伝表示履歴データに含まれている宣伝種別，宣伝プラン，残り期間，及び在庫数を記憶すると共に、宣伝バナー表示回数及び交換済フラグとして０を記憶する。
【０３３１】
また宣伝表示履歴ＤＢの記憶内容は、１日の営業開始前に、制御部６２の制御により更新される。具体的には、まず各宣伝ＩＤについて、対応する残り期間が１日ならば、当日は残り期間が零なので、当該宣伝ＩＤ及び対応する各データを削除する。次に各宣伝ＩＤについて、残り期間及び在庫数を更新する。ここで残り期間は、１日を減算し、在庫数は、当日にハードディスク６５で記憶した景品情報（図２１）から取得して記憶する。そして各宣伝ＩＤについて、当日が契約更新日ならば、当該宣伝ＩＤに対応する宣伝バナー表示回数及び交換済フラグをゼロクリアする。例えば図３１に示す宣伝ＤＢにおいて、宣伝ＩＤがＸ１２４２９である宣伝は、契約単位が月極で、表示期間が９月３日から３ヶ月であるため、契約更新日である１０月３日と１１月３日に、該宣伝ＩＤに対応する宣伝バナー表示回数及び交換済フラグをゼロクリアする。このように宣伝バナー表示回数及び交換済フラグをゼロクリアしないと、前記図４２のＤ２２０で優先度低下条件として「宣伝バナーの表示回数が○回で低下」や「ウェブ宣伝から景品交換で低下」が設定されている場合において、一度当該優先度低下条件を満たすと、当該宣伝の表示期間中ずっと優先度が低下したままとなって、広告主にとって著しく不利益であるため、契約更新日において宣伝バナー表示回数及び交換済フラグをゼロクリアし、当該宣伝の優先度の低下を解消することにより、長期に亘って契約をしている広告主が不利益とならないようにしているのである。
【０３３２】
この宣伝表示履歴ＤＢは、会員識別情報取得手段により取得した会員カードＩＤと、カードユニット２０において該会員カードＩＤの受付に関連して表示された閲覧情報（ユニット宣伝メイン）を特定可能な表示特定情報（宣伝ＩＤ）とを対応付けて記憶する表示特定情報記憶手段として機能するものであり、ここでは特定操作情報取得手段により特定操作情報である宣伝ＩＤと操作時刻とを取得したことを条件として、会員カードＩＤと宣伝ＩＤとを対応付けて記憶するものである。
【０３３３】
さらに記憶手段であるハードディスク６５では、図４４に示すアンケート操作履歴ＤＢを記憶している。このアンケート操作履歴ＤＢでは、会員カードＩＤに対応付けて、該会員カードＩＤの受付中にカードユニット２０で表示されたアンケート告知のうちアンケートボタンが操作された（即ち特定操作を受け付けた）アンケートのアンケートＩＤと、当該操作を受け付けた操作日と、当該アンケートのアンケートプランと、当該アンケートに対する回答を受け付けたか否かを示す回答済フラグとが記憶される。ここで回答済フラグが１であれば、回答を受け付けた旨を示し、回答済フラグが０であれば、回答を受け付けていない旨を示す。このアンケート操作履歴ＤＢの記憶内容は、前記図１３で説明したようにして、制御部６２の制御により更新される。
【０３３４】
このアンケート操作履歴ＤＢは、会員識別情報取得手段により取得した会員カードＩＤと、カードユニット２０において該会員カードＩＤの受付に関連して表示された閲覧情報（アンケート告知）を特定可能な表示特定情報（アンケートＩＤ）とを対応付けて記憶する表示特定情報記憶手段として機能するものであり、ここでは特定操作情報取得手段により特定操作情報であるアンケートＩＤを取得したことを条件として、会員カードＩＤとアンケートＩＤとを対応付けて記憶するものである。
【０３３５】
ここで広告管理装置６０が行う会員専用ページ送信処理を、図４５〜図４７に示すフローチャートに基づき、図４８〜図５１に示す画面図を参照しながら説明する。
【０３３６】
この図４５〜図４７に示す処理を行う制御部６２及び通信部６１は、会員が所有する情報端末（ＰＣ７又は携帯電話８）から会員カードＩＤを特定可能な情報を含むログイン要求を受信したことを条件として、当該会員専用であって所定のサービスを提供するための会員専用ページを情報端末に対して送信する会員専用ページ送信手段として機能するものであり、ここではログイン要求に含まれる情報から特定される会員カードＩＤに対応付けて表示特定情報記憶手段（宣伝表示履歴ＤＢ，アンケート操作履歴ＤＢ）で記憶している表示特定情報（宣伝ＩＤ，アンケートＩＤ）から特定される閲覧情報に関する閲覧関連情報（図４８のＤ３０１に含まれる宣伝バナー及びアンケートバナー，Ｄ３０２ａ及びＤ３０２ｂに含まれるウェブ宣伝，Ｄ３０３に含まれるアンケート）を含む会員専用ページを情報端末に対して送信するものである。
【０３３７】
即ち会員専用ページとして機能する制御部６２及び通信部６１は、カードユニット２０で表示した所定の広告情報（ユニット宣伝メイン，アンケート告知）に関する広告関連情報（図４８のＤ３０１に含まれる宣伝バナー，Ｄ３０２ａ及びＤ３０２ｂに含まれるウェブ宣伝）を閲覧関連情報として含む会員専用ページを情報端末に対して送信するものであり、また所定のアンケートに関するアンケート関連情報（図４８のＤ３０１に含まれるアンケートバナー，Ｄ３０３に含まれるアンケート）を閲覧関連情報として含む会員専用ページを情報端末に対して送信するものである。
【０３３８】
図４５に示す会員専用ページ送信処理において、広告管理装置６０は、会員の情報端末（ＰＣ７又は携帯電話８）から送信されてくるアクセス要求の受信を待機し（Ｓ８０１）、該アクセス要求の受信が有ると（ＹＥＳ）、図４８のＤ３００に示すログイン画面を情報端末に配信する（Ｓ８０２）。このＤ３００では、会員カードＩＤと暗証番号の入力を促す旨が表示されると共に、会員カードＩＤの入力欄，及び暗証番号の入力欄が表示される。
【０３３９】
このＤ３００で、会員カードＩＤ及び暗証番号が入力されて、「ログイン」ボタンを操作すると、該入力された会員カードＩＤ及び暗証番号を含むログイン要求が、情報端末から広告管理装置６０に対して送信される。なお、ログイン要求に含まれる会員カードＩＤは、図２（ａ）に示す会員情報ＤＢにおいて、対応付けて登録されているいずれの会員カードＩＤであっても良い。具体的には、○○太郎氏であれば、ＡＭ００００１又はＣＭ００００１のいずれの会員カードＩＤであっても、ログインすることができる。
【０３４０】
Ｓ８０２でＤ３００のログイン画面を配信した広告管理装置６０は、情報端末から送信されてくるログイン要求の受信を待機し（Ｓ８０３）、該ログイン要求の受信が有ると（ＹＥＳ）、該ログイン要求に含まれる会員カードＩＤ及び暗証番号と図２（ａ）に示す会員情報ＤＢで記憶している会員カードＩＤ及び暗証番号との照合を行い、該照合がＯＫであるか否かを判定する（Ｓ８０４）。このＳ８０４で照合ＮＧ（ＮＯ）と判定された場合には、照合ＮＧである旨を示すエラー画面を配信して（Ｓ８０５）、処理を終了する。一方、Ｓ８０４で照合ＯＫ（ＹＥＳ）と判定された場合には、前記ログイン要求に含まれる会員カードＩＤ（以下、「ログインＩＤ」と称する。）に対応付けて会員情報ＤＢで記憶しているポイントを特定して（Ｓ８０６）、図４６に示すバナー決定処理を行う（Ｓ８０７）。このバナー決定処理としては、図４６（ａ）に示すように、会員専用トップページに含める宣伝バナーを決定する宣伝バナー決定処理と、図４６（ｂ）に示すように、会員専用トップページに含めるアンケートバナーを決定するアンケートバナー決定処理とが行われる。
【０３４１】
まず図４６（ａ）に示す宣伝バナー決定処理を行う広告管理装置６０は、図４３に示す宣伝表示履歴ＤＢにおいて、前記ログインＩＤが記憶されているか否かを判定する（Ｓ９０１）。このＳ９０１でログインＩＤが記憶されていない（ＮＯ）と判定された場合、即ち会員が会員カード２をカードユニット２０に挿入して宣伝情報が表示される前にログインがあった場合には、宣伝表示履歴ＤＢにおいて当該ログインＩＤを記憶して（Ｓ９０２）、Ｓ９０４に進む。一方、Ｓ９０１でログインＩＤが記憶されている（ＹＥＳ）と判定された場合には、宣伝表示履歴ＤＢにおいて、該ログインＩＤに対応する宣伝ＩＤのうち、最新操作日が記憶されている宣伝ＩＤが有るか否かを判定する（Ｓ９０３）。このＳ９０３で最新操作日が記憶されている宣伝ＩＤが無い（ＮＯ）、即ち特定操作が行われた宣伝ＩＤが無いと判定された場合には、図４２のＤ２２０で設定されている宣伝バナー表示数分の宣伝ＩＤを、宣伝バナーを表示する宣伝ＩＤとして決定して（Ｓ９０４）、Ｓ９１３に進む。このＳ９０４では、図３１に示す宣伝ＤＢで記憶している宣伝の中から、宣伝バナー表示優先度が高い宣伝プラン順に決定し、同順位であれば表示期間の残り期間が少ない順に決定する。
【０３４２】
このＳ９０４の処理は、前記会員専用ページ送信手段として機能する制御部６２が、表示特定情報（ここでは宣伝ＩＤ及び最新操作日）が対応付けられていない会員カードＩＤを特定可能な情報を含むログイン要求を受信したことを条件として、所定の閲覧関連情報（宣伝バナー）を含む会員専用ページ（会員専用トップページ）を情報端末に対して送信するために行う処理である。これによれば、カードユニット２０において閲覧情報を閲覧していない会員（ここでは宣伝情報を閲覧していても特定操作を行っていない会員）に対しても、所定の閲覧関連情報を含む会員専用ページが情報端末に対して送信されることにより、会員に当該閲覧関連情報を閲覧させることができるので、前記閲覧情報に対する会員の反応をさらに向上することができる。
【０３４３】
前記Ｓ９０３で最新操作日が記憶されている宣伝ＩＤが有る（ＹＥＳ）と判定された場合には、当該宣伝ＩＤを抽出し（Ｓ９０５）、該抽出した宣伝ＩＤを、まず図４２のＤ２２０で優先順位が１と設定されている優先度決定条件に従って並べ替え（Ｓ９０６）、次に該並べ替え後の順位が同順位である宣伝ＩＤを、優先順位が２と設定されている優先度決定条件に従って並べ替え（Ｓ９０７）、次に該並べ替え後の順位が同順位である宣伝ＩＤを、優先順位が３と設定されている優先度決定条件に従って並べ替え（Ｓ９０８）、次に図４２のＤ２２０で設定されている優先度低下条件に合致する宣伝ＩＤを最下位に並べ替えて（Ｓ９０９）、Ｓ９１０に進む。
【０３４４】
このＳ９０５〜Ｓ９０９の処理について具体的に説明する。まず前提として、図４２のＤ２２０に示すように、宣伝バナーの表示数が４と設定されており、優先度決定条件として、優先順位１が宣伝プラン，優先順位２が残り期間３日以内，優先順位３が操作からの期間が３日以内と設定されており、優先度低下条件として、宣伝バナーの表示回数が３回で低下，及びウェブ宣伝から景品交換で低下が設定されているものとし、この状態で、ＡＭ０００００１のログインＩＤについて宣伝バナー決定処理を行う例について説明する。なお説明の便宜上、図４３に示す宣伝表示履歴ＤＢで該ログインＩＤに対応付けられている各宣伝を、上から順にイ，ロ，ハ，ニ，ホ，ヘと表記する。
【０３４５】
まずＳ９０５で、最新操作日が記憶されている宣伝イ，ロ，ニ，ホ，ヘの５つを抽出する。次にＳ９０６で、優先順位が１と設定されている優先度決定条件に従って、宣伝バナー表示優先度が高い宣伝プランの順（即ち宣伝プランＡ→Ｂ→Ｃの順）に、抽出された５つの宣伝を並べ替えて、１位がイとニ（宣伝プランＡ）、３位がロとホ（宣伝プランＢ）、５位がヘ（宣伝プランＣ）とする。次にＳ９０７で、並べ替え後の順位が同順位である宣伝を、優先順位が２と設定されている優先度決定条件に従って、残り期間が３日以内であるものを上位に並び替えて、１位がイとニ、３位がロ（３日）、４位がホ、５位がヘとする。次にＳ９０８で、並べ替え後の順位が同順位である宣伝を、優先順位が３と設定されている優先度決定条件に従って、操作からの期間が３日以内であるものを上位に並び替えて、１位がイ（当日）、２位がニ、３位がロ、４位がホ、５位がヘとする。そしてＳ９０９で、優先度低下条件に合致する宣伝を最下位に並べ替えるが、ここでは該優先度低下条件に合致する宣伝が無いので、そのまま１位がイ、２位がニ、３位がロ、４位がホ、５位がヘとする。
【０３４６】
このＳ９０５〜Ｓ９０９の処理は、前記会員専用ページ送信手段として機能する制御部６２が、ログイン要求に含まれる情報から特定される会員カードＩＤに対応付けて表示特定情報記憶手段（宣伝表示履歴ＤＢ）で記憶している表示特定情報（宣伝ＩＤ）から特定される閲覧情報に関する閲覧関連情報（宣伝バナー）のうち、優先度設定手段により設定された優先度が高い閲覧関連情報を優先して表示した会員専用ページ（会員専用トップページ）を情報端末に対して送信するために行う処理である。これによれば、優先度が高い閲覧関連情報を優先して表示した会員専用ページが情報端末に対して送信されることにより、複数の閲覧関連情報を一律に表示するのに比べて会員の注意を引くことができるので、前記閲覧情報に対する会員の反応をさらに向上することができる。
【０３４７】
Ｓ９１０では、前記抽出した宣伝ＩＤの数が図４２のＤ２２０で設定した宣伝バナーの表示数以上であるか否かを判定する。このＳ９１０で宣伝ＩＤの数が宣伝バナーの表示数以上である（ＹＥＳ）と判定された場合には、前記Ｓ９０５〜Ｓ９０９で決定された順位の上位から宣伝バナーの表示数分の宣伝ＩＤを、宣伝バナーを表示する宣伝ＩＤとして決定し（Ｓ９１１）、宣伝表示履歴ＤＢにおいて、該決定した各宣伝ＩＤに対応する宣伝バナー表示回数を加算し（Ｓ９１２）、前記決定した各宣伝ＩＤに対応付けて宣伝ＤＢで記憶している宣伝バナーのファイルを抽出して（Ｓ９１３）、宣伝バナー決定処理を終了し、図４５に示す会員専用ページ送信処理に戻る。
【０３４８】
一方、Ｓ９１０で宣伝ＩＤの数が宣伝バナーの表示数未満である（ＮＯ）と判定された場合には、当該宣伝ＩＤを、宣伝バナーを表示する宣伝ＩＤとして決定し（Ｓ９１４）、宣伝表示履歴ＤＢにおいて、該決定した各宣伝ＩＤに対応する宣伝バナー表示回数を加算すると共に（Ｓ９１５）、図３１に示す宣伝ＤＢで記憶している宣伝の中から、宣伝バナー表示優先度が高い宣伝プラン順に、不足分の宣伝ＩＤを抽出し、当該宣伝ＩＤを、宣伝バナーを表示する宣伝ＩＤとして決定して（Ｓ９１６）、Ｓ９１３に進む。
【０３４９】
また図４６（ｂ）に示すアンケートバナー決定処理を行う広告管理装置６０は、図４４に示すアンケート操作履歴ＤＢにおいて、前記ログインＩＤが記憶されているか否かを判定する（Ｓ９５１）。このＳ９５１でログインＩＤが記憶されていない（ＮＯ）と判定された場合、即ち会員が会員カード２をカードユニット２０に挿入してアンケート告知が表示され特定操作（アンケートボタンの操作）が行われる前にログインがあった場合には、アンケート操作履歴ＤＢにおいて当該ログインＩＤを記憶して（Ｓ９５２）、Ｓ９５４に進む。一方、Ｓ９５１でログインＩＤが記憶されている（ＹＥＳ）と判定された場合には、アンケート操作履歴ＤＢにおいて、該ログインＩＤに対応するアンケートＩＤのうち、回答済フラグ０が記憶されているアンケートＩＤが有るか否かを判定する（Ｓ９０５）。このＳ９５３で回答済フラグ０が記憶されているアンケートＩＤが無い（ＮＯ）、即ち特定操作が行われているが回答を受け付けていないアンケートＩＤが無いと判定された場合には、図４２のＤ２２０で設定されているアンケートバナー表示数分のアンケートＩＤを、アンケートバナーを表示するアンケートＩＤとして決定して（Ｓ９５４）、Ｓ９６３に進む。このＳ９５４では、図４０に示すアンケートＤＢで記憶している前記対象アンケートの中から、アンケートバナー表示優先度が高いアンケートプラン順に決定する。
【０３５０】
このＳ９５４の処理は、前記会員専用ページ送信手段として機能する制御部６２が、表示特定情報（ここではアンケートＩＤ及び回答済フラグ０）が対応付けられていない会員カードＩＤを特定可能な情報を含むログイン要求を受信したことを条件として、所定の閲覧関連情報（アンケートバナー）を含む会員専用ページ（会員専用トップページ）を情報端末に対して送信するために行う処理である。これによれば、カードユニット２０において閲覧情報を閲覧していない会員（ここではアンケート告知を閲覧していない会員，又はアンケート告知を閲覧していても特定操作を行っていない会員）に対しても、所定の閲覧関連情報を含む会員専用ページが情報端末に対して送信されることにより、会員に当該閲覧関連情報を閲覧させることができるので、前記閲覧情報に対する会員の反応をさらに向上することができる。
【０３５１】
前記Ｓ９５３で回答済フラグ０が記憶されているアンケートＩＤが有る（ＹＥＳ）と判定された場合には、当該アンケートＩＤを抽出し（Ｓ９５５）、該抽出したアンケートＩＤを、各アンケートについて設定されているアンケートプランのアンケートバナー表示優先度が高い順に並べ替えて（Ｓ９５６）、Ｓ９６０に進む。
【０３５２】
このＳ９５６の処理は、前記会員専用ページ送信手段として機能する制御部６２が、ログイン要求に含まれる情報から特定される会員カードＩＤに対応付けて表示特定情報記憶手段（アンケート操作履歴ＤＢ）で記憶している表示特定情報（アンケートＩＤ）から特定される閲覧情報に関する閲覧関連情報（アンケートバナー）のうち、優先度設定手段により設定された優先度が高い閲覧関連情報を優先して表示した会員専用ページ（会員専用トップページ）を情報端末に対して送信するために行う処理である。これによれば、優先度が高い閲覧関連情報を優先して表示した会員専用ページが情報端末に対して送信されることにより、複数の閲覧関連情報を一律に表示するのに比べて会員の注意を引くことができるので、前記閲覧情報に対する会員の反応をさらに向上することができる。
【０３５３】
Ｓ９６０では、前記抽出したアンケートＩＤの数が図４２のＤ２２０で設定したアンケートバナーの表示数以上であるか否かを判定する。このＳ９６０でアンケートＩＤの数がアンケートバナーの表示数以上である（ＹＥＳ）と判定された場合には、前記Ｓ９５６で決定された順位の上位からアンケートバナーの表示数分のアンケートＩＤを、アンケートバナーを表示するアンケートＩＤとして決定し（Ｓ９６１）、該決定した各アンケートＩＤに対応付けてアンケートＤＢで記憶しているアンケート名を抽出して（Ｓ９６３）、アンケートバナー決定処理を終了し、図４５に示す会員専用ページ送信処理に戻る。
【０３５４】
一方、Ｓ９６０でアンケートＩＤの数がアンケートバナーの表示数未満である（ＮＯ）と判定された場合には、当該アンケートＩＤを、アンケートバナーを表示するアンケートＩＤとして決定すると共に（Ｓ９６４）、図４０に示すアンケートＤＢで記憶している前記対象アンケートの中から、アンケートバナー表示優先度が高いアンケートプラン順に、不足分のアンケートＩＤを抽出し、当該アンケートＩＤを、アンケートバナーを表示するアンケートＩＤとして決定して（Ｓ９６６）、Ｓ９６３に進む。
【０３５５】
図４５に戻り、Ｓ８０７のバナー決定処理を終了すると、図４８のＤ３０１に示す会員専用トップページを作成して、ログイン要求の送信元である情報端末に配信する（Ｓ８０８）。このＤ３０１では、ログインＩＤ，及びＳ８０６で特定したポイント数が表示され、Ｓ９１３で抽出した宣伝バナーが、宣伝バナー決定処理で決定した順序に従って上から順に（ここでは４つ）表示され、かつＳ９６３で抽出したアンケート名を示すアンケートバナーが、アンケートバナー決定処理で決定した順序に従って上から順に（ここでは２つ）表示されると共に、統合登録操作を受け付ける「統合登録」ボタン，ポイント使用操作を受け付ける「ポイント使用」ボタン，及びログアウト操作を受け付ける「ログアウト」ボタンが表示される。
【０３５６】
このＤ３０１で、「統合登録」ボタンを操作すると、統合登録要求が、情報端末から広告管理装置６０に対して送信され、「ポイント使用」ボタンを操作すると、ポイント使用要求が、情報端末から広告管理装置６０に対して送信され、いずれかの宣伝バナーをクリックすると、該クリックされた宣伝バナーに対応する宣伝ＩＤを含むウェブ宣伝表示要求が、情報端末から広告管理装置６０に対して送信され、いずれかのアンケートバナーをクリックすると、該クリックされたアンケートバナーに対応するアンケートＩＤを含むアンケート表示要求が、情報端末から広告管理装置６０に対して送信され、「ログアウト」ボタンが操作されると、ログアウト要求が、情報端末から広告管理装置６０に対して送信される。
【０３５７】
なおＤ３０１では、表示されている宣伝バナー以外の宣伝バナーを表示するための操作を受け付ける「その他宣伝」ボタンも表示され、該「その他宣伝」ボタンが操作されると、Ｓ９０５で抽出された宣伝ＩＤのうち、会員専用トップページで宣伝バナーを表示すると決定されなかった宣伝ＩＤに対応付けて宣伝ＤＢで記憶している宣伝の宣伝バナーが、情報端末に配信されて表示されるように構成されている。このように、会員専用トップページで表示すると決定されなかった宣伝ＩＤの宣伝バナーは、会員専用トップページで表示すると決定された宣伝ＩＤの宣伝バナーに比べて、「その他宣伝」ボタンを操作するという一段階余分な手順を踏まなければ表示されないため、会員専用トップページで表示されている宣伝バナー（即ち優先度が高い閲覧関連情報）は、会員専用トップページで表示されていない宣伝バナーに比べて、優先して表示されていることになる。
【０３５８】
同様に、Ｄ３０１では、表示されているアンケートバナー以外のアンケートバナーを表示するための操作を受け付ける「その他アンケート」ボタンも表示され、該「その他アンケート」ボタンが操作されると、Ｓ９５５で抽出されたアンケートＩＤのうち、会員専用トップページでアンケートバナーを表示すると決定されなかったアンケートＩＤに対応付けてアンケートＤＢで記憶しているアンケートのアンケートバナーが、情報端末に配信されて表示されるように構成されている。このように、会員専用トップページで表示すると決定されなかったアンケートＩＤのアンケートバナーは、会員専用トップページで表示すると決定されたアンケートＩＤのアンケートバナーに比べて、「その他アンケート」ボタンを操作するという一段階余分な手順を踏まなければ表示されないため、会員専用トップページで表示されているアンケートバナー（即ち優先度が高い閲覧関連情報）は、会員専用トップページで表示されていないアンケートバナーに比べて、優先して表示されていることになる。
【０３５９】
図４５に戻り、Ｓ８０８でＤ３０１の会員専用トップページを配信した広告管理装置６０は、情報端末から送信されてくる統合登録要求の受信（Ｓ８０９），ポイント使用要求の受信（Ｓ８１０），ウェブ宣伝表示要求の受信（Ｓ８１１），アンケート表示要求の受信（Ｓ８１２），又はログアウト要求の受信（図示外）を待機する。ここでログアウト要求の受信が有ると（ＹＥＳ）、会員専用ページ送信処理を終了する。
【０３６０】
Ｓ８０９で統合登録要求の受信が有ると（ＹＥＳ）、ログインＩＤから店舗ＩＤを抽出して（Ｓ８２１）、該店舗ＩＤが図２（ｂ）に示すグループＤＢで記憶されているグループに属する店舗の店舗ＩＤであるか否かを判定する（Ｓ８２２）。このＳ８２２でグループに属する店舗の店舗ＩＤでない（ＮＯ）と判定された場合には、「グループ店でないので統合できません」というメッセージを表示したエラー画面を情報端末に配信して（Ｓ８２３）、Ｓ８０８に戻る。一方、Ｓ８２２でグループに属する店舗の店舗ＩＤである（ＹＥＳ）と判定された場合には、Ｓ８２１で抽出した店舗ＩＤの店舗（例えばＡ店）と同一のグループ（ここでは◎◎グループ）に属するグループ店（ここではＡ店，Ｂ店，Ｃ店，及びＨ店）を特定し（Ｓ８２４）、該グループ店のうち、当該ログインＩＤの店舗（ここではＡ店）と当該ログインＩＤに対応付けて登録されている他の会員カードＩＤの店舗（ここではＣ店）とを統合済店舗として特定すると共に（Ｓ８２５）、当該ログインＩＤに対応付けて登録されていない店舗（ここではＢ店，及びＨ店）を未統合店舗として特定し（Ｓ８２６）、図４９のＤ３１１及びＤ３１２に示す統合受付ページを情報端末に配信する（Ｓ８２７）。
【０３６１】
このＤ３１１では、前記特定したグループ名，統合済店舗，及び未統合店舗が表示される。このＤ３１１で「統合」ボタンを操作することにより表示されるＤ３１２では、前記未統合店舗の各々について、会員カードＩＤ及び暗証番号の入力欄が表示される。このＤ３１２で、一又は複数の未統合店舗について、会員カードＩＤ（ここではＢＭ００７７７）及び暗証番号を入力して、「統合」ボタンを操作すると、該入力された会員カードＩＤ及び暗証番号と共に、会員カードＩＤが入力された未統合店舗（ここではＢ店）の店舗ＩＤを含む統合ＩＤ情報が、情報端末から広告管理装置６０に対して送信される。ここで統合ＩＤ情報に含まれる店舗ＩＤは、統合受付ページにて選択された同一グループ店（即ち未統合店舗）を特定可能な情報である。
【０３６２】
Ｓ８２７でＤ３１１及びＤ３１２の統合受付ページを配信した広告管理装置６０は、情報端末から送信されてくる統合ＩＤ情報の受信を待機する（Ｓ８２８）。このＳ８２８で統合ＩＤ情報の受信が有ると（ＹＥＳ）、該統合ＩＤ情報に含まれる未統合店舗の店舗ＩＤと該統合ＩＤ情報に含まれる会員カードＩＤから特定される店舗ＩＤとが一致するか否か、即ち統合ＩＤ情報に含まれる会員カードＩＤについて、ある未統合店舗（例えばＢ店）についての入力欄に入力された該会員カードＩＤが当該未統合店舗の会員カードＩＤであるか否かを判定する（Ｓ８２９）。このＳ８２９で店舗ＩＤが一致しない（ＮＯ）と判定された場合、例えばＢ店の会員カードＩＤがＨ店の入力欄に入力されている場合には、会員統合処理が行われず、「Ｈ店の会員カードＩＤではありません」というメッセージを表示したエラー画面を情報端末に配信して（Ｓ８３０）、Ｓ８０８に戻る。一方、Ｓ８２９で店舗ＩＤが一致する（ＹＥＳ）と判定された場合、即ちＢ店の会員カードＩＤがＢ店の入力欄に入力されている場合には、Ｓ８３１に進む。
【０３６３】
即ち本例では、統合ＩＤ情報に含まれる会員カードＩＤが未統合店舗の会員カードＩＤである場合、つまり統合対象となる会員カードＩＤの店舗が同一でなく、かつ該店舗が同一のグループに属するグループ店である場合に限って、会員統合処理が行われる。換言すれば、情報端末から、会員情報ＤＢで既に登録している統合元会員カードＩＤ（ここではＡ店，Ｃ店の会員カードＩＤ）に対して、該統合元会員カードＩＤから特定される店舗と異なる店舗の会員カードＩＤであって、該会員情報ＤＢで既に登録している統合対象会員カードＩＤ（ここではＢ店の会員カードＩＤ）を統合する旨の会員統合要求を受信したこと（即ち同一店舗でないこと）を条件として、当該統合元会員カードＩＤと統合対象会員カードＩＤとを対応付けて登録するものである。また情報端末から、会員情報ＤＢで既に登録している統合元会員カードＩＤ（ここではＡ店，Ｃ店の会員カードＩＤ）に対して、該統合元会員カードＩＤから特定される店舗と同一のグループに属する店舗の会員カードＩＤであって、会員情報ＤＢで既に登録している統合対象会員カードＩＤ（ここではＢ店の会員カードＩＤ）を統合する旨の会員統合要求を受信したこと（即ち同一グループであること）を条件として、当該統合元会員カードＩＤと統合対象会員カードＩＤとを対応付けて登録するものである。
【０３６４】
Ｓ８３１では、会員統合処理として、会員識別情報対応付け処理を行うと共に、ポイント合算処理を行う。具体的には、ログインＩＤ（例えばＡＭ０００００１）と未統合店舗の会員カードＩＤ（ここではＢＭ０００７７７）とを統合する会員統合処理が行われた場合には、会員情報ＤＢにおいて、ＡＭ０００００１とＢＭ０００７７７とを上下に並べることにより両会員カードＩＤが対応付けて登録されると共に、各会員カードＩＤに対応する属性情報，及びポイントの記憶欄が統合される。そして統合された属性情報の記憶欄には、両会員カードＩＤに対応付けられていた属性情報が記憶され、統合されたポイントの記憶欄には、各会員カードＩＤに対応付けられていたポイントが統合（合算）された合算ポイント数が記憶される。ただし会員統合処理が行われた場合であっても、会員情報ＤＢにおいて、暗証番号の記憶欄は統合されずに、各会員カードＩＤに対応して存置される。
【０３６５】
Ｓ８３１で会員統合処理を行った広告管理装置６０は、統合後のポイントを特定し（Ｓ８３２）、図４９のＤ３１３に示す統合登録完了画面を情報端末に配信する（Ｓ８３３）。このＤ３１３では、統合された店舗と統合後のポイントが表示される。このＤ３１３で、「トップページ」ボタンを操作すると、トップページ表示要求が、情報端末から広告管理装置６０に対して送信される。Ｓ８３３でＤ３１３の統合登録完了画面を配信した広告管理装置６０は、情報端末から送信されてくるトップページ表示要求の受信を待機し（Ｓ８３４）、該トップページ表示要求の受信が有ると（ＹＥＳ）、Ｓ８０８に戻る。
【０３６６】
以上に説明したように、統合元会員カードＩＤと統合対象会員カードＩＤとを統合する旨の会員統合要求を受信した際に、該統合元会員カードＩＤから特定される店舗と統合対象会員カードＩＤから特定される店舗とが同一グループに属するグループ店である場合に限って統合可能となるので、当該各会員カードＩＤに対応するポイントを合算して使用でき、グループ店での集客の向上に利用することができる。
【０３６７】
また、統合元会員カードＩＤと統合対象会員カードＩＤとを統合する旨の会員統合要求を受信した際に、該統合元会員カードＩＤから特定される店舗と統合対象会員カードＩＤから特定される店舗とが異なっている場合に限って統合が行われるので、会員カードＩＤが記録された会員カードを紛失した会員のポイントが、該会員カードを拾った他の会員のポイントと統合されてしまうおそれが低減し、該会員カードを紛失した会員が不利益を被るおそれを低減することができる。即ち、店舗が一致しても統合が行われてしまうと、会員カードを拾った会員は、該会員カードを紛失した会員のポイントも使用することができ、該会員カードを紛失した会員は勝手にポイントを使用されてしまうことにより不利益を被るが、これによれば、店舗が一致すると統合が行われないので、かかる不利益を被ることがない。
【０３６８】
なお、統合元会員カードＩＤと統合対象会員カードＩＤに対応する各店舗が一致しない場合には統合されることから、例えばＡ店の会員が、当該Ａ店で他人のＡ店の会員カードを拾い、該拾った他人のＡ店の会員カードと自分のＢ店の会員カードとを統合しようとする場合には統合が行われてしまうが、該拾った他人のＡ店の会員カードを統合しようとする会員は、自身もＡ店の会員カードを所有しており、既に店舗会員として登録しているか，又は登録しようとする自分のＡ店の会員カードと統合しようとするのが通常であるため、多くの場合には統合を防止することができる。
【０３６９】
前記Ｓ８１０でポイント使用要求の受信が有ると（ＹＥＳ）、図５０及び図５１に示すＤ３２１〜Ｄ３３４のポイント使用ページを情報端末に順次配信する（Ｓ８４１）。これらポイント使用ページは、ハードディスク６５で記憶している景品情報（図２１）に基づいて、ウェブサーバとして機能する広告管理装置６０が、情報端末に対して順次配信するウェブページである。
【０３７０】
ここでＤ３２１〜Ｄ３２７の各ページは、図１５に示すＤ２１〜Ｄ２７の画面と略同様であるが、交換玉数に代えて交換ポイント数が表示される点が異なる。Ｄ３２５から「決定」ボタンが操作されることにより進んだＤ３３１では、会員のポイント数と、Ｄ３２５で決定された景品の景品名，交換個数，及び交換ポイント数とが表示される。該Ｄ３３１から「交換」ボタンを操作することにより進むＤ３３２，Ｄ３３３，及びＤ３３４の各ページは、図１６に示すＤ３２，Ｄ３３ａ，及びＤ３４ａの各画面と同様である。Ｄ３３４で「決定」ボタンを操作すると、景品ＩＤ，景品名，交換ポイント数，交換個数，配送区分，会員カードＩＤ，配送先情報，及び配送希望日時を含む交換情報が、情報端末から広告管理装置６０に対して送信される。
【０３７１】
Ｓ８４１でＤ３３４のページを送信した後の広告管理装置６０は、情報端末から送信されてくる交換情報の受信を待機し（Ｓ８４２）、該交換情報の受信が有ると（ＹＥＳ）、該交換情報に含まれる景品ＩＤに対応付けて図２２に示す予約・確定累計数ＤＢで記憶されている予約累計数を景品管理装置７０から取得して（Ｓ８４３）、ハードディスク６５が記憶している景品情報（図２１）において前記交換情報に含まれる景品ＩＤに対応付けて記憶している在庫数と、景品管理装置７０から取得した予約累計数と、前記交換情報に含まれる交換個数とに基づいて、在庫数−（予約累計数＋交換個数）≧０の判定式を満たすか否かで、景品交換ができるか否かを判定する（Ｓ８４４）。
【０３７２】
このＳ８４４で判定式を満たさない（ＮＯ）、即ち在庫数が足りないと判定された場合には、「在庫数が足りないので景品交換できません」というメッセージを表示したエラー画面を情報端末に配信して（Ｓ８４５）、Ｓ８０８に戻る。一方、Ｓ８４４で判定式を満たす（ＹＥＳ）、即ち在庫数が足りていると判定された場合には、会員のポイント数が交換ポイント数以上であるか否かを判定する（Ｓ８４６）。
【０３７３】
このＳ８４６で会員のポイント数が交換ポイント数未満である（ＮＯ）、即ち決済ができないと判定された場合には、「ポイントが足りないので景品交換できません」というメッセージを表示したエラー画面を情報端末に配信して（Ｓ８４７）、Ｓ８０８に戻る。一方、Ｓ８４６で会員のポイント数が交換ポイント数以上である（ＹＥＳ）、即ち決済ができると判定された場合には、図４３に示す宣伝表示履歴ＤＢにおいて、前記交換情報に含まれる景品ＩＤに対応付けて交換済フラグ１を記憶し（Ｓ８４８）、図２（ａ）に示す会員情報ＤＢにおいて、前記ログインＩＤに対応付けて記憶している当該会員のポイント数から交換ポイント数を減算し（Ｓ８４９）、前記交換情報を景品管理装置７０に対して送信する（Ｓ８５０）。
【０３７４】
この交換情報を受信した景品管理装置７０は、前記配送情報登録処理と略同様に、配送ＩＤを生成し、該配送ＩＤに対応付けて、交換情報に含まれる景品ＩＤ，景品名，交換ポイント数，交換個数，配送区分，会員カードＩＤ，配送先情報，及び配送希望日時を登録することにより、当該景品ＩＤの景品を会員に配送するための処理を行う。また図２２に示す予約・確定累計数ＤＢで当該景品ＩＤに対応付けて記憶している予約累計数及び確定累計数を１ずつ加算する。さらに前記生成した配送ＩＤを、広告管理装置６０に対して送信する。
【０３７５】
Ｓ８５０で交換情報を送信した広告管理装置６０は、景品管理装置７０から送信されてくる配送ＩＤの受信を待機し（Ｓ８５１）、該配送ＩＤの受信が有ると（ＹＥＳ）、図５１のＤ３３５に示す景品交換完了画面を情報端末に配信する（Ｓ８５２）。このＤ３３５では、景品交換が完了した旨，Ｓ８４９で減算した後のポイント数，及びＳ８５１で受信した配送ＩＤが表示される。このＤ３３５で、「トップページ」ボタンを操作すると、トップページ表示要求が、情報端末から広告管理装置６０に対して送信される。Ｓ８５２でＤ３３５の景品交換完了画面を配信した広告管理装置６０は、情報端末から送信されてくるトップページ表示要求の受信を待機し（Ｓ８５３）、該トップページ表示要求の受信が有ると（ＹＥＳ）、Ｓ８０８に戻る。
【０３７６】
前記Ｓ８１１でウェブ宣伝表示要求の受信が有ると（ＹＥＳ）、該ウェブ宣伝表示要求に含まれる宣伝ＩＤに対応する宣伝プランで設定されているバナークリック付与ポイント数のポイントを、図２（ａ）に示す会員情報ＤＢにおいて、前記ログインＩＤに対応付けて記憶している当該会員のポイント数に対して加算する（Ｓ８６１）。なお、各宣伝ＩＤについてポイントが付与されるのは１日１回とし、当日に既にポイントが付与された宣伝ＩＤの宣伝バナーが再びクリックされても、当該宣伝ＩＤについてはポイントは付与されない。
【０３７７】
このＳ８６１の処理を行う制御部６２は、アンケート関連情報以外の閲覧関連情報（即ち宣伝関連情報であるウェブ宣伝）を含む会員専用ページを送信したことを条件として、前記受信したログイン要求に含まれる情報から特定される会員カードＩＤに対応付けて管理しているポイントに対して所定の大きさのポイントを加算する処理を行うポイント管理手段として機能するものである。これによれば、アンケート関連情報以外の閲覧関連情報を含む会員専用ページが会員の情報端末に対して送信されると、当該会員のポイントが加算されることにより、会員専用ページへのログインを促すことができるので、前記閲覧情報に対する会員の反応をさらに向上することができる。
【０３７８】
Ｓ８６１の処理を行った広告管理装置６０は、前記ウェブ宣伝表示要求に含まれる宣伝ＩＤの宣伝種別が提供景品宣伝であるか否かを判定する（Ｓ８６２）。このＳ８６２で提供景品宣伝である（ＹＥＳ）と判定された場合には、図４８のＤ３０２ａに示す宣伝表示ページを情報端末に配信する（Ｓ８６３）。このＤ３０２ａでは、前記ウェブ宣伝表示要求に含まれる宣伝ＩＤの広告主及び景品名と、図３１に示す宣伝ＤＢで当該宣伝ＩＤに対応付けられているウェブ宣伝のファイルに記録されている動画（閲覧関連情報）が表示される。
【０３７９】
またＤ３０２ａでは、「ポイント使用」ボタンが表示される。ここで「ポイント使用」ボタンには、宣伝関連情報の宣伝対象を会員が所有するポイントを使用して取得（ここでは提供景品との景品交換）するために当該会員が操作するリンク情報として、当該ボタンの操作によるポイント使用ページへの遷移が、会員専用トップページからではなく、ウェブ宣伝の宣伝表示ページからの遷移である旨の情報が含まれ、当該ボタンの操作（即ちリンク情報の操作）により遷移したポイント使用ページでは、宣伝対象の取得に要する対価が割り引かれるように構成されている。また「ポイント使用」ボタンに対応して、該割引が行われる旨が表示される。
【０３８０】
またＤ３０２ａでは、図３１に示す宣伝ＤＢにおいて、当該宣伝ＩＤに対応付けて購入サイトリンク情報が記憶されている場合に、「購入サイト」ボタンが表示される。ここで「購入サイト」ボタンには、宣伝対象時の宣伝対象を会員が所有する有価価値の大きさ（金銭等）を使用して取得するために当該会員が操作するリンク情報として、前記購入サイトリンク情報が含まれると共に、当該ボタンの操作による購入サイトへのアクセスが、会員専用ページからの遷移である旨の情報が含まれ、当該ボタンの操作（即ちリンク情報の操作）によりアクセスされた購入サイトでは、宣伝対象の取得に要する対価が割り引かれるように構成されている。また「購入サイト」ボタンに対応して、該割引が行われる旨が表示される。
【０３８１】
このＳ８６３の処理を行う前記会員専用ページ送信手段として機能する制御部６２及び通信部６１は、広告関連情報の広告対象（ここでは宣伝関連情報の宣伝対象）を会員が所有する有価価値の大きさ（ポイント，又は金銭等）を使用して取得するために当該会員が操作するリンク情報を含む会員専用ページを情報端末に対して送信するものである。これによれば、所定の広告情報に関する広告関連情報を閲覧関連情報として含むと共に該広告関連情報の広告対象を取得するためのリンク情報を含んだ会員専用ページが情報端末に対して送信されることにより、会員が当該リンク情報を操作すると当該会員が所有する有価価値の大きさを使用して広告対象を取得することができるので、広告対象の取得を促進できる。
【０３８２】
またＳ８６３の処理を行う制御部６２は、前記リンク情報の操作に基づく広告対象の取得に要する対価を割り引くための処理を行う割引処理手段として機能するものであり、ここでは「ポイント使用」ボタンに、ウェブ宣伝の宣伝表示ページからの遷移である旨の情報を含める処理と、「購入サイト」ボタンに、会員専用ページからの遷移である旨の情報を含める処理を行うものである。これによれば、リンク情報の操作に基づく広告対象の取得に要する対価を割り引くための処理が行われることにより、会員が当該リンク情報を操作すると割り引かれた対価で広告対象を取得することができるので、広告対象の取得をさらに促進できる。
【０３８３】
このＤ３０２ａで、「ポイント使用」ボタンを操作すると、ポイント使用要求が、情報端末から広告管理装置６０に対して送信され、「購入サイト」ボタンを操作すると、情報端末から購入サイトにアクセスされ、「トップページ」ボタンを操作すると、トップページ表示要求が、情報端末から広告管理装置６０に対して送信される。
【０３８４】
Ｓ８６３でＤ３０２ａの宣伝表示ページを配信した広告管理装置６０は、情報端末から送信されてくるトップページ表示要求の受信（Ｓ８６４），又はポイント使用要求の受信（Ｓ８６５）を待機し、Ｓ８６４でトップページ表示要求の受信が有ると（ＹＥＳ）、Ｓ８０８に戻り、Ｓ８６５でポイント使用要求の受信が有ると（ＹＥＳ）、図５１に示すＤ３３１’〜Ｄ３３４のポイント使用ページを情報端末に順次配信する（Ｓ８６６）。これらポイント使用ページは、ハードディスク６５で記憶している景品情報（図２１）に基づいて、ウェブサーバとして機能する広告管理装置６０が、情報端末に対して順次配信するウェブページである。
【０３８５】
ここでＤ３３１’では、会員のポイント数と、Ｄ３０２ａで表示されたウェブ宣伝の宣伝対象である景品の景品名，交換個数，及び割引後の交換ポイント数とが表示される。ここでの割引率は、前記ウェブ宣伝に含まれる宣伝ＩＤ宣伝プランで設定されている景品交換の割引率である。なお該Ｄ３３１’から「交換」ボタンを操作することにより進むＤ３３２，Ｄ３３３，及びＤ３３４の各ページは、前述したのと同様である。Ｄ３３４で「決定」ボタンを操作すると、景品ＩＤ，景品名，割引後の交換ポイント数，交換個数，配送区分，会員カードＩＤ，配送先情報，及び配送希望日時を含む交換情報が、情報端末から広告管理装置６０に対して送信される。
【０３８６】
Ｓ８４１でＤ３３４のページを送信した後の広告管理装置６０は、情報端末から送信されてくる交換情報の受信を待機し（Ｓ８４２）、該交換情報の受信が有ると（ＹＥＳ）、Ｓ８４３以下に進む。
【０３８７】
前記Ｓ８６２で提供景品宣伝でない（ＮＯ）、即ち一般宣伝であると判定された場合には、図４８のＤ３０２ｂに示す宣伝表示ページを情報端末に配信する（Ｓ８６７）。このＤ３０２ｂでは、前記ウェブ宣伝表示要求に含まれる宣伝ＩＤの広告主及び景品名と、図３１に示す宣伝ＤＢで当該宣伝ＩＤに対応付けられているウェブ宣伝のファイルに記録されている動画（閲覧関連情報）が表示される。
【０３８８】
またＤ３０２ｂでは、図３１に示す宣伝ＤＢにおいて、当該宣伝ＩＤに対応付けて購入サイトリンク情報が記憶されている場合に、「購入サイト」ボタンが表示される。ここで「購入サイト」ボタンには、宣伝関連情報の宣伝対象を会員が所有する有価価値の大きさ（金銭等）を使用して取得するために当該会員が操作するリンク情報として、前記購入サイトリンク情報が含まれると共に、当該ボタンの操作による購入サイトへのアクセスが、会員専用ページからの遷移である旨の情報が含まれ、当該ボタンの操作（即ちリンク情報の操作）によりアクセスされた購入サイトでは、宣伝対象の取得に要する対価が割り引かれるように構成されている。また「購入サイト」ボタンに対応して、該割引が行われる旨が表示される。
【０３８９】
このＳ８６７の処理を行う制御部６２及び通信部６１は、前記Ｓ８６３と同様に、会員専用ページ送信手段として機能するものであり、またＳ８６７の処理を行う制御部６２は、前記Ｓ８６３と同様に、割引処理手段として機能するものである。
【０３９０】
このＤ３０２ｂで、「購入サイト」ボタンを操作すると、情報端末から購入サイトにアクセスされ、「トップページ」ボタンを操作すると、トップページ表示要求が、情報端末から広告管理装置６０に対して送信される。Ｓ８６７でＤ３０２ｂの宣伝表示ページを配信した広告管理装置６０は、情報端末から送信されてくるトップページ表示要求の受信（Ｓ８６８）を待機し、該トップページ表示要求の受信が有ると（ＹＥＳ）、Ｓ８０８に戻る。
【０３９１】
前記Ｓ８１２でアンケート表示要求の受信が有ると（ＹＥＳ）、広告管理装置６０は、電子マネー管理サーバ８０及び金融機関サーバ９０Ｂと協働して、図４７に示す電子マネー発行処理（Ｓ８１３）を行う。この広告管理装置６０が行う電子マネー発行処理を、図４７に示すフローチャートに基づき、図４８に示す画面図を参照しながら説明する。
【０３９２】
まず広告管理装置６０は、アンケート表示要求を受信すると、図４８のＤ３０３に示すアンケート表示ページを情報端末に配信する（Ｓ８７１）。このＤ３０３では、図４０に示すアンケートＤＢで前記アンケート表示要求に含まれるアンケートＩＤに対応付けられているファイルに記録されているアンケート（閲覧関連情報）が表示される。
【０３９３】
このＤ３０３で、回答を入力して「回答終了」ボタンを操作すると、アンケートＩＤと該入力された回答内容とを含む回答情報が、情報端末から広告管理装置６０に対して送信され、「トップページ」ボタンを操作すると、トップページ表示要求が、情報端末から広告管理装置６０に対して送信される。
【０３９４】
Ｓ８７１でＤ３０３のアンケート表示ページを配信した広告管理装置６０は、情報端末から送信されてくるトップページ表示要求の受信（Ｓ８７２），又は回答情報の受信（Ｓ８７３）を待機し、Ｓ８７２でトップページ表示要求の受信が有ると（ＹＥＳ）、Ｓ８０８に戻り、Ｓ８７３で回答情報の受信が有ると（ＹＥＳ）、該回答情報に含まれるアンケートＩＤに対応付けて該回答情報に含まれる回答内容をハードディスク６５で記憶する（Ｓ８７４）。ここで記憶した回答内容に基づいて、回答率の集計や回答内容の分析が行われる。
【０３９５】
Ｓ８７４でアンケートＩＤに対応付けて回答内容を記憶した広告管理装置６０は、図４０に示すアンケートＤＢで当該アンケートＩＤに対応付けられている特典電子マネーの付与額の条件に従い、当該回答内容に基づいて、特典電子マネーの付与額を決定する（Ｓ８７５）。これによれば、回答の内容に基づいた額、例えば回答の量に見合った額の特典電子マネーを付与することができる。なお決定された付与額は、各広告主について、所定期間毎（例えば１ヶ月毎）に集計されて、アンケート料金とは別個に請求される。
【０３９６】
Ｓ８７５で特典電子マネーの付与額を決定した広告管理装置６０は、図２（ａ）に示す会員情報ＤＢで前記ログインＩＤに対応付けて管理されている携帯電話ＩＤと該決定した付与額とを含む発行要求を、電子マネー管理サーバ８０に対して送信する（Ｓ８７６）。
【０３９７】
該発行要求を受信した電子マネー管理サーバ８０は、該発行要求に含まれる付与額を含む資金移動要求を、カード会社のギフト口座及び決済口座が設けられている金融機関サーバ９０Ｂに対して送信する（Ｓ８８１）。該資金移動要求を受信した金融機関サーバ９０Ｂは、ギフト口座の残高（ギフト資金）が該資金移動要求に含まれる付与額以上であるか否かを判定する（Ｓ８８２）。ここでギフト口座残高が付与額未満であれば（ＮＯ）、資金移動ができない旨を電子マネー管理サーバ８０を介して広告管理装置６０に対して報知するエラー処理を行う。一方、ギフト口座残高が付与額以上であれば（ＹＥＳ）、ギフト口座の残高から決済口座に付与額分の金額を資金移動して（Ｓ８８３）、資金移動完了情報を、電子マネー管理サーバ８０に対して送信する（Ｓ８８４）。
【０３９８】
該資金移動完了情報を受信した電子マネー管理サーバ８０は、前記発行要求に含まれる携帯電話ＩＤ及び付与額について発行番号を生成し、図３（ｂ）に示す発行履歴ＤＢで、該携帯電話ＩＤに対応付けて、該生成した発行番号を記憶し、発行額として付与額を記憶し、種別として「付与」と記憶し、かつチャージ済フラグとして「０（即ち発行額が携帯電話８にチャージされていない旨）」を記憶し（Ｓ８８５）、発行完了情報を、広告管理装置６０に対して送信すると共に（Ｓ８８６）、ＤＫ１８（図７を参照）の電子メールを、前記携帯電話ＩＤに対応付けて図３（ａ）に示す電子マネーＤＢで登録されている電子メールアドレスの携帯電話８に対して送信する（Ｓ８８７）。この電子メールでは、前記発行額（ここでは３００円）分の特典電子マネーが付与された旨，及び前記発行番号が表示されると共に、「ここをクリックすると電子マネーが携帯電話にチャージされます」と表示されたチャージ要求の送信リンクが表示される。そして該電子メールを展開してチャージ要求の送信リンクがクリックされることにより、前記図６で説明した電子マネーチャージ処理が行われて、当該発行額が携帯電話８のＩＣチップに記憶（チャージ）される。
【０３９９】
ここで広告管理装置６０の制御部６２及び通信部６１は、閲覧関連情報（アンケート）を含む会員専用ページを送信したことを条件として、当該会員が所有する電子マネー記憶媒体（携帯電話８）に対して該会員に特典として付与される電子マネーを記憶させるための電子マネー発行処理を行う電子マネー発行処理手段として機能するものであり、ここではアンケート関連情報を含む会員専用ページを送信し、かつ該アンケート関連情報のアンケートに対する回答を受け付けたことを条件として、電子マネー発行処理を行うものである。具体的には、Ｓ８７６で電子マネー管理サーバ８０に対して発行要求を送信することにより、該電子マネー管理サーバ８０においてＳ８８５で電子マネーの発行が行われ、その後に前記図６で説明した電子マネーチャージ処理が行われて、該電子マネーが携帯電話８のＩＣチップに記憶（チャージ）されるので、Ｓ８７６で発行要求を送信する処理が、電子マネー発行処理に相当する。
【０４００】
これによれば、特典として電子マネーが付与されることにより、会員専用ページへのログインを促すことができるので、閲覧情報に対する会員の反応（ここではアンケートに対する回答の受付）をさらに向上することができ、特に所定のアンケートに関するアンケート関連情報を閲覧関連情報として含む会員専用ページが情報端末に対して送信され、該アンケートに対する回答を受け付けると、特典としての電子マネーが付与されることにより、閲覧情報に対する会員の反応、つまりはアンケートの回答率を向上することができて、アンケート効果を高めることができる。
【０４０１】
なお、アンケートに対する回答を受け付けたことを条件として特典電子マネーを付与する一方で、前記Ｓ８６１で説明したように宣伝関連情報（ウェブ宣伝）を含む会員専用ページを送信したことを条件としてポイントを付与するのは、アンケートの回答には手間がかかるため、遊技への使用のみならず様々な商品やサービスの購入に使用可能であって利用価値が高い電子マネーを付与する一方で、ウェブ宣伝を閲覧するだけでは手間がかからないため、電子マネーよりは利用価値が低いポイントを付与することとしたためである。ただしウェブ宣伝の閲覧により付与されるポイントであっても、提供景品と交換可能であって利用価値が有るため、会員専用ページへのログインを促すことができるので、閲覧情報（ユニット宣伝）に対する会員の反応を向上することができて、宣伝効果を高めることができる。
【０４０２】
また、以上に説明したように、金融機関サーバ９０ＢにおいてＳ８８３でギフト口座の残高から決済口座に付与額分の金額が資金移動されたことを条件として、電子マネー管理サーバ８０においてＳ８８５で電子マネーの発行が行われることにより、ギフト口座の残高を超えて電子マネーが発行されることが無いので、仮にカード会社のオペレータが不正な操作を行ったとしても、ギフト口座に入金されたギフト資金以上に損害が拡大するのを防止することができる。
【０４０３】
Ｓ８８７の発行完了情報を受信した広告管理装置６０は、図４４に示すアンケート操作履歴ＤＢにおいて、前記アンケート表示要求に含まれるアンケートＩＤに対応付けて、回答済フラグ１を記憶して（Ｓ８９１）、図４８のＤ３０４に示す特典電子マネー発行完了ページを情報端末に配信する（Ｓ８９２）。このＤ３０４では、ＤＫ１８の電子メールを携帯電話８に送信した旨が表示される。
【０４０４】
またＤ３０４では、図４０に示すアンケートＤＢにおいて、当該アンケートＩＤに対応付けて購入サイトリンク情報が記憶されている場合に、「購入サイト」ボタンが表示される。ここで「購入サイト」ボタンには、広告関連情報の広告対象（ここではアンケートの対象）を会員が所有する有価価値の大きさ（金銭等）を使用して取得するために当該会員が操作するリンク情報として、前記購入サイトリンク情報が含まれると共に、当該ボタンの操作による購入サイトへのアクセスが、会員専用ページからの遷移である旨の情報が含まれ、当該ボタンの操作（即ちリンク情報の操作）によりアクセスされた購入サイトでは、広告対象の取得に要する対価が割り引かれるように構成されている。また「購入サイト」ボタンに対応して、該割引が行われる旨が表示される。
【０４０５】
このＳ８９２の処理を行う制御部６２及び通信部６１は、前記Ｓ８６３及びＳ８６７と同様に、会員専用ページ送信手段として機能するものであり、またＳ８９２の処理を行う制御部６２は、前記Ｓ８６３及びＳ８６７と同様に、割引処理手段として機能するものである。
【０４０６】
このＤ３０４で、「購入サイト」ボタンを操作すると、情報端末から購入サイトにアクセスされ、「トップページ」ボタンを操作すると、トップページ表示要求が、情報端末から広告管理装置６０に対して送信される。Ｓ８９２でＤ３０４の特典電子マネー発行完了ページを配信した広告管理装置６０は、情報端末から送信されてくるトップページ表示要求の受信（Ｓ８９３）を待機し、該トップページ表示要求の受信が有ると（ＹＥＳ）、Ｓ８０８に戻る。
【０４０７】
以上に説明したように、本発明に係る情報表示・配信システム１の情報配信機能によれば、広告管理装置６０において、会員が所有する情報端末からログイン要求を受信すると、遊技場のカードユニット２０において当該会員に対して表示された閲覧情報に関する閲覧関連情報を含む会員専用ページが、前記情報端末に対して送信されることにより、会員に対して表示された閲覧情報に関する閲覧関連情報を閲覧させることができるので、前記閲覧情報に対する会員の反応を向上することができる。
【０４０８】
ここで前記特許文献１に示すシステムでは、店舗に設けられている情報表示装置で閲覧情報が表示されるのみであるので、該閲覧情報に対する会員の反応が低いという問題があった。
【０４０９】
例えば特許文献１の情報表示装置で表示される閲覧情報が、商品やサービスの取得を促す宣伝である場合において、遊技中に該宣伝が表示されても、会員に対する意識付けが弱いため、会員が該宣伝の対象である商品やサービスを取得するという反応が低い（取得する頻度が低い）という問題がある。これに対し、本発明によれば、会員が遊技を行っていない落ち着いた状況で会員専用ページに当該宣伝が再度表示されるので、会員に対する意識付けが強くなり、会員が該宣伝の対象である商品やサービスを取得するという反応を向上する（取得する頻度を高くする）ことができる。つまり宣伝効果を高めることができる。
【０４１０】
また特許文献１の情報表示装置で表示される閲覧情報が、イベントへの参加を促す宣伝である場合において、遊技中に該宣伝が表示されても、会員に対する意識付けが弱いため、会員が該宣伝の対象であるイベントに参加するという反応が低い（参加する頻度が低い）という問題がある。これに対し、本発明によれば、会員が遊技を行っていない落ち着いた状況で会員専用ページに当該宣伝が再度表示されるので、会員に対する意識付けが強くなり、会員が該宣伝の対象であるイベントに参加するという反応を向上する（参加する頻度を高くする）ことができる。つまり宣伝効果を高めることができる。
【０４１１】
また特許文献１の情報表示装置で表示される閲覧情報が、法律，社会規範，又は道徳等（以下、「道徳等」と称する。）の遵守を促す宣伝である場合において、遊技中に該宣伝が表示されても、会員に対する意識付けが弱いため、会員が該宣伝の対象である道徳等を遵守するという反応が低い（遵守する頻度が低い）という問題がある。これに対し、本発明によれば、会員が遊技を行っていない落ち着いた状況で会員専用ページに当該宣伝が再度表示されるので、会員に対する意識付けが強くなり、会員が該宣伝の対象である道徳等を遵守するという反応を向上する（遵守する頻度を高くする）ことができる。つまり宣伝効果を高めることができる。
【０４１２】
さらに特許文献１の情報表示装置で表示される閲覧情報が、アンケートである場合において、遊技中に該アンケートが表示されても、会員は遊技に集中しているため、会員が該アンケートに回答するという反応が低い（回答率が低い）という問題がある。これに対し、本発明によれば、会員が遊技を行っていない落ち着いた状況で会員専用ページに当該アンケートが表示されるので、会員が該アンケートに回答するという反応を向上することができ、しかも前述の如く、該アンケートの回答に対して特典電子マネーが付与されるので、アンケートの回答率を向上することができて、アンケート効果を高めることができる。
【０４１３】
なお、上記の実施形態では、本発明に係る情報表示・配信システム１が遊技場に適用される例について説明したが、本発明は遊技場以外の他の店舗にも適用可能である。ただし、情報表示装置における会員の反応が元々高いものに適用するよりも、情報表示装置における会員の反応が元々低いものに適用する方が、より効果的である。
【０４１４】
例えば銀行において、該銀行に設置されるＡＴＭ（現金自動預け払い機）を情報表示装置とし、該ＡＴＭにおいて預金者のキャッシュカードを受け付けたときに、「高金利の新型預金の紹介をしても良いですか」というメッセージをディスプレイに表示し、該預金者から「いいえ」という操作を受け付けると、通常の取引画面をディスプレイに表示し、「はい」という操作を受け付けると、通常の取引画面とは別に、当該新型預金の宣伝やアンケートをディスプレイに表示するような例だと、通常の取引画面とは別に宣伝やアンケートが表示されることにより、預金者は取引操作を行っていない状態（即ち表示内容に対する意識が高い状態）で宣伝やアンケートを見ることになるので、会員の反応が元々高く、しかも銀行の業務と関連性が高い宣伝やアンケートが表示されることにより、宣伝対象の取得（この例では新型預金の契約）やアンケートへの回答に結びつきやすい。
【０４１５】
これに対し、銀行において、ＡＴＭを情報表示装置とし、該ＡＴＭにおいて預金者のキャッシュカードを受け付けたときに、通常の取引画面と共に宣伝やアンケートを表示するような例だと、預金者は取引操作を行っている状態（即ち表示内容に対する意識が低い状態）で宣伝やアンケートを見ることになるので、会員の反応が元々低い。また上記の実施形態の如く、遊技場のカードユニット２０で宣伝やアンケートを表示するような例だと、遊技者は遊技を行っている状態（即ち遊技に集中しており表示内容に対する意識が低い状態）で宣伝やアンケートを見ることになるので、会員の反応が元々低く、しかも遊技と関連性が低い宣伝やアンケートだと、宣伝対象の取得やアンケートへの回答に結びつきにくい。
【０４１６】
このように会員の反応が元々低い例に本発明の情報配信機能を適用すると、情報表示装置で表示された閲覧情報（宣伝，アンケート）に関する閲覧関連情報が会員専用ページで表示されることにより、預金者や遊技者は他の作業を行っていない状態（即ち表示内容に対する意識が高い状態）で宣伝やアンケートを見ることになるので、元々低かった会員の反応が非常に高くなり、しかも宣伝対象の取得やアンケートへの回答に結びつきやすくなるという顕著な効果を奏するので、会員の反応が元々高い例に本発明の情報配信機能を適用するよりも、はるかに効果的である。つまり本発明の情報配信機能は、宣伝やアンケートが表示されても本来の目的（取引操作や遊技）が止まらず、本来の目的と関連性が低い宣伝やアンケートを表示するものに適用すると、特に効果的である。
【０４１７】
［６．本発明の変形例］
次に、本発明の変形例について説明する。
【０４１８】
上記の実施形態では、図１に示すように、遊技機がパチンコ機１０である例について説明したが、これに限らず、該遊技機は、例えば遊技媒体としてメダルを使用するスロットマシン，遊技媒体としてパチンコ玉を使用するスロットマシンであるパロット（登録商標），遊技媒体であるパチンコ玉が指触不能に封入された封入式のパチンコ機，パチンコ玉やメダルを用いることなく得点データを使用して遊技可能なパチンコ機やスロットマシン，遊技領域やパチンコ玉が画像にて表示される画像式のパチンコ機，リールが画像にて表示される画像式のスロットマシン等であっても良い。また管理残額を遊技に使用させるための処理は、玉貸処理に限らず、前記メダルを貸与するメダル貸出処理や、前記画像式のパチンコ機やスロットマシンにおいて有価価値の大きさを遊技媒体としての得点に変換して遊技に使用させる処理等でも良い。
【０４１９】
上記の実施形態では、玉貸処理や電子マネー玉貸処理が行われた場合に、カードユニット２０とＣＲ式のパチンコ機１０との間でパチンコ玉の貸与に関する信号のやり取りが行われて、該パチンコ機１０に設けられた玉払出装置１３からパチンコ玉が払い出されて貸与される例について説明したが、これに限らず、カードユニット２０に設けられた玉払出装置２７からパチンコ玉が払い出されて貸与されるようにしても良い。逆に貯玉再プレイ処理や持玉返却処理が行われた場合に、パチンコ機１０に設けられた玉払出装置１３からパチンコ玉が払い出されるようにしても良く、これによればカードユニット２０に玉払出装置２７を設ける必要が無くなる。
【０４２０】
上記の実施形態では、図１に示すように、店舗（遊技場）に設置される情報表示装置が、遊技機（パチンコ機１０）に対応して設けられるカードユニット２０である例について説明したが、これに限らず、該情報表示装置は、遊技場内の所定箇所（例えば景品交換カウンタの近傍等）に設置されるキオスク端末であっても良い。
【０４２１】
上記の実施形態では、図１に示すように、ユーザが所有する情報端末が、ＰＣ７又は携帯電話８である例について説明したが、これに限らず、該情報端末は、インターネット接続機能を備えるものであれば良く、例えばＰＤＡ等であっても良い。
【０４２２】
上記の実施形態では、図１に示すように、残額が残額管理装置３０で、貯玉数が会員管理装置３１で、持玉数が持玉数管理装置３２で、それぞれ記憶されており、カード（会員カード２，ビジタカード３）では記録されていない例について説明したが、これら残額，貯玉数，持玉数は、各管理装置とカードの両方に記憶・記録されているようにしても良く、またカードのみに記録されているようにしても良い。
【０４２３】
上記の実施形態では、図１に示すように、広告管理装置６０がウェブサーバの機能を備える例について説明したが、これに限らず、広告管理装置６０とウェブサーバとが別体のものであっても良い。また上記の実施形態では、広告管理装置６０と、景品管理装置７０と、電子マネー管理サーバ８０とが別体である例について説明したが、これに限らず、広告管理装置６０と景品管理装置７０とが一体のものや、広告管理装置６０と電子マネー管理サーバ８０とが一体のものや、広告管理装置６０と景品管理装置７０と電子マネー管理サーバ８０とが一体のものであっても良い。
【０４２４】
上記の実施形態では、図１に示すように、電子マネー管理サーバ８０がカード会社に設けられ、ポイントサービスを運営する該カード会社が電子マネーシステムも運用する例について説明したが、これに限らず、該カード会社以外の機関が電子マネーシステムを運用するものであっても良い。
【０４２５】
上記の実施形態では、図６のＳａ３３に示す書込処理において、リモート発行サーバ９５が、携帯電話８のＩＣチップで記憶している電子マネー使用プログラムを介さずに、該ＩＣチップと直接やり取りを行うことにより、発行額を携帯電話８のＩＣチップに記憶（チャージ）する例について説明したが、これに限らず、携帯電話８がリモート発行サーバ９５から書込指示情報を受信したことに応じて、電子マネー使用プログラムがＩＣチップのＣＰＵに対して発行額の書込を指示することにより、書込処理を行うようにしても良い。
【０４２６】
上記の実施形態では、図７のＤＫ１６やＤＫ１８に示すように、電子マネー管理サーバ８０において電子マネーの発行（購入，付与）が行われると、チャージ要求の送信リンクを含む電子メールが、電子マネー記憶媒体である携帯電話８に対して送信され、該電子メールで表示されるチャージ要求の送信リンクがクリックされると、図６に示す電子マネーチャージ処理が行われて、電子マネー管理サーバ８０で発行された電子マネーが携帯電話８のＩＣチップに記憶される、いわゆるエアチャージが行われる例について説明したが、これに限らず、電子マネー管理サーバ８０で発行された電子マネーは、店舗に設けられるチャージ機で、携帯電話８のＩＣチップに記憶されるようにしても良い。
【０４２７】
この場合には、第１のチャージ方法として、会員が電子マネーの発行を要求する際に、該電子マネーの受取店舗を指定し（具体的には、電子マネーを購入する際には、例えば図７のＤＫ１２に示す画面で受取店舗を指定し、アンケートに回答して特典電子マネーの付与を受ける場合には、例えば図４８のＤ３０３に示す画面で受取店舗を指定する）、広告管理装置６０は、図５のＳａ１６，又は図４７のＳ８８５で電子マネーを発行すると、電子メールの送信は行わずに、図３（ｂ）に示す発行履歴ＤＢで記憶しているチャージ済フラグが「０」である携帯電話ＩＤ，発行番号，及び発行額を、前記指定された受取店舗のチャージ機に対して送信し、該チャージ機は、広告管理装置６０から送信されてきた携帯電話ＩＤ，発行番号，及び発行額を対応付けて記憶し、該記憶している携帯電話ＩＤがＩＣチップで記憶されている携帯電話８を受け付けると、該携帯電話ＩＤに対応付けて記憶している発行額を携帯電話８のＩＣチップに記憶し、該携帯電話ＩＤに対応付けて記憶している発行番号を広告管理装置６０に対して送信し、該広告管理装置６０は、チャージ機から送信されてきた発行番号に対応付けて発行履歴ＤＢで記憶しているチャージ済フラグとして「１」を記憶するようにすれば良い。
【０４２８】
また、第２のチャージ方法として、広告管理装置６０は、図５のＳａ１６，又は図４７のＳ８８５で電子マネーを発行すると、電子メールの送信は行わず、チャージ機は、携帯電話８を受け付けると、ＩＣチップで記憶している携帯電話ＩＤを広告管理装置６０に対して送信し、広告管理装置６０は、チャージ機から送信されてきた携帯電話ＩＤに対応付けて図３（ｂ）に示す発行履歴ＤＢで記憶しているチャージ済フラグが「０」である発行番号，及び発行額をチャージ機に対して返信し、該チャージ機は、広告管理装置６０から送信されてきた発行額を携帯電話８のＩＣチップに記憶し、前記送信されてきた発行番号を広告管理装置６０に対して送信し、該広告管理装置６０は、チャージ機から送信されてきた発行番号に対応付けて発行履歴ＤＢで記憶しているチャージ済フラグとして「１」を記憶するようにすれば良い。
【０４２９】
なお、前記エアチャージと、第１のチャージ方法又は第２のチャージ方法とを併用するようにしても良く、この場合には、広告管理装置６０は、電子マネーを発行すると、電子メールの送信を行い、該電子メールで表示されるチャージ要求の送信リンクがクリックされるとエアチャージが行われ、チャージ機で携帯電話８を受け付けると第１のチャージ方法又は第２のチャージ方法が行われるように構成すれば良い。
【０４３０】
上記の実施形態では、電子マネー記憶媒体が携帯電話８である例について説明したが、これに限らず、該電子マネー記憶媒体は、ＩＣチップを搭載しており、電子メール送受信機能を有するＰＤＡ等の携帯端末であっても良い。また電子マネー記憶媒体は、ＩＣチップを搭載したＩＣカードであっても良いが、該ＩＣカードは電子メール送受信機能を有しないので、この場合には、前記エアチャージは行われず、第１のチャージ方法又は第２のチャージ方法が行われる。
【０４３１】
上記の実施形態では、図５のＳａ１４に示すように、会員の預金口座から購入額が引き落とされる決済処理が行われることにより、該購入額分の電子マネーが発行される例について説明したが、これに限らず、例えば店舗に設けられるチャージ機で貨幣を受け付けると、該受付額分の電子マネーが発行されて、該発行された電子マネーをチャージ機が携帯電話８のＩＣチップに記憶するようにしても良い。
【０４３２】
上記の実施形態では、図８に示すように、情報表示装置（カードユニット２０）における会員識別情報の受付が、会員カード２に記録されている会員識別情報である会員カードＩＤの読取による受付である例について説明したが、これに限らず、会員識別情報であるユーザＩＤ等を手入力により受け付けるものや、会員識別情報である生体情報（例えば指紋，虹彩，静脈パターン等）を赤外線，ＢＬＵＥＴＯＯＨ（登録商標），又はＦｅｌｉｃａ（登録商標）等の非接触通信により受け付けるものであっても良い。
【０４３３】
上記の実施形態では、図８に示すように、記録媒体である会員カード２が、カード型である例について説明したが、これに限らず、該記録媒体は、コイン型であっても良く、また赤外線，ＢＬＵＥＴＯＯＨ（登録商標），又はＦｅｌｉｃａ（登録商標）等の非接触通信により情報をやり取りする機能を備える携帯電話であっても良い。また記録媒体の記録領域は、ＩＣチップではなく、磁気ストライプ等であっても良い。
【０４３４】
上記の実施形態では、店舗（遊技場）において会員登録を行うと記録媒体（会員カード２）が発行され、図２（ａ）に示すように、該記録媒体に記録されている会員識別情報（会員カードＩＤ）に対応付けて当該会員のポイントが管理される例について説明したが、これに限らず、該店舗が付与したユーザＩＤや当該会員が指定したユーザＩＤや当該会員の生体情報等を会員識別情報として登録し、該登録された会員識別情報に対応付けて当該会員のポイントが管理されるようにしても良い。
【０４３５】
上記の実施形態では、図８に示すように、カードユニット２０で、貨幣として紙幣を使用可能である例について説明したが、これに限らず、貨幣として硬貨を使用可能としても良い。また貨幣は、紙幣や硬貨のような実物以外にも、クレジットカードにより使用可能な与信金額，デビットカードにより使用される預金残高等であっても良い。
【０４３６】
上記の実施形態では、図２（ａ）に示すように、図４５のＳ８３１に示す統合処理が行われた時点で、各会員カードＩＤに対応するポイントを合算して、該合算ポイントを管理する例について説明したが、これに限らず、統合処理が行われても各会員カードＩＤに対応するポイントは合算せずに個別に管理し、ログイン要求を受信した後に合算ポイントを算出して該合算ポイントを使用させるようにしても良い。
【０４３７】
上記の実施形態では、図１０のＳ７３及びＳ７５に示すように、受付中のビジタカード３のビジタカードＩＤに対応付けられている（即ち制御部２２のＲＡＭで記憶している）残額及び持玉数が共に零になると、該ビジタカード３はカードＲ／Ｗ２３に留保され、カード返却ボタン１６の操作を受け付けても返却されない例について説明したが、これに限らず、カード返却ボタン１６の操作を受け付けると、該ビジタカード３が返却されるようにしても良く、この場合には、該返却されたビジタカード３が他のカードユニット２０に挿入されると、該ビジタカード３のビジタカードＩＤに対応付けて図３５に示す宣伝表示履歴ＤＢで記憶されている宣伝表示履歴データに基づいて、再表示処理が行われることになる。
【０４３８】
上記の実施形態では、図３６のＳ５１９に示す宣伝表示履歴データを広告管理装置６０が受信したとき、及び図４８のＤ３０１に示す会員専用トップページで宣伝バナーがクリックされて図４５のＳ８１１に示すウェブ宣伝表示要求を広告管理装置６０が受信したときに、１日１回ポイントが付与される例について説明したが、該１回ではなく、予め定められた回数だけポイントが付与されるようにしても良く、また無制限に何回でもポイントが付与されるようにしても良い。また、これらのポイント以外に、遊技者が遊技場に来店したことに基づく来店ポイントや、遊技者が遊技に使用した金額や遊技を行った時間に基づく消費ポイントが付与されるようにしても良い。
【０４３９】
上記の実施形態では、図４８のＤ３０１に示す会員専用トップページで宣伝バナーがクリックされるとポイントが付与される例について説明したが、これに限らず、さらに「ポイント使用」ボタンや「購入サイト」ボタンが操作されたことを条件としてポイントが付与されるようにしても良く、逆に会員専用トップページが表示されるだけでポイントが付与されるようにしても良い。即ち広告管理装置６０が会員専用ページ（Ｄ３０１以降のページ）を送信したことを条件としてポイントが付与されるものであれば良い。
【０４４０】
上記の実施形態では、景品交換機能において、図１６に示すように、カードユニット２０で景品が指定されると、該景品の予約が行われ、「決済」ボタンが操作されると、該予約景品の予約確定（配送情報登録処理）が行われる例について説明したが、これに限らず、カードユニット２０で景品が指定されると、予約を経ることなく、該景品との交換が行われるようにしても良い。即ち、カードユニット２０における予約操作の受付には、景品の予約の受付のみならず、景品との交換の受付も含まれる。
【０４４１】
上記の実施形態では、景品交換機能において、図１６のＤ３５ａやＤ３５ｂに示すように、ユーザが所有する貯玉数や持玉数を使用して決済が行われる例について説明したが、これに限らず、ユーザが所有するポイント，金銭（現金や電子マネー），クレジットカードにより使用可能な与信金額，デビットカードにより使用される預金残高を使用して決済が行われるようにしても良い。
【０４４２】
上記の実施形態では、景品交換機能において、図１６のＤ３５ａに示すように、会員が所有する貯玉数や持玉数を使用して決済が行われる場合に、貯玉数から優先して減算される例について説明したが、これに限らず、持玉数から優先して減算されるようにしても良く、貯玉数及び持玉数のいずれからどれだけ減算するかを会員が指定できるようにしても良い。
【０４４３】
上記の実施形態では、景品交換機能において、図１１に示すように、貯玉数＋持玉数が交換玉数未満（Ｓ１２７でＮＯ），又は持玉数が交換玉数未満（Ｓ１２９でＮＯ）だと、図１６のＤ３５ａやＤ３５ｂ，又は図１７のＤ３５ａ’やＤ３５ｂ’の決済画面が表示されず、決済操作（即ち「決済」ボタンの操作）が行えない例について説明したが、これに限らず、貯玉数＋持玉数，又は持玉数（即ち持玉数等）が交換玉数未満であっても、決済画面を表示して決済操作を受け付け、該決済操作の受付後に持玉数等が交換玉数に達すると、Ｓ１４３の決済処理が行われるようにしても良い。
【０４４４】
上記の実施形態において、宣伝情報の宣伝対象は、商品には限られず、サービス（例えばマッサージ，散髪，診療等）であっても良い。
【０４４５】
上記の実施形態では、宣伝表示機能が、情報表示装置（カードユニット２０）と管理装置（場内管理装置５０及び広告管理装置６０）とにより実現される例について説明したが、これに限らず、情報表示装置のみで実現されるようにしても良い。この場合には、該情報表示装置が、特定操作を受け付けた宣伝情報の表示特定情報を記憶する特定操作受付宣伝記憶手段と、再表示条件を設定（例えば広告管理装置６０で設定された再表示条件を記憶）する再表示条件設定手段と、再表示条件が成立したことを条件として再表示処理を行う再表示処理手段とを備え、該再表示処理手段は、特定操作を行ったユーザが当該情報表示装置に存在することを更なる条件として再表示処理を行うようにすれば良い。ここで特定操作を行ったユーザが当該情報表示装置に存在するか否かは、カードが挿入されていればユーザが存在すると判定したり、対応するパチンコ機１０で継続的に遊技が行われていれば（例えばパチンコ玉が打ち込まれている間は）ユーザが存在すると判定すれば良い。
【０４４６】
上記の実施形態では、宣伝表示機能において、図３３に示す自動表示条件や再表示条件が、広告管理装置６０で設定され、場内管理装置５０に送信されて記憶される例について説明したが、これに限らず、これら自動表示条件や再表示条件は、場内管理装置５０で設定されて記憶されるようにしても良い。
【０４４７】
上記の実施形態では、宣伝表示機能において、図３３に示す自動表示条件や再表示条件として、時間条件が必須で設定される例について説明したが、これに限らず、該時間条件が任意で設定されるようにしても良い。また自動表示条件や再表示条件として、例えば大当り発生毎や確変大当り発生毎に表示を行うという大当り条件や、消費金額○○円毎に表示を行うという消費金額条件や、打込玉数○○個毎に表示を行うという打込玉数条件を設定するようにしても良い。また再表示条件として、前記追加条件が任意で設定される例について説明したが、これら追加条件が必須で設定されるようにしても良い。
【０４４８】
上記の実施形態では、宣伝表示機能において、図３３に示す再表示条件の時間条件として、当日の経過時間が設定される例について説明したが、これに限らず、翌日以降の経過時間（例えば翌日，翌々日，次回来店時）が設定されるようにしても良く、この場合には、図３５に示す宣伝表示履歴ＤＢを複数日に亘って記憶すると共に、特定操作が行われた操作日も記憶するようにすれば良い。
【０４４９】
上記の実施形態では、宣伝表示機能において、情報表示装置（カードユニット２０）で表示される図１７のＤ４１に示す宣伝一覧で、広告主と景品名又は宣伝名のみが表示され、宣伝情報は表示されない例について説明したが、該宣伝一覧で宣伝情報を表示するようにし、いずれかの宣伝情報が選択されると特定操作情報が送信されるようにしても良い。
【０４５０】
上記の実施形態では、宣伝表示機能において、情報表示装置（カードユニット２０）で宣伝関連情報（ユニット宣伝詳細）が一度表示（再表示）されると、図３５に示す宣伝表示履歴ＤＢで再表示フラグ１が記憶されて、二度目以降の表示は行われない例について説明したが、これに限らず、例えば情報表示装置において、図１７に示すＤ４３ａで予約ボタンの操作やメニューボタンの操作が有った場合，及びＤ４３ｂでメニューボタンの操作が有った場合にのみ再表示フラグ１を記憶する一方、それらの操作がなかった場合には再表示フラグを０のままとして、二度目以降の表示が行われるようにしても良い。この場合には、再表示される回数に制限（例えば３回まで）を設けるようにしても良い。
【０４５１】
上記の実施形態では、宣伝表示機能において、図１７に示すように、Ｄ４２ａで宣伝情報（ユニット宣伝メイン）が表示されたときに該宣伝情報の宣伝対象を予約する予約操作を受け付けると共に、Ｄ４３ａで宣伝関連情報（ユニット宣伝詳細）が表示されたときに該宣伝関連情報の宣伝対象を予約する予約操作を受け付ける例について説明したが、これに限らず、Ｄ４２ａ又はＤ４３ａのいずれか一方のみで予約操作を受け付けるようにしても良い。即ち予約操作受付手段（タッチパネル式のディスプレイ２４）は、宣伝情報及び／又は宣伝関連情報が表示されたときに、ユーザから該宣伝情報及び／又は宣伝関連情報の宣伝対象を予約する予約操作を受け付けるものであれば良い。
【０４５２】
上記の実施形態では、宣伝表示機能において、図１７のＤ４２ａやＤ４２ｂに示すように、宣伝情報（ユニット宣伝メイン）の表示中に特定操作（「後で予約」ボタン又は「詳細」ボタンの操作）が受け付けられる例について説明したが、これに限らず、宣伝情報の表示中には「後で予約」ボタンや「詳細」ボタンが表示されず（即ち特定操作は受け付けられず）、宣伝情報の表示が終わった後に「後で予約」ボタンや「詳細」ボタンが表示されて特定操作が受け付けられるものであっても良い。即ち特定操作は、情報表示装置において宣伝情報が表示されたときに受け付けられる操作であれば、宣伝情報の表示中又は表示後のいずれのタイミングで受け付けられる操作であっても良い。
【０４５３】
上記の実施形態では、宣伝表示機能において、図１７のＤ４３ａ及びＤ４３ｂに示すように、再表示される宣伝関連情報が、当初に表示される宣伝情報であるユニット宣伝メインよりも詳細なユニット宣伝詳細である例について説明したが、これに限らず、再表示される宣伝関連情報は、当初に表示される宣伝情報と同一のものであっても良い。また宣伝関連情報は、広告管理装置６０以外の外部サーバに保存されている宣伝情報にアクセスするためのリンク情報であっても良い。
【０４５４】
上記の実施形態では、宣伝表示機能において、図１７のＤ４３ａ及びＤ４３ｂに示すように、店舗（遊技場）で取り扱われている店舗内対象（提供景品）の宣伝情報（提供景品宣伝）に関する宣伝関連情報（ユニット宣伝詳細）と、当該店舗以外で取り扱われている店舗外対象の宣伝情報（一般宣伝）に関する宣伝関連情報の両方が、情報表示装置（カードユニット２０）において再表示される例について説明したが、これに限らず、提供景品宣伝に関する宣伝関連情報は、情報表示装置で再表示する一方、一般宣伝に関する宣伝関連情報は、情報表示装置では再表示せずに、ユーザが所有する情報端末（会員のＰＣ７又は携帯電話８）に対して送信するようにしても良い。この場合には、図３８に示す宣伝再表示処理において、再表示の対象である宣伝ＩＤについて、Ｓ７０４で宣伝種別が一般宣伝である（ＮＯ）と判定され、Ｓ７３１以下で再表示条件が成立すると判定された後において、Ｓ７２３で宣伝再表示要求をカードユニット２０に対して送信する処理を行わず、ユーザが会員である場合には、当該宣伝ＩＤの宣伝関連情報を含む電子メールを当該会員の情報端末に送信したり、又は前記情報配信機能により、当該宣伝ＩＤの宣伝関連情報が会員専用ページで表示されるようにすれば良い。
【０４５５】
即ち、この場合には、前記再表示処理手段（場内管理装置５０の制御部５２）は、前記特定操作受付宣伝記憶手段（場内管理装置５０の宣伝表示履歴ＤＢ）で記憶している表示特定情報（宣伝ＩＤ）から特定される宣伝情報が前記店舗内対象であることを更なる条件として、前記再表示処理を行い、前記情報表示・配信システム１は、前記再表示条件設定手段（広告管理装置６０のディスプレイ６３及び入力装置６４）により設定された再表示条件が成立し、かつ前記特定操作受付宣伝記憶手段で記憶している表示特定情報から特定される宣伝情報が前記店舗外対象（一般宣伝）であることを条件として、前記特定操作を行ったユーザ（会員）が所有する情報端末（ＰＣ７又は携帯電話８）に対して当該宣伝情報の宣伝関連情報を送信する処理（電子メールで送信する処理や、会員専用ページで表示させる処理）を行う宣伝関連情報送信手段（広告管理装置６０の制御部６２及び通信部６１）をさらに備えるようにすれば良い。これによれば、店舗内対象の宣伝関連情報は情報表示装置で表示され、店舗外対象の宣伝関連情報はユーザが所有する情報端末に対して送信されて表示されることにより、宣伝対象の取扱場所に応じた態様で宣伝関連情報をユーザに閲覧させることができるので、宣伝効果をさらに高めることができる。
【０４５６】
上記の実施形態では、情報配信機能において、図４６に示すように、宣伝バナー決定処理とアンケートバナー決定処理とが別個に行われ、各処理で決定された宣伝バナーとアンケートバナーが図４８のＤ３０１に示す会員専用トップページで別個に表示される例について説明したが、これに限らず、宣伝バナー表示優先度とアンケートバナー表示優先度を共通のバナー表示優先度として設定し、該共通のバナー表示優先度に従って、会員専用トップページで表示する宣伝バナーとアンケートバナーを決定するようにしても良い。つまり会員専用ページ送信手段は、優先度が高い閲覧関連情報（宣伝バナー，アンケートバナー）を表示した会員専用ページを送信するものであれば良い。
【０４５７】
上記の実施形態では、情報配信機能において、図４８のＤ３００に示すように、会員識別情報（会員カードＩＤ）を特定可能な情報として該会員カードＩＤ自体がログイン要求に含まれる例について説明したが、これに限らず、会員識別情報に対応付けられているログインＩＤ等がログイン要求に含まれるものであっても良い。即ちログイン要求には、会員識別情報を特定可能な情報が含まれれば良い。
【０４５８】
上記の実施形態では、情報配信機能において、図４８に示すように、会員専用ページ（Ｄ３０１の会員専用トップページ，Ｄ３０２ａやＤ３０２ｂの宣伝表示ページ，及びＤ３０４のアンケート表示ページ）に表示される閲覧関連情報が、情報表示装置（カードユニット２０）で特定操作を受け付けた閲覧情報（宣伝情報，アンケート告知）の閲覧関連情報である例について説明したが、これに限らず、情報表示装置で表示されたが特定操作を受け付けなかった閲覧情報の閲覧関連情報も、会員専用ページに表示されるようにしても良い。
【０４５９】
上記の実施形態では、情報配信機能において、図４８のＤ３０１に示す会員専用トップページで表示される閲覧関連情報（宣伝関連情報，アンケート関連情報）が、宣伝バナーやアンケートバナーである例について説明したが、これに限らず、該会員専用トップページに表示される閲覧関連情報は、ウェブ宣伝やアンケートであっても良い。また閲覧関連情報は、広告管理装置６０以外の外部サーバに保存されている宣伝やアンケートにアクセスするためのリンク情報であっても良い。
【０４６０】
上記の実施形態では、情報配信機能において、図４８のＤ３０１に示す会員専用トップページで、「その他宣伝」ボタンが表示され、該「その他宣伝」ボタンが操作されると、当該会員専用トップページで表示されている以外の宣伝バナーが表示される例について説明したが、これに限らず、「その他宣伝」ボタンを設けないようにして、当該会員専用トップページで表示されている以外の宣伝バナーは表示されないようにしても良い。この場合において、「統合登録」ボタンの操作により表示される図４９のＤ３１１に示すページや、「ポイント使用」ボタンの操作により表示される図５０のＤ３２１に示すページで、会員専用トップページで表示された宣伝バナーの次に優先度の高い宣伝バナーが一又は複数表示され、さらにこれらのページから下ったＤ３１２やＤ３２２に示すページで、Ｄ３１１やＤ３２１で表示された宣伝バナーの次に優先度の高い宣伝バナーが一又は複数表示されるようにしても良い。
【０４６１】
同様に、上記の実施形態では、情報配信機能において、図４８のＤ３０１に示す会員専用トップページで、「その他アンケート」ボタンが表示され、該「その他アンケート」ボタンが操作されると、当該会員専用トップページで表示されている以外のアンケートバナーが表示される例について説明したが、これに限らず、「その他アンケート」ボタンを設けないようにして、当該会員専用トップページで表示されている以外のアンケートバナーは表示されないようにしても良い。この場合において、「統合登録」ボタンの操作により表示される図４９のＤ３１１に示すページや、「ポイント使用」ボタンの操作により表示される図５０のＤ３２１に示すページで、会員専用トップページで表示されたアンケートバナーの次に優先度の高いアンケートバナーが一又は複数表示され、さらにこれらのページから下ったＤ３１２やＤ３２２に示すページで、Ｄ３１１やＤ３２１で表示されたアンケートバナーの次に優先度の高いアンケートバナーが一又は複数表示されるようにしても良い。
【０４６２】
上記の実施形態では、情報配信機能において、図４８のＤ３０１に示す会員専用トップページで、閲覧関連情報（宣伝バナー，アンケートバナー）が優先度の高い順に上から表示される例について説明したが、これに限らず、該閲覧関連情報が優先度の高い順に大きく表示されるものであっても良い。即ち会員専用ページにおいて優先度の高い閲覧関連情報が優先して表示されるものであれば、その表示態様は限定されない。
【０４６３】
上記の実施形態では、情報配信機能において、図４８のＤ３０１に示す会員専用トップページで宣伝バナーが表示されると、図４３に示す宣伝表示履歴ＤＢで宣伝バナー表示回数が加算され、図４２で優先度低下条件として宣伝バナーの表示回数が設定されている場合には、宣伝バナー表示回数が該設定された表示回数に達すると会員専用トップページに表示される優先度が低下する例について説明したが、これに限らず、会員専用トップページで宣伝バナーがクリックされた回数を集計し、該クリック回数が所定数に達すると会員専用トップページに表示される優先度が低下するようにしても良い。
【０４６４】
上記の実施形態では、情報配信機能において、図４５のＳ８０８で広告管理装置６０が会員専用トップページを配信するときに、該会員専用トップページを作成する例について説明したが、これに限らず、予め会員専用ページを作成しておいて、ログイン要求を受信すると該作成しておいた会員専用ページを送信するようにしても良い。
【０４６５】
上記の実施形態では、ポイントを使用して、景品提供業者が提供する提供景品と交換することができる例について説明したが、これに限らず、ポイントを使用して、提供景品以外の商品と交換できるようにしても良く、また抽選への応募ができるようにしても良い。
【０４６６】
上記の実施形態において、カードユニット２０における宣伝情報の表示後に、該宣伝情報に関連するアンケートのアンケート告知を表示し、該アンケート告知について特定操作が行われると、前述したのと同様にして、該特定操作が行われたアンケート告知のアンケートに関するアンケート関連情報（アンケートバナー）が会員専用ページで表示されるようにしても良い。具体的には、宣伝情報の表示後に、アンケート告知を表示して、アンケートの配信を受けるか否かの選択を受け付け、該アンケートの配信を受ける旨の選択を受け付けると、該アンケートのアンケートバナーを含む会員専用トップページが配信されるようにすれば良く、ここではアンケートの配信を受ける旨の選択を受け付けることが、特定操作の受付に相当する。この場合において、特定操作が行われなくても、表示されたアンケート告知のアンケートに関するアンケート関連情報が会員専用ページで表示されるようにしても良い。さらにカードユニット２０における宣伝情報の表示後に、該宣伝情報に関連するアンケートのアンケート告知を表示することなく、該関連するアンケートに関するアンケート関連情報が会員専用ページで表示されるようにしても良い。
【０４６７】
上記の実施形態では、図３７に示すように、情報表示装置（カードユニット２０）において、宣伝情報（ユニット宣伝メイン）の自動表示が行われる例について説明したが、同様にして、アンケート告知の自動表示が行われるようにしても良い。具体的には、広告管理装置６０は、会員カード２を受け付けたカードユニット２０からカード挿入情報（図９のＳ２２）を受信し、該カード挿入情報を受信すると、図１３のＳ２５２〜Ｓ２５６に示すようにして対象アンケートを抽出して、該抽出した対象アンケートをアンケートプランに従って並べ替えると共に、カード挿入情報を受信してからの経過時間が予め定められた時間に達する毎（例えば５分毎）に、前記並べ替えた順で対象アンケートのアンケートＩＤ及びアンケート名をカードユニット２０に対して送信し、該カードユニット２０は、受信したアンケート名をアンケート告知として表示するようにすれば良い。この場合において、カードユニット２０は、アンケートの配信を受けるか否かの選択を受け付け、該アンケートの配信を受ける旨の選択を受け付けると、該アンケートのアンケートバナーを含む会員専用トップページが配信されるようにすれば良く、ここではアンケートの配信を受ける旨の選択を受け付けることが、特定操作の受付に相当する。この場合において、特定操作が行われなくても、表示されたアンケート告知のアンケートに関するアンケート関連情報が会員専用ページで表示されるようにしても良い。
【０４６８】
上記の実施形態では、図２（ａ）に示す会員情報ＤＢで、会員カードＩＤに対応付けて携帯電話ＩＤが登録されていないと、アンケートに回答できない例について説明したが、これに限らず、会員カードＩＤのみが登録されており、携帯電話ＩＤが対応付けて登録されていなくても、アンケートに回答可能とし、該アンケートに対する回答を受け付けると、会員カードＩＤに対応付けて特典電子マネーを記憶し、該会員カードＩＤに対応付けて事後的に携帯電話ＩＤが登録されると、当該携帯電話ＩＤの携帯電話８に対して前記会員カードＩＤに対応付けられている特典電子マネーを記憶させる（即ち図７のＤＫ１８に示す電子メールを当該携帯電話８に対して送信する）ものであっても良い。この場合には、会員カードＩＤに対応付けて特典電子マネーを記憶する処理が、前記電子マネー発行処理に相当する。また、この場合には、図１３のＳ２５２でＮＯと判定されると、カードユニット２０に対して、図１８のＤ５２に示す画面を送信するのではなく、携帯電話ＩＤの登録を要求する旨を示す画面を送信すれば良い。
【０４６９】
上記の実施形態では、アンケートに対する回答を受け付けると、特典電子マネーが付与される例について説明したが、これに限らず、第１に、アンケートバナーを含む会員専用ページが情報端末に対して送信されると、アンケートに対する回答を受け付けなくても、特典電子マネーが付与されるものであっても良く、また第２に、アンケートバナーを含む会員専用ページを情報端末に対して送信し、該アンケートバナーのアンケートに対する回答を受け付け、かつ図４８のＤ３０４に示す「購入サイト」ボタンの操作を受け付けると、特典電子マネーが付与されるものであっても良く、さらに第３に、前記第２の場合において「購入サイト」ボタンの操作により遷移した購入サイトで広告対象の購入が行われると、特典電子マネーが付与されるものであっても良い。なお該第３の場合において、電子マネー発行処理を行う広告管理装置６０は、該広告管理装置６０が提供する購入サイトでポイントを使用して提供景品との交換が行われた場合には、該交換が行われた旨を把握することができるので、該交換が行われると特典電子マネーを付与するが、広告管理装置６０以外の外部サーバが提供する購入サイトで有価価値の大きさを使用して購入が行われた場合には、該購入が行われた旨を把握するために、当該外部サーバから購入が行われた旨を示す購入情報を受信する必要があり、該購入情報を受信すると特典電子マネーを付与する。
【０４７０】
上記の実施形態では、アンケートに対する回答を受け付けると、特典電子マネーが付与される一方、閲覧関連情報（ウェブ宣伝）を含む会員専用ページ（図４８に示すＤ３０２ａ又はＤ３０２ｂの宣伝表示ページ）が情報端末に対して送信されると、ポイントが付与される例について説明したが、これに限らず、後者の場合にも特典電子マネーが付与されるようにしても良い。この場合には、第１に、閲覧関連情報である宣伝バナーを含む会員専用トップページが情報端末に対して送信されると、該宣伝バナーの操作を受け付けなくても（即ち前記宣伝表示ページが情報端末に対して送信されなくても）、特典電子マネーが付与されるものであっても良く、また第２に、宣伝バナーを含む会員専用トップページを情報端末に対して送信し、該宣伝バナーの操作を受け付けて前記宣伝表示ページを情報端末に対して送信すると、特典電子マネーが付与されるものであっても良く、また第３に、前記第２の場合において宣伝表示ページで「ポイント使用」ボタンや「購入サイト」ボタンの操作を受け付けると、特典電子マネーが付与されるものであっても良く、さらに第４に、前記第３の場合において「ポイント使用」ボタンや「購入サイト」ボタンの操作により遷移した購入サイトで広告対象の購入が行われると、特典電子マネーが付与されるものであっても良い。なお該第４の場合において、電子マネー発行処理を行う広告管理装置６０は、該広告管理装置６０が提供する購入サイトでポイントを使用して提供景品との交換が行われた場合には、該交換が行われた旨を把握することができるので、該交換が行われると特典電子マネーを付与するが、広告管理装置６０以外の外部サーバが提供する購入サイトで有価価値の大きさを使用して購入が行われた場合には、該購入が行われた旨を把握するために、当該外部サーバから購入が行われた旨を示す購入情報を受信する必要があり、該購入情報を受信すると特典電子マネーを付与する。
【０４７１】
以上に説明したように、電子マネー発行処理手段（広告管理装置６０の制御部６２及び通信部６１）は、閲覧関連情報を含む会員専用ページを送信したことを条件として、前記電子マネー発行処理を行うものであれば良い。従って、実施例の如くアンケートを閲覧関連情報として含む会員専用ページを送信したことを条件として特典電子マネーを付与するのであれば、宣伝情報を閲覧関連情報として含む会員専用ページを送信した場合には、特典電子マネーを付与しても良く、ポイントを付与しても良く、又は特典電子マネーもポイントも付与しなくても良い。また宣伝情報を閲覧関連情報として含む会員専用ページを送信した会員専用ページを送信したことを条件として特典電子マネーを付与するのであれば、アンケートを閲覧関連情報として含む会員専用ページを送信した場合には、特典電子マネーを付与しても良く、ポイントを付与しても良く、又は特典電子マネーもポイントも付与しなくても良い。
【０４７２】
上記の実施形態では、アンケートの種類によらず、いずれのアンケートに回答しても特典電子マネーが付与される例について説明したが、これに限らず、回答したアンケートの種類によって、付与される特典が異なるようにしても良く、例えばアンケートＡに回答すると電子マネーが付与され、アンケートＢに回答するとポイントが付与され、アンケートＣに回答しても電子マネーもポイントも付与されないようにしても良い。同様に、上記の実施形態では、会員専用ページで閲覧した宣伝の種類によらず、いずれの宣伝を閲覧してもポイントが付与される例について説明したが、これに限らず、閲覧する宣伝の種類によって、付与される特典が異なるようにしても良く、例えば宣伝Ａを閲覧すると電子マネーが付与され、宣伝Ｂを閲覧するとポイントが付与され、宣伝Ｃを閲覧しても電子マネーもポイントも付与されないようにしても良い。
【０４７３】
［７．実施形態に記載した発明］
最後に、上記の実施形態に記載した本発明以外の他の発明に対応する「従来技術」，「発明が解決しようとする課題」，及び「発明の効果」を説明する。
【０４７４】
［７−１．第１の発明］
まず、従来技術１として、特開２００５−２７０２０３号公報（段落０１２２，０１３４）を示す。この従来技術１には、店舗の一例である遊技場において、会員が遊技をしている遊技機に対応する情報表示装置の一例であるカードユニットで、遊技場外に設けられる情報提供装置から配信されてくる宣伝情報を表示するシステムが記載されている。
【０４７５】
しかしながら、従来技術１に示すシステムでは、店舗に設けられている情報表示装置で宣伝情報が表示されるのみであるので、会員に対する宣伝効果が低いという第１の問題があった。
【０４７６】
そこで、上記の実施形態に記載した第１の発明では、前記第１の問題を解決するために、店舗（遊技場）に設置され、該店舗において会員登録した会員を個々に識別可能な会員識別情報（会員カードＩＤ）を受け付けると共に、所定の宣伝情報（ユニット宣伝）を表示する情報表示装置（カードユニット２０）と、前記会員が所有する情報端末（ＰＣ７又は携帯電話８）から前記会員識別情報を特定可能な情報を含むログイン要求を受信したことを条件として、当該会員専用であって所定のサービスを提供するための会員専用ページを前記情報端末に対して送信する会員専用ページ送信手段（制御部６２及び通信部６１）を有する管理装置（広告管理装置６０）と、を備える宣伝配信システム（情報表示・配信システム１）であって、前記管理装置は、前記情報表示装置において受け付けられた会員識別情報を取得する会員識別情報取得手段（通信部６１）と、該会員識別情報取得手段により取得した会員識別情報と、前記情報表示装置において該会員識別情報の受付に関連して表示された宣伝情報を特定可能な宣伝特定情報（宣伝ＩＤ）とを対応付けて記憶する表示宣伝記憶手段（宣伝表示履歴ＤＢ）と、をさらに有し、前記会員専用ページ送信手段は、前記ログイン要求を受信したことを条件として、該ログイン要求に含まれる情報から特定される会員識別情報に対応付けて前記表示宣伝記憶手段で記憶している宣伝特定情報から特定される宣伝情報に関する宣伝関連情報（宣伝バナー，ウェブ宣伝）を含む前記会員専用ページを前記情報端末に対して送信することを特徴とする宣伝配信システムを構成した。これによれば、管理装置において、会員が所有する情報端末からログイン要求を受信すると、店舗の情報表示装置において当該会員に対して表示された宣伝情報に関する宣伝関連情報を含む会員専用ページが、前記情報端末に対して送信されることにより、会員に対して表示された宣伝を再度閲覧させることができるので、宣伝効果を高めることができる。
【０４７７】
また前記第１の発明において、前記管理装置（広告管理装置６０）は、前記情報表示装置（カードユニット２０）において宣伝情報（ユニット宣伝）が表示されたときに会員から特定操作を受け付けた旨を示す特定操作情報を取得する特定操作情報取得手段（通信部６１）をさらに有し、前記表示宣伝記憶手段（宣伝表示履歴ＤＢ）は、該特定操作情報取得手段により特定操作情報を取得したことを条件として、前記会員識別情報（会員カードＩＤ）と、前記宣伝特定情報（宣伝ＩＤ）とを対応付けて記憶することを特徴とする宣伝配信システム（情報表示・配信システム１）としても良い。これによれば、店舗の情報表示装置において会員から特定操作を受け付けた宣伝情報に関する宣伝関連情報を含む会員専用ページが、前記情報端末に対して送信されることにより、会員が特定操作を行った宣伝を再度閲覧させることができるので、宣伝効果をさらに高めることができる。
【０４７８】
また前記第１の発明において、前記管理装置（広告管理装置６０）は、前記会員識別情報（会員カードＩＤ）に対応付けて、該会員識別情報の会員が所有するポイントを管理するポイント管理手段（会員情報ＤＢ及び制御部６２）をさらに有し、該ポイント管理手段は、前記会員専用ページ送信手段（制御部６２及び通信部６１）により前記宣伝関連情報（ウェブ宣伝）を含む会員専用ページを送信したことを条件として、前記受信したログイン要求に含まれる情報から特定される会員識別情報に対応付けて管理しているポイントに対して所定の大きさのポイントを加算する処理を行うことを特徴とする宣伝配信システム（情報表示・配信システム１）としても良い。これによれば、宣伝関連情報を含む会員専用ページが会員の情報端末に対して送信されると、当該会員のポイントが加算されることにより、会員専用ページへのログインを促すことができるので、宣伝効果をさらに高めることができる。
【０４７９】
また前記第１の発明において、前記管理装置（広告管理装置６０）は、前記会員識別情報（会員カードＩＤ）に対応付けて、該会員識別情報の会員が所有するポイントを管理するポイント管理手段（会員情報ＤＢ及び制御部６２）をさらに有し、該ポイント管理手段は、前記情報表示装置（カードユニット２０）において前記会員識別情報の受付に関連して宣伝情報が表示されたことを条件として、該会員識別情報に対応付けて管理しているポイントに対して所定の大きさのポイントを加算する処理を行うことを特徴とする宣伝配信システム（情報表示・配信システム１）としても良い。これによれば、店舗の情報表示装置において会員に対して宣伝情報が表示されると、当該会員のポイントが加算されることにより、会員登録の促進につながるので、会員の増加に伴って宣伝効果をさらに高めることができる。
【０４８０】
また前記第１の発明において、前記会員専用ページ送信手段（制御部６２及び通信部６１）は、前記宣伝特定情報（宣伝ＩＤ）が対応付けられていない会員識別情報（会員カードＩＤ）を特定可能な情報を含むログイン要求を受信したことを条件として、所定の宣伝情報に関する宣伝関連情報（宣伝バナー，ウェブ宣伝）を含む前記会員専用ページを前記情報端末（ＰＣ６）に対して送信することを特徴とする宣伝配信システム（情報表示・配信システム１）としても良い。これによれば、店舗の情報表示装置において宣伝情報を閲覧していない会員に対しても、所定の宣伝情報に関する宣伝関連情報を含む会員専用ページが、前記情報端末に対して送信されることにより、会員に当該宣伝を閲覧させることができるので、宣伝効果をさらに高めることができる。
【０４８１】
また前記第１の発明において、前記会員専用ページ送信手段（制御部６２及び通信部６１）は、前記会員が所有する有価価値の大きさを使用して前記宣伝情報の宣伝対象を取得するために当該会員が操作するリンク情報を含んだ前記宣伝関連情報（ウェブ宣伝）を含む前記会員専用ページを前記情報端末に対して送信することを特徴とする宣伝配信システム（情報表示・配信システム１）としても良い。これによれば、宣伝情報の宣伝対象を取得するためのリンク情報を含んだ宣伝関連情報を含む会員専用ページが、前記情報端末に対して送信されることにより、会員が当該リンク情報を操作すると当該会員が所有する有価価値の大きさを使用して宣伝対象を取得することができるので、宣伝対象の取得を促進できる。
【０４８２】
また前記第１の発明において、前記管理装置（広告管理装置６０）は、前記リンク情報の操作に基づく前記宣伝対象の取得に要する対価を割り引くための処理を行う割引処理手段（制御部６２）をさらに有することを特徴とする宣伝配信システム（情報表示・配信システム１）としても良い。これによれば、リンク情報の操作に基づく宣伝対象の取得に要する対価を割り引くための処理が行われることにより、会員が当該リンク情報を操作すると割り引かれた対価で宣伝対象を取得することができるので、宣伝対象の取得をさらに促進できる。
【０４８３】
さらに前記第１の発明において、前記管理装置（広告管理装置６０）は、前記宣伝関連情報（宣伝バナー，ウェブ宣伝）が前記会員専用ページに含まれるための優先度を設定する優先度設定手段（ディスプレイ６３及び入力装置６４）をさらに有し、前記会員専用ページ送信手段（制御部６２及び通信部６１）は、前記ログイン要求に含まれる情報から特定される会員識別情報（会員カードＩＤ）に対応付けて前記表示宣伝記憶手段（宣伝表示履歴ＤＢ）で記憶している宣伝特定情報（宣伝ＩＤ）から特定される宣伝情報に関する宣伝関連情報（宣伝バナー，ウェブ宣伝）のうち、前記優先度設定手段により設定された優先度が高い宣伝関連情報を優先して表示した前記会員専用ページを前記情報端末（ＰＣ７又は携帯電話８）に対して送信することを特徴とする宣伝配信システム（情報表示・配信システム１）としても良い。これによれば、優先度が高い宣伝関連情報を優先して表示した会員専用ページが前記情報端末に対して送信されることにより、複数の宣伝関連情報を一律に表示するのに比べて会員の注意を引くことができるので、宣伝効果をさらに高めることができる。
【０４８４】
［７−２．第２の発明］
次に、従来技術２として、特開２００５−２７０２０３号公報（図２，段落００２４〜００２５）を示す。この従来技術２には、ユーザが遊技をしている遊技機に対応する情報表示装置の一例であるカードユニットで、情報提供装置から配信されてくる宣伝情報を表示し、ユーザにより詳細ボタンが操作されると、該表示している宣伝情報の詳細な内容を表示するシステムが記載されている。
【０４８５】
しかしながら、従来技術２に示すシステムでは、ユーザにより詳細ボタンが操作された際に宣伝情報の詳細な内容を表示するのみであるので、その後に当該宣伝に対するユーザの関心が薄れてしまい、ユーザに対する宣伝効果が低いという第２の問題があった。
【０４８６】
そこで、上記の実施形態に記載した第２の発明では、前記第２の問題を解決するために、ユーザ（遊技者）に対して所定の宣伝情報（ユニット宣伝メイン）を表示する情報表示装置（カードユニット２０）を備える宣伝表示システム（情報表示・配信システム１）であって、前記情報表示装置は、前記宣伝情報が表示されたときに、前記ユーザから特定操作を受け付ける特定操作受付手段（タッチパネル式のディスプレイ２４）を有し、前記宣伝表示システムは、前記特定操作受付手段により特定操作を受け付けた宣伝情報を特定可能な宣伝特定情報（宣伝ＩＤ）を記憶する特定操作受付宣伝記憶手段（場内管理装置５０の宣伝表示履歴ＤＢ）と、該特定操作受付宣伝記憶手段で記憶している宣伝特定情報から特定される宣伝情報に関する宣伝関連情報（ユニット宣伝詳細）を前記特定操作を行ったユーザに対して表示するための再表示条件を設定する再表示条件設定手段（広告管理装置６０のディスプレイ６３及び入力装置６４）と、該再表示条件設定手段により設定された再表示条件が成立したことを条件として、前記特定操作を行ったユーザが存在する情報表示装置において前記宣伝関連情報を表示するための再表示処理を行う再表示処理手段（場内管理装置５０の制御部５２）と、をさらに備えることを特徴とする宣伝表示システムを構成した。これによれば、再表示条件が成立すると、情報表示装置においてユーザから特定操作を受け付けた宣伝情報に関する宣伝関連情報が、当該ユーザが存在する情報表示装置において表示されることにより、ユーザから特定操作を受け付けた宣伝を再度閲覧させることができるので、宣伝効果を高めることができる。
【０４８７】
また前記第２の発明において、前記情報表示装置（カードユニット２０）は、前記宣伝情報（ユニット宣伝メイン）及び／又は前記宣伝関連情報（ユニット宣伝詳細）が表示されたときに、前記ユーザ（遊技者）から該宣伝情報及び／又は宣伝関連情報の宣伝対象を予約する予約操作を受け付ける予約操作受付手段（タッチパネル式のディスプレイ２４）をさらに有することを特徴とする宣伝表示システム（情報表示・配信システム１）としても良い。これによれば、宣伝情報及び／又は宣伝関連情報が表示された情報表示装置において、宣伝対象の予約を受け付けることができるので、宣伝対象の予約を促進できる。
【０４８８】
また前記第２の発明において、前記ユーザ（遊技者）が所有する有価価値の大きさ（貯玉数，持玉数）を特定可能な有価価値特定情報（会員カードＩＤ）を受け付ける有価価値特定情報受付手段（カードユニット２０のカードＲ／Ｗ２３）と、該有価価値特定情報受付手段により受け付けた有価価値特定情報から特定される有価価値の大きさを使用して、前記予約操作受付手段（タッチパネル式のディスプレイ２４）により予約操作を受け付けた宣伝対象の対価を決済するための処理を行う決済処理手段（カードユニット２０の制御部２２及び場内通信部２１ｂ）と、をさらに有することを特徴とする宣伝表示システム（情報表示・配信システム１）としても良い。これによれば、情報表示装置において予約を受け付けた宣伝対象の対価を決済することができるので、宣伝対象を単に予約しただけで終わることなく、該宣伝対象の取得を促進できる。
【０４８９】
また前記第２の発明において、前記決済処理手段（カードユニット２０の制御部２２及び場内通信部２１ｂ）は、前記予約操作に基づく前記宣伝対象の取得に要する対価を割り引くための処理を行うことを特徴とする宣伝表示システム（情報表示・配信システム１）としても良い。これによれば、情報表示装置において予約を受け付けた宣伝対象の取得に要する対価を割り引くための処理が行われることにより、該割り引かれた対価で宣伝対象を取得することができるので、宣伝対象の取得をさらに促進できる。
【０４９０】
また前記第２の発明において、前記ユーザ（遊技者）が所有する有価価値の大きさ（貯玉数，持玉数）を特定可能な有価価値特定情報（会員カードＩＤ）を受け付ける有価価値特定情報受付手段（カードユニット２０のカードＲ／Ｗ２３）と、前記情報表示装置（カードユニット２０）で表示する各宣伝情報の宣伝対象について、当該宣伝対象の対価を管理する対価管理手段（場内管理装置５０の表示宣伝ＤＢ）と、をさらに備え、前記再表示条件設定手段（広告管理装置６０のディスプレイ６３及び入力装置６４）は、前記有価価値特定情報受付手段により受け付けた有価価値特定情報から特定される有価価値の大きさが、前記特定操作受付宣伝記憶手段（場内管理装置５０の宣伝表示履歴ＤＢ）で記憶している宣伝特定情報（宣伝ＩＤ）から特定される宣伝情報について前記対価管理手段で管理している対価に到達していることを、前記再表示条件として設定することを特徴とする宣伝表示システム（情報表示・配信システム１）としても良い。これによれば、ユーザが所有する有価価値の大きさが特定操作を受け付けた宣伝情報の宣伝対象の対価に到達していることを条件として、該宣伝情報の宣伝関連情報が表示されることにより、該宣伝情報の宣伝対象に対するユーザの取得意欲をかき立てることができるので、宣伝効果をさらに高めることができる。
【０４９１】
また前記第２の発明において、前記情報表示装置（カードユニット２０）で表示する各宣伝情報について、当該宣伝情報を表示する表示期間を管理する表示期間管理手段（場内管理装置５０の表示宣伝ＤＢ）をさらに備え、前記再表示条件設定手段（広告管理装置６０のディスプレイ６３及び入力装置６４）は、前記特定操作受付宣伝記憶手段（場内管理装置５０の宣伝表示履歴ＤＢ）で記憶している宣伝特定情報（宣伝ＩＤ）から特定される宣伝情報について前記表示期間管理手段で管理している表示期間の残り期間が所定期間以下になったことを、前記再表示条件として設定し、前記再表示処理手段（場内管理装置５０の制御部５２）は、当該再表示条件が成立したことを条件として、前記残り期間を示唆する情報を含む宣伝関連情報（ユニット宣伝詳細）を表示するための処理を行うことを特徴とする宣伝表示システム（情報表示・配信システム１）としても良い。これによれば、宣伝情報の表示期間の残り期間が所定期間以下であることを条件として、該宣伝情報の宣伝関連情報及び残り期間が表示されることにより、該宣伝情報の宣伝対象に対するユーザの取得意欲をかき立てることができるので、宣伝効果をさらに高めることができる。
【０４９２】
また前記第２の発明において、前記情報表示装置（カードユニット２０）で表示する各宣伝情報の宣伝対象について、当該宣伝対象の在庫数を管理する在庫数管理手段（場内管理装置５０の宣伝表示履歴ＤＢ）をさらに備え、前記再表示条件設定手段（広告管理装置６０のディスプレイ６３及び入力装置６４）は、前記特定操作受付宣伝記憶手段（場内管理装置５０の宣伝表示履歴ＤＢ）で記憶している宣伝特定情報（宣伝ＩＤ）から特定される宣伝情報について前記在庫数管理手段で管理している在庫数が所定数以下になったことを、前記再表示条件として設定し、前記再表示処理手段（場内管理装置５０の制御部５２）は、当該再表示条件が成立したことを条件として、前記在庫数を示唆する情報を含む宣伝関連情報（ユニット宣伝詳細）を表示するための処理を行うことを特徴とする宣伝表示システム（情報表示・配信システム１）としても良い。これによれば、宣伝情報の宣伝対象の在庫数が所定数以下であることを条件として、該宣伝情報の宣伝関連情報及び在庫数が表示されることにより、該宣伝情報の宣伝対象に対するユーザの取得意欲をかき立てることができるので、宣伝効果をさらに高めることができる。
【０４９３】
さらに前記第２の発明において、前記情報表示装置（カードユニット２０）は、店舗（遊技場）に設置され、当該店舗で取り扱われている店舗内対象（提供景品）の宣伝情報（提供景品宣伝）と、当該店舗以外で取り扱われている店舗外対象の宣伝情報（一般宣伝）とを表示し、前記再表示処理手段（場内管理装置５０の制御部５２）は、前記特定操作受付宣伝記憶手段（場内管理装置５０の宣伝表示履歴ＤＢ）で記憶している宣伝特定情報（宣伝ＩＤ）から特定される宣伝情報が前記店舗内対象であることを更なる条件として、前記再表示処理を行い、前記宣伝表示システムは、前記再表示条件設定手段（広告管理装置６０のディスプレイ６３及び入力装置６４）により設定された再表示条件が成立し、かつ前記特定操作受付宣伝記憶手段で記憶している宣伝特定情報から特定される宣伝情報が前記店舗外対象であることを条件として、前記特定操作を行ったユーザ（会員）が所有する情報端末（ＰＣ７又は携帯電話８）に対して当該宣伝情報の宣伝関連情報を送信する処理（電子メールで送信する処理や、会員専用ページで表示させる処理）を行う宣伝関連情報送信手段（広告管理装置６０の制御部６２及び通信部６１）をさらに備えることを特徴とする宣伝表示システム（情報表示・配信システム１）としても良い。これによれば、店舗内対象の宣伝関連情報は情報表示装置で表示され、店舗外対象の宣伝関連情報はユーザが所有する情報端末に対して送信されて表示されることにより、宣伝対象の取扱場所に応じた態様で宣伝関連情報をユーザに閲覧させることができるので、宣伝効果をさらに高めることができる。
【図面の簡単な説明】
【０４９４】
【図１】図１は本発明に係る情報表示・配信システムの一例を表す機能ブロック図である。
【図２】図２（ａ）は広告管理装置が記憶している会員情報ＤＢの一例を表す図であり、図２（ｂ）は同じくグループＤＢの一例を表す図である。
【図３】図３（ａ）は電子マネー管理サーバが記憶している電子マネーＤＢの一例を表す図であり、図３（ｂ）は同じく発行履歴ＤＢの一例を表す図であり、図３（ｃ）はリモート発行サーバが記憶している書込状況ＤＢの一例を表す図である。
【図４】図４は電子マネー使用登録時及び電子マネー使用プログラム起動時に携帯電話のディスプレイに表示される画面の一例を表す図である。
【図５】図５は電子マネー購入処理の一例を表すフローチャートである。
【図６】図６は電子マネーチャージ処理の一例を表すフローチャートである。
【図７】図７は携帯電話のディスプレイに表示される画面の一例を表す図である。
【図８】図８（ａ）はカードユニット及びパチンコ機の正面図であり、図３（ｂ）は同カードユニットの断面右側面図である。
【図９】図９はカードユニットが行うメイン処理の一例を表すフローチャートである。
【図１０】図１０は図９に続く図である。
【図１１】図１１はカードユニットが行う景品予約処理の一例を表すフローチャートである。
【図１２】図１２はカードユニットが行う宣伝表示処理の一例を表すフローチャートである。
【図１３】図１３はカードユニットが行うアンケート告知表示処理の一例を表すフローチャートである。
【図１４】図１４はカードユニットのディスプレイに表示される画面の一例を表す図である。
【図１５】図１５は図１４に続き景品予約画面の一例を表す図である。
【図１６】図１６は図１５に続き景品予約画面の一例を表す図である。
【図１７】図１７は図１４に続き宣伝表示画面の一例を表す図である。新規
【図１８】図１８は図１４に続きアンケート告知表示画面の一例を表す図である。
【図１９】図１９は配送管理装置が記憶している景品情報ＤＢの一例を表す図である。
【図２０】図２０（ａ）は配送管理装置が記憶している配送情報ＤＢの一例を表す図であり、図２０（ｂ）は同じく請求情報ＤＢの一例を表す図である。
【図２１】図２１は景品管理装置が記憶している景品情報ＤＢの一例を表す図である。
【図２２】図２２は景品管理装置が記憶している予約・確定累計数ＤＢの一例を表す図である。
【図２３】図２３は景品管理装置が記憶している予約情報ＤＢの一例を表す図である。
【図２４】図２４は景品管理装置が記憶している配送情報ＤＢの一例を表す図である。
【図２５】図２５は情報表示・配信システムで発行されるレシートの一例を表す図であり、（ａ）は予約レシート，（ｂ）は配送レシートである。
【図２６】図２６は予約確定端末の一例を表す図である。
【図２７】図２７は予約確定端末が行う予約確定処理の一例を表すフローチャートである。
【図２８】図２８は予約確定端末のディスプレイに表示される画面の一例を表す図である。
【図２９】図２９は景品管理装置が行うメイン処理の一例を表すフローチャートである。
【図３０】図３０は広告管理装置が記憶している宣伝プランＤＢの一例を表す図である。
【図３１】図３１は広告管理装置が記憶している宣伝ＤＢの一例を表す図である。
【図３２】図３２は配送管理装置のディスプレイ及び一般広告主のＰＣのディスプレイに表示される宣伝作成画面の一例を表す図である。
【図３３】図３３（ａ）は広告管理装置のディスプレイに表示される宣伝自動表示条件設定画面の一例を表す図であり、図２６（ｂ）は同じく宣伝再表示条件設定画面の一例を表す図である。
【図３４】図３４は場内管理装置が記憶している表示宣伝ＤＢの一例を表す図である。
【図３５】図３５は場内管理装置が記憶している宣伝表示履歴ＤＢの一例を表す図である。
【図３６】図３６は場内管理装置が行う宣伝表示履歴ＤＢ更新処理の一例を表すフローチャートである。
【図３７】図３７は場内管理装置が行う宣伝自動表示処理の一例を表すフローチャートである。
【図３８】図３８は場内管理装置が行う宣伝再表示処理の一例を表すフローチャートである。
【図３９】図３９は広告管理装置が記憶しているアンケートプランＤＢの一例を表す図である。
【図４０】図４０は広告管理装置が記憶しているアンケートＤＢの一例を表す図である。
【図４１】図４１は配送管理装置のディスプレイ及び一般広告主のＰＣのディスプレイに表示されるアンケート作成画面の一例を表す図である。
【図４２】図４２は広告管理装置のディスプレイに表示されるバナー表示条件設定画面の一例を表す図である。
【図４３】図４３は広告管理装置が記憶している宣伝表示履歴ＤＢの一例を表す図である。
【図４４】図４４は広告管理装置が記憶しているアンケート操作履歴ＤＢの一例を表す図である。
【図４５】図４５は広告管理装置が行う会員専用ページ送信処理の一例を表すフローチャートである。
【図４６】図４６は広告管理装置が行うバナー決定処理の一例を表すフローチャートであり、（ａ）は宣伝バナー決定処理，（ｂ）はアンケートバナー決定処理である。
【図４７】図４７は広告管理装置が行う電子マネー発行処理の一例を表すフローチャートである。
【図４８】図４８は会員のＰＣ又は携帯電話のディスプレイに表示されるウェブページの一例を表す図である。
【図４９】図４９は図４８に続き統合登録ページの一例を表す図である。
【図５０】図５０は図４８に続きポイント使用ページの一例を表す図である。
【図５１】図５１は図５０に続きポイント使用ページの一例を表す図である。
【符号の説明】
【０４９５】
１…情報配信・表示システム
２…会員カード
７…（会員の）ＰＣ
８…携帯電話
１０…パチンコ機
２０…カードユニット
２４…（タッチパネル式）ディスプレイ
６０…広告管理装置
６１…通信部
６２…制御部
６３…ディスプレイ
６４…入力装置
６５…ハードディスク
８０…電子マネー管理サーバ
【図１】
0005462440.tif 000002
【図２】
0005462440.tif 000003
【図３】
0005462440.tif 000004
【図４】
0005462440.tif 000005
【図５】
0005462440.tif 000006
【図６】
0005462440.tif 000007
【図７】
0005462440.tif 000008
【図８】
0005462440.tif 000009
【図９】
0005462440.tif 000010
【図１０】
0005462440.tif 000011
【図１１】
0005462440.tif 000012
【図１２】
0005462440.tif 000013
【図１３】
0005462440.tif 000014
【図１４】
0005462440.tif 000015
【図１５】
0005462440.tif 000016
【図１６】
0005462440.tif 000017
【図１７】
0005462440.tif 000018
【図１８】
0005462440.tif 000019
【図１９】
0005462440.tif 000020
【図２０】
0005462440.tif 000021
【図２１】
0005462440.tif 000022
【図２２】
0005462440.tif 000023
【図２３】
0005462440.tif 000024
【図２４】
0005462440.tif 000025
【図２５】
0005462440.tif 000026
【図２６】
0005462440.tif 000027
【図２７】
0005462440.tif 000028
【図２８】
0005462440.tif 000029
【図２９】
0005462440.tif 000030
【図３０】
0005462440.tif 000031
【図３１】
0005462440.tif 000032
【図３２】
0005462440.tif 000033
【図３３】
0005462440.tif 000034
【図３４】
0005462440.tif 000035
【図３５】
0005462440.tif 000036
【図３６】
0005462440.tif 000037
【図３７】
0005462440.tif 000038
【図３８】
0005462440.tif 000039
【図３９】
0005462440.tif 000040
【図４０】
0005462440.tif 000041
【図４１】
0005462440.tif 000042
【図４２】
0005462440.tif 000043
【図４３】
0005462440.tif 000044
【図４４】
0005462440.tif 000045
【図４５】
0005462440.tif 000046
【図４６】
0005462440.tif 000047
【図４７】
0005462440.tif 000048
【図４８】
0005462440.tif 000049
【図４９】
0005462440.tif 000050
【図５０】
0005462440.tif 000051
【図５１】
0005462440.tif 000052